(57)【要約】      （修正有）【課題】大きく自由落下する装飾体により興趣が低下するのを抑制することが可能な遊技機を提供する。【解決手段】パチンコ機に、遊技者の操作によって遊技球が打込まれる遊技領域と、正面視で遊技領域内の上部と下部との間で上下にスライド可能とされており、立体的な装飾が施された落下装飾体３１０６が取付けられる裏ユニット３０００のスライダ３１０５と、遊技領域内の上部において、一つの落下演出モータ３１１２の駆動によりスライダ３１０５を所定高さ範囲内で上下に揺動させると共に所定高さ範囲内よりも下方へ自由落下させることが可能な落下カム３１１３と、落下カム３１１３により自由落下したスライダ３１０５を上昇させて落下カム３１１３に支持させるラック部材３１０８と、を具備させる。【選択図】図５６
2020075158.tif 000002
【特許請求の範囲】
【請求項１】
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
前記前扉に設けられる可動装飾部と、
を備え、
前記可動装飾部は、図柄変動遊技の進行に基づいて動作可能であり、動作前と動作後の何れにおいても遊技者から視認可能に配置され、動作前と動作後で遊技者から視認可能な装飾態様が異なるものであって、
前記前扉は、前方に膨出した膨出部と、前記膨出部ではない箇所に設けられ、開閉のための鍵が挿入される鍵穴部とを有し、
さらに、前記前扉には、前記可動装飾部が配置される前記膨出部の少なくとも一部から前記鍵穴部の周りにかけて外形形状が連続する特別意匠部が設けられる
ことを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
パチンコ機等の遊技機は、遊技球等の遊技媒体が打込まれる遊技領域内に配置されている始動口に遊技媒体が受入れられると、所定の抽選が行われ、抽選された抽選結果に応じて「大当り」等の遊技者が有利となる有利遊技状態を発生させる。始動口への遊技媒体の受入れにより抽選された抽選結果の示唆は、正面視遊技領域内の略中央に配置された演出表示手段に表示される演出画像によって行われ、表示された演出画像によって、有利遊技状態の発生に対する期待感を高めさせて、遊技者を楽しませるようにしている。
【０００３】
この種の遊技機として、始動口への遊技媒体の受入れによる抽選結果に応じて、可動する装飾体を備えたものが提案されている（例えば、特許文献１）。これにより、有利遊技状態の発生に対する期待感を更に高めさせることができる。
【０００４】
【０００５】
しかしながら、従来と同等の構成では、早期に飽きてしまい、遊技に対する興趣を低下させてしまう虞がある。
【発明の概要】
【発明が解決しようとする課題】
【０００６】
そこで、本発明は上記の実情に鑑み、興趣が低下するのを抑制することが可能な遊技機の提供を課題とする。
【課題を解決するための手段】
【０００７】
本発明は、
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
前記前扉に設けられる可動装飾部と、
を備え、
前記可動装飾部は、図柄変動遊技の進行に基づいて動作可能であり、動作前と動作後の何れにおいても遊技者から視認可能に配置され、動作前と動作後で遊技者から視認可能な装飾態様が異なるものであって、
前記前扉は、前方に膨出した膨出部と、前記膨出部ではない箇所に設けられ、開閉のための鍵が挿入される鍵穴部とを有し、
さらに、前記前扉には、前記可動装飾部が配置される前記膨出部の少なくとも一部から前記鍵穴部の周りにかけて外形形状が連続する特別意匠部が設けられる
ことを特徴とする。
また、本発明とは別の発明として以下の手段を参考的に開示する。  
手段１：遊技機において、
「遊技者の操作によって遊技媒体が打込まれる遊技領域と、
正面視で該遊技領域内の上部と下部との間で上下にスライド可能とされており、立体的な装飾が施された装飾体が取付けられるスライダと、
前記遊技領域内の上部において、一つの落下モータの駆動により前記スライダを所定高さ範囲内で上下に揺動させると共に該所定高さ範囲内よりも下方へ自由落下させることが可能な揺動落下機構と、
該揺動落下機構により自由落下した前記スライダを上昇させて前記揺動落下機構に支持させる復帰機構と
を具備している」ものであることを特徴とする。
【０００８】
ここで、スライダを上下に「スライド可能」とする構成としては、「少なくとも一つの上下に延びたシャフトを摺動可能に挿通（貫通）させることでスライド可能としたもの」、「外周の一部が窪んだ断面形状で一定に上下に延びたレール部材に摺動可能に取付けることでスライド可能としてもの」、等が挙げられる。
【０００９】
また、「揺動落下機構」としては、「スライダに下方を向いた当接面を備え、その当接面よりも水平方向外側の位置に回転中心を有しており、回転中心から当接面までの水平方向の距離に対して、回転中心からの距離が長い部位と短い部位とで外周面が形成され、落下モータにより回転させられる回転部材を備えた機構」、「スライダに下方を向いた当接面を備え、当接面に対して水平方向外側の位置と内側との位置との間で落下モータにより公転させられる円柱状のピンを有した回転部材を備えた機構」、「スライダに斜め下方を向いた当接面を備え、当接面よりも水平方向外側の位置から先端が当接面に当接するように落下モータによって直線的に移動させられる棒状の棹部材を備えた機構」、等が挙げられる。
【００１０】
更に、「復帰機構」としては、「上下に延びているラックギアを有し上端がスライダの下端と当接可能で昇降可能なラック部材と、ラックギアと噛合するピニオンギアと、ピニオンギアを回転駆動させる復帰モータと、を備えた機構」、「外周に雄ネジが形成されている上下に延びた雄ネジ部材と、雄ネジ部材と回転不能に螺合しておりスライダの下端と当接可能なナット部材と、雄ネジ部材を回転させる復帰モータと、を備えた機構」、等が挙げられる。
【００１１】
手段１の構成によると、遊技機に、遊技者の操作によって遊技媒体が打込まれる遊技領域と、正面視で遊技領域内の上部と下部との間で上下にスライド可能とされており、立体的な装飾が施された装飾体が取付けられるスライダと、遊技領域内の上部において、一つの落下モータの駆動によりスライダを所定高さ範囲内で上下に揺動させると共に所定高さ範囲内よりも下方へ自由落下させることが可能な揺動落下機構と、揺動落下機構により自由落下したスライダを上昇させて揺動落下機構に支持させる復帰機構と、を備えるようにしたものである。
【００１２】
これにより、揺動落下機構によりスライダを介して装飾体を上下に揺動することができると共にその上下の揺動範囲よりも下方へスライダ（装飾体）を落下させることができる。そして、揺動落下機構よりも下方へ落下したスライダを、復帰機構により上昇させて再びスライダを揺動落下機構に支持させることができる。つまり、スライダ（装飾体）を落下させる機構と、落下したスライダを上昇させる機構とを、別々の機構としているため、スライダが自由落下する距離（高さ）をより高くすることが可能となり、大きく落下する装飾体によって遊技者を大いに驚かせることができ、装飾体の動きによって遊技者を楽しませて興趣が低下するのを抑制することができる。
【００１３】
ところで、通常の静止している状態からスライダを介して装飾体を自由落下させると、従来のモータの駆動等によって下降する装飾体と比較して、早く落下してしまうため、装飾体が落下した後で遊技者が装飾体の落下に気付くこととなり、装飾体が落下する瞬間を見逃してしまうことで、遊技者によっては装飾体の落下演出がつまらなく感じてしまい、興趣を低下させてしまう虞がある。これに対して、本手段では揺動落下機構によりスライダを介して装飾体を所定高さ範囲内で上下に揺動させることができるため、装飾体を落下させる前に、装飾体を揺動させることで、装飾体へ遊技者を注目させることができ、装飾体が落下する瞬間を遊技者に見せることができる。つまり、装飾体が落下する前に、装飾体がグラグラと揺動することで、遊技者に対して装飾体が落下するような予感を与えることが可能となり、グラグラしている装飾体がいつ落下するか否かで遊技者をワクワク・ドキドキさせることができ、遊技者の期待感を高めさせることができる。そして、装飾体が落下すると、遊技者に対して何か良いことがあるのではないかと思わせることができ、ここでも遊技者の遊技に対する期待感を高めさせることができる。従って、遊技者に装飾体の落下演出を十分に楽しませることができ、遊技に対する興趣が低下するのを抑制することができる。
【００１４】
また、例えば、特開２００６−１９２１５４号公報に記載されている技術では、装飾体が取付けられているスライダに上下に延びたラックギアを備え、そのラックギアにモータからの駆動を伝達させる伝達ギアにおいて、周方向の一部にギア歯を備えていない欠歯部を形成し、その欠歯部にラックギアと噛合するピニオンギアを位置させることで、ピニオンギアを空転させてスライダを落下させるようにしている。しかしながら、この技術でも、スライダに備えられたラックギアによりスライダを基の位置へ上昇させるようにしているため、ラックギアの長さよりも長く（高く）スライダ（装飾体）を落下させることができない。これに対して、本手段では、スライダ（装飾体）を落下させる機構と、落下したスライダを上昇させる機構とを、別々の機構としているため、スライダが自由落下する距離（高さ）を、スライダを落下させる機構に備えられたラックギアの長さよりも高くすることができる。
【００１５】
なお、正面視遊技領域内に演出画像を表示可能な液晶表示装置等の演出表示手段を備え、演出表示手段の前面側で装飾体を落下させるようにしても良い。これにより、演出画像を遮るように装飾体が落下することで、遊技者を更に驚かせることができ、遊技者の興趣が低下するのを抑制することができる。
【００１６】
また、スライダに、下方を向いた当接面を有するようにした上で、揺動落下機構に、当接面よりも水平方向外側の位置に回転中心を有し、その回転中心から当接面までの水平方向の距離に対して、回転中心からの距離が長い部位と短い部位とで外周面が形成され、落下モータにより回転させられる回転部材を、備えるようにしても良い。これにより、落下モータの駆動により回転部材を回転させることで、スライダを所定高さ範囲内で上下に揺動させると共に所定高さ範囲内よりも下方へ自由落下させることが可能な揺動落下機構を具現化することができ、上述した作用効果を確実に奏することができる。この場合、外周面の部位によって回転中心からの距離が異なる回転部材の外周面に、スライダの当接面を当接させて、上下に揺動させるようにしているため、外周面の形状を適宜選択することで、スライダ（装飾体）の上下の揺動を正弦波とは異なる波形で揺動させることができる。従って、装飾体の揺動にリアルさを付与することができるため、遊技者に装飾体の揺動（動き）を楽しませることができると共に飽き難くすることができ、遊技者の遊技に対する興趣が低下するのを抑制することができる。
【００１７】
更に、復帰機構に、上下に延びているラックギアを有し上端がスライダの下端と当接可能で昇降可能なラック部材と、ラック部材のラックギアと噛合するピニオンギアと、ピニオンギアを回転駆動させる復帰モータと、を備えるようにしても良い。これにより、復帰モータによらピニオンギアを回転させることで、ピニオンギアと噛合するラックギアを有したラック部材を昇降させることができるため、スライダが落下した状態でラック部材を上昇させると、ラック部材の上端がスライダの下端に当接し、ラック部材と共にスライダを上昇させることができ、上述した作用効果を奏する復帰機構を確実に具現化することができる。
【００１８】
手段２：手段１の構成において、
「前記スライダは、
下方を向いた当接面を有しており、且つ、
前記揺動落下機構は、
前記当接面よりも水平方向外側の位置に回転中心を有しており、該回転中心から前記当接面までの水平方向の距離に対して、前記回転中心からの距離が長い部位と短い部位とで外周面が形成され、前記落下モータにより回転させられる回転部材を、
備えている」ものであることを特徴とする。
【００１９】
ここで、スライダの「当接面」としては、「回転部材の回転中心に近い側が高くなるように傾斜している面」、「水平に延びている面」、「上下に複数列設されている面（例えば、ラックギア状に上下に列設され、各ギア歯の下側の面）」、等が挙げられる。
【００２０】
また、「回転部材」としては、「外周面が半径の異なる複数の円弧状の面によって形成されているカム」、「棒状に延びた部材」、「回転中心から歯の先端が当接面の水平方向内側に位置し、歯の谷が当接面の水平方向外側に位置する歯車」、等が挙げられる。
【００２１】
手段２の構成によると、スライダに、下方を向いた当接面を有するようにした上で、揺動落下機構に、当接面よりも水平方向外側の位置に回転中心を有し、その回転中心から当接面までの水平方向の距離に対して、回転中心からの距離が長い部位と短い部位とで外周面が形成され、落下モータにより回転させられる回転部材を、備えるようにしたものである。
【００２２】
これにより、揺動落下機構の回転部材の外周面において、回転中心から当接面までの水平方向の距離よりも長い部位を、当接面の直下となるように回転部材を回転させた状態では、回転部材の外周面に対してスライダの当接面が上側から当接することができるため、回転部材の外周面によってスライダの下方への移動が規制され、スライダが落下することはない。この回転部材の外周面は、回転中心から長い部位と短い部位とを有していることから、回転部材の外周面は、回転中心に対して真円ではない。このことから、回転部材の外周面がスライダの当接面と当接する範囲内で回転部材を落下モータによって回転（回動）させると、回転部材の外周面においてスライダの当接面と当接する部位の高さが相対的に変化することとなり、当接面を介してスライダが上下にスライドすることとなる。従って、回転部材の外周面がスライダの当接面と当接する範囲内で、回転部材を往復回動させると、当接面を介してスライダ（装飾体）を、所定高さ範囲内で上下に揺動させることができる。
【００２３】
一方、回転部材の外周面において、回転中心から当接面までの水平方向の距離よりも短い部位を、当接面よりも水平方向外側となるように回転部材を回転させた状態では、回転部材の外周面に対してスライダの当接面が上側から当接することができないため、スライダが回転部材よりも下方へ移動することができ、スライダを落下させることができる。
【００２４】
スライダを落下させた後には、復帰機構によって、当接面が回転部材の外周面よりも上側へ位置するようにスライダを上昇させる。復帰機構によりスライダを上昇させた状態のままで、回転部材の外周面が当接面の直下へ位置するように、回転部材を回動させる。その後、復帰機構によりスライダを下降させることで、回転部材の外周面に当接面を当接させ、揺動落下機構にスライダが支持されて復帰した状態となる。
【００２５】
このように、上記の構成とすることで、落下モータの駆動により回転部材を回転させることで、スライダを所定高さ範囲内で上下に揺動させると共に所定高さ範囲内よりも下方へ自由落下させることが可能な揺動落下機構を具現化することができ、上述した作用効果を確実に奏することができる。
【００２６】
ところで、揺動落下機構として、スライダの当接面と当接可能な公転するピンを有した回転部材によって構成するようにした場合、当接面と当接するピンが一定の半径で公転することから、回転部材を往復回動させてスライダ（装飾体）を上下に揺動させると、その振動が正弦波に近い揺動となる。従って、装飾体が正弦波で揺動すると、装飾体の揺動が人工的な感じとなってしまい、遊技者によっては装飾体の動きを楽しめなくなって興趣を低下させてしまう虞がある。これに対して、本手段では、外周面の部位によって回転中心からの距離が異なる回転部材の外周面に、スライダの当接面を当接させて、上下に揺動させるようにしているため、外周面の形状を適宜選択することで、スライダ（装飾体）の上下の揺動を正弦波とは異なる波形で揺動させることができる。これにより、装飾体の揺動にリアルさを付与することができるため、遊技者に装飾体の揺動（動き）を楽しませることができると共に飽き難くすることができ、遊技者の遊技に対する興趣が低下するのを抑制することができる。
【００２７】
手段３：手段１又は手段２の構成において、
「前記復帰機構は、
上下に延びているラックギアを有しており、上端が前記スライダの下端と当接可能で昇降可能なラック部材と、
該ラック部材の前記ラックギアと噛合するピニオンギアと、
該ピニオンギアを回転駆動させる復帰モータと
を備えている」ものであることを特徴とする。
【００２８】
手段３の構成によると、復帰機構に、上下に延びているラックギアを有し上端がスライダの下端と当接可能で昇降可能なラック部材と、ラック部材のラックギアと噛合するピニオンギアと、ピニオンギアを回転駆動させる復帰モータと、を備えるようにしたものである。
【００２９】
これにより、復帰モータによりピニオンギアを回転させることで、ピニオンギアと噛合するラックギアを有したラック部材を昇降させることができるため、スライダが落下した状態でラック部材を上昇させると、ラック部材の上端がスライダの下端に当接し、ラック部材と共にスライダを上昇させることができ、上述した作用効果を奏する復帰機構を確実に具現化することができる。
【００３０】
手段４：遊技機において、
「遊技者の操作によって遊技媒体が打込まれる遊技領域と、
下方を向いた当接面を有しており、正面視で前記遊技領域内の上部と下部との間で上下にスライド可能とされていると共に立体的な装飾が施された装飾体が取付けられるスライダと、
該スライダの前記当接面よりも水平方向外側の位置に回転中心を有しており、該回転中心から前記当接面までの水平方向の距離に対して、前記回転中心からの距離が長い部位と短い部位とで外周面が形成されている回転部材、及び該回転部材を回転させる落下モータを備えており、前記遊技領域内の上部において、一つの前記落下モータの駆動により前記回転部材を回転させることで前記スライダを前記回転部材の回転範囲の高さよりも低い所定高さ範囲内で上下に揺動させると共に該所定高さ範囲内よりも下方へ自由落下させることが可能な揺動落下機構と、
上下に延びているラックギアを有しており上端が前記スライダの下端と当接可能で昇降可能なラック部材、該ラック部材の前記ラックギアと噛合するピニオンギア、及び該ピニオンギアを回転駆動させる復帰モータを備えており、前記ラック部材を上昇させることで前記揺動落下機構により自由落下した前記スライダを上昇させて前記揺動落下機構に支持させる復帰機構と
を具備している」ものであることを特徴とする。
【００３１】
手段４の構成によると、遊技機に、遊技者の操作によって遊技媒体が打込まれる遊技領域と、下方を向いた当接面を有しており、正面視で遊技領域内の上部と下部との間で上下にスライド可能とされていると共に立体的な装飾が施された装飾体が取付けられるスライダと、スライダの当接面よりも水平方向外側の位置に回転中心を有しており、回転中心から当接面までの水平方向の距離に対して、回転中心からの距離が長い部位と短い部位とで外周面が形成されている回転部材、及び回転部材を回転させる落下モータを備えており、遊技領域内の上部において、一つの落下モータの駆動により回転部材を回転させることでスライダを回転部材の回転範囲の高さよりも低い所定高さ範囲内で上下に揺動させると共に所定高さ範囲内よりも下方へ自由落下させることが可能な揺動落下機構と、上下に延びているラックギアを有しており上端がスライダの下端と当接可能で昇降可能なラック部材、ラック部材のラックギアと噛合するピニオンギア、及びピニオンギアを回転駆動させる復帰モータを備えており、ラック部材を上昇させることで揺動落下機構により自由落下したスライダを上昇させて揺動落下機構に支持させる復帰機構と、を備えるようにしたものである。
【００３２】
これにより、揺動落下機構の回転部材の外周面において、回転中心から当接面までの水平方向の距離よりも長い部位を、当接面の直下となるように回転部材を回転させた状態では、回転部材の外周面に対してスライダの当接面が上側から当接することができるため、回転部材の外周面によってスライダの下方への移動が規制され、スライダが落下することはない。この回転部材の外周面は、回転中心から長い部位と短い部位とを有していることから、回転部材の外周面は、回転中心に対して真円ではない。このことから、回転部材の外周面がスライダの当接面と当接する範囲内で回転部材を落下モータによって回転（回動）させると、回転部材の外周面においてスライダの当接面と当接する部位の高さが相対的に変化することとなり、当接面を介してスライダが上下にスライドすることとなる。従って、回転部材の外周面がスライダの当接面と当接する範囲内で、回転部材を往復回動させると、当接面を介してスライダ（装飾体）を、所定高さ範囲内で上下に揺動させることができる。
【００３３】
一方、回転部材の外周面において、回転中心から当接面までの水平方向の距離よりも短い部位を、当接面よりも水平方向外側となるように回転部材を回転させた状態では、回転部材の外周面に対してスライダの当接面が上側から当接することができないため、スライダが回転部材よりも下方へ移動することができ、スライダが揺動する所定高さ範囲内よりも下方へスライダを落下させることができる。
【００３４】
スライダを落下させた後には、復帰機構において、復帰モータによりピニオンギアを回転させることで、ピニオンギアと噛合するラックギアを有したラック部材を昇降させることができるため、スライダが落下した状態でラック部材を上昇させると、ラック部材の上端がスライダの下端に当接し、ラック部材と共にスライダを上昇させることができる。この復帰機構により、スライダの当接面が回転部材の外周面よりも上側へ位置するまでスライダを上昇させる。そして、復帰機構によりスライダを上昇させた状態のままで、回転部材の外周面が当接面の直下へ位置するように、回転部材を回動させる。その後、復帰機構によりスライダを下降させることで、回転部材の外周面に当接面を当接させ、揺動落下機構にスライダが支持されて復帰した状態となる。
【００３５】
このように、スライダ（装飾体）を落下させる機構と、落下したスライダを上昇させる機構とを、別々の機構としているため、スライダが自由落下する距離（高さ）をより高くすることが可能となり、大きく落下する装飾体によって遊技者を大いに驚かせることができ、装飾体の動きによって遊技者を楽しませて興趣が低下するのを抑制することができる。
【００３６】
また、揺動落下機構によりスライダを介して装飾体を所定高さ範囲内で上下に揺動させることができるため、装飾体を落下させる前に、装飾体を揺動させることで、装飾体へ遊技者を注目させることができ、装飾体が落下する瞬間を遊技者に見せることができる。つまり、装飾体が落下する前に、装飾体がグラグラと揺動することで、遊技者に対して装飾体が落下するような予感を与えることが可能となり、グラグラしている装飾体がいつ落下するか否かで遊技者をワクワク・ドキドキさせることができ、遊技者の期待感を高めさせることができる。そして、装飾体が落下すると、遊技者に対して何か良いことがあるのではないかと思わせることができ、ここでも遊技者の遊技に対する期待感を高めさせることができる。従って、遊技者に装飾体の落下演出を十分に楽しませることができ、遊技に対する興趣が低下するのを抑制することができる。
【００３７】
更に、揺動落下機構では、外周面の部位によって回転中心からの距離が異なる回転部材の外周面に、スライダの当接面を当接させて、上下に揺動させるようにしているため、外周面の形状を適宜選択することで、スライダ（装飾体）の上下の揺動を正弦波とは異なる波形で揺動させることができる。これにより、装飾体の揺動にリアルさを付与することができるため、遊技者に装飾体の揺動（動き）を楽しませることができると共に飽き難くすることができ、遊技者の遊技に対する興趣が低下するのを抑制することができる。
【００３８】
手段５：手段１から手段４の何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００３９】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００４０】
手段５の構成によると、パチンコ機において、上述した手段のいずれかの作用効果を奏することができる。
【００４１】
手段６：手段１から手段４までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００４２】
手段６の構成によると、パチスロ機において、上述した手段のいずれかの作用効果を奏することができる。
【００４３】
手段７：手段１から手段４までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００４４】
手段７の構成によると、パチンコ機とパチスロ機とを融合させてなる遊技機において、上述した手段のいずれかの作用効果を奏することができる。
【発明の効果】
【００４５】
このように、本発明によれば、興趣が低下するのを抑制することが可能な遊技機を提供することができる。
【図面の簡単な説明】
【００４６】
【図１】本発明の一実施形態であるパチンコ機の正面図である。
【図２】パチンコ機の右側面図である。
【図３】パチンコ機の平面図である。
【図４】パチンコ機の背面図である。
【図５】パチンコ機を前から見た斜視図である。
【図６】パチンコ機を後ろから見た斜視図である。
【図７】本体枠から扉枠を開放させると共に、外枠から本体枠を開放させた状態で前から見たパチンコ機の斜視図である。
【図８】パチンコ機を扉枠、遊技盤、本体枠、及び外枠に分解して前から見た分解斜視図である。
【図９】パチンコ機を扉枠、遊技盤、本体枠、及び外枠に分解して後ろから見た分解斜視図である。
【図１０】パチンコ機における扉枠の正面図である。
【図１１】扉枠の背面図である。
【図１２】扉枠を右前から見た斜視図である。
【図１３】扉枠を左前から見た斜視図である。
【図１４】扉枠を後ろから見た斜視図である。
【図１５】扉枠を主な部材毎に分解して前から見た分解斜視図である。
【図１６】扉枠を主な部材毎に分解して後ろから見た分解斜視図である。
【図１７】扉枠の皿ユニットを前から見た斜視図である。
【図１８】皿ユニットを後ろから見た斜視図である。
【図１９】皿ユニットを主な部材毎に分解して前から見た分解斜視図である。
【図２０】皿ユニットを主な部材毎に分解して後ろから見た分解斜視図である。
【図２１】皿ユニットの演出操作ユニットを前から見た斜視図である。
【図２２】演出操作ユニットを後ろから見た斜視図である。
【図２３】演出操作ユニットを主な部材毎に分解して上から見た斜視図である。
【図２４】演出操作ユニットを主な部材毎に分解して下から見た分解斜視図である。
【図２５】演出操作ユニットの取付ベースユニットを分解して上から見た分解斜視図である。
【図２６】取付ベースユニットを分解して下から見た分解斜視図である。
【図２７】演出操作ユニットのタッチユニットを分解して上から見た分解斜視図である。
【図２８】タッチユニットを分解して下から見た分解斜視図である。
【図２９】演出操作ユニットのボタンユニットを分解して上から見た分解斜視図である。
【図３０】ボタンユニットを分解して下から見た分解斜視図である。
【図３１】皿ユニットの平面図である。
【図３２】図３１におけるＡーＡ断面において演出操作ユニットの部位を拡大して示す断面図である。
【図３３】図３１におけるＢ−Ｂ断面において演出操作ユニットの部位を拡大して示す断面図である。
【図３４】（ａ）は皿ユニットの扉右下演出ユニットの正面図であり、（ｂ）は扉右下演出ユニットの右側面図である。
【図３５】扉右下演出ユニットを前から見た斜視図である。
【図３６】扉右下演出ユニットを後ろから見た斜視図である。
【図３７】図３４（ｂ）の扉右下演出ユニットにおけるＣ−Ｃ断面図である。
【図３８】扉右下演出ユニットを分解して前から見た分解斜視図である。
【図３９】扉右下演出ユニットを分解して後ろから見た分解斜視図である。
【図４０】扉右下演出ユニットの回転体内部ユニットを分解して前から見た分解斜視図である。
【図４１】回転体内部ユニットを分解して後ろから見た分解斜視図である。
【図４２】（ａ）は扉右下演出ユニットの扉右下回転体が前を向いた状態の正面図であり、（ｂ）は扉右下回転体が後ろを向いた状態の正面図である。
【図４３】（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。
【図４４】上皿球抜きユニットを分解して前から見た分解斜視図である。
【図４５】上皿球抜きユニットを分解して後ろから見た分解斜視図である。
【図４６】（ａ）は皿ユニットの下皿球抜きユニットを前から見た斜視図であり、（ｂ）は下皿球抜きユニットを後ろから見た斜視図である。
【図４７】遊技盤の正面図である。
【図４８】遊技盤を前から見た斜視図である。
【図４９】遊技盤を後ろから見た斜視図である。
【図５０】遊技領域内における遊技球の流通可能な領域を示す説明図である。
【図５１】（ａ）は図５０において遊技盤の右端付近を拡大して示す説明図であり、（ｂ）はセンター役物の右側面において遊技パネルの前面よりも前側のみを示す説明図である。
【図５２】（ａ）は遊技盤の裏ユニットにおける落下演出ユニットを前から見た斜視図であり、（ｂ）は落下演出ユニットを後ろから見た斜視図である。
【図５３】落下演出ユニットを分解して前から見た分解斜視図である。
【図５４】落下演出ユニットを分解して後ろから見た分解斜視図である。
【図５５】（ａ）は落下演出ユニットの構成を概略で示し落下装飾体が上昇している通常の状態を示す説明図であり、（ｂ）は落下装飾体が上下に揺動している状態を示す説明図である。
【図５６】（ｃ）は落下装飾体が落下した状態を示す説明図であり、（ｄ）は落下した落下装飾体を通常の状態へ上昇させている状態を示す説明図である。
【図５７】落下演出ユニットの落下装飾体が落下した状態を示す遊技盤の正面図である。
【図５８】落下演出ユニットの落下装飾体が落下した後に上演出ユニットの上装飾体が下方へ回動した状態を示す遊技盤の正面図である。
【図５９】シャッター演出ユニットの上シャッターと下シャッターとが閉じた状態を示す遊技盤の正面図である。
【図６０】左演出ユニットの左装飾体が右方へ回動していると共に、右演出ユニットの右装飾体が左方へ移動している状態を示す遊技盤の正面図である。
【発明を実施するための形態】
【００４７】
［１．パチンコ機の全体構造］
本発明の一実施形態であるパチンコ機１について、図面を参照して詳細に説明する。まず、図１乃至図９を参照して本実施形態のパチンコ機１の全体構成について説明する。図１は本発明の一実施形態であるパチンコ機の正面図である。図２はパチンコ機の右側面図であり、図３はパチンコ機の平面図であり、図４はパチンコ機の背面図である。図５はパチンコ機を前から見た斜視図であり、図６はパチンコ機を後ろから見た斜視図である。図７は本体枠から扉枠を開放させると共に、外枠から本体枠を開放させた状態で前から見たパチンコ機の斜視図である。図８はパチンコ機を扉枠、遊技盤、本体枠、及び外枠に分解して前から見た分解斜視図であり、図９はパチンコ機を扉枠、遊技盤、本体枠、及び外枠に分解して後ろから見た分解斜視図である。
【００４８】
本実施形態のパチンコ機１は、遊技ホールの島設備（図示しない）に設置される枠状の外枠２と、外枠２の前面を開閉可能に閉鎖する扉枠３と、扉枠３を開閉可能に支持していると共に外枠２に開閉可能に取付けられている本体枠４と、本体枠４に前側から着脱可能に取付けられると共に扉枠３を通して遊技者側から視認可能とされ遊技者によって遊技球が打込まれる遊技領域５ａを有した遊技盤５と、を備えている。
【００４９】
パチンコ機１の外枠２は、図８及び図９等に示すように、上下に離間しており左右に延びている上枠部材１０及び下枠部材２０と、上枠部材１０及び下枠部材２０の両端同士を連結しており上下に延びている左枠部材３０及び右枠部材４０と、を備えている。上枠部材１０、下枠部材２０、左枠部材３０、及び右枠部材４０は、前後の幅が同じ幅に形成されている。また、上枠部材１０及び下枠部材２０の左右の長さに対して、左枠部材３０及び右枠部材４０の上下の長さが、長く形成されている。
【００５０】
また、外枠２は、左枠部材３０及び右枠部材４０の下端同士を連結し下枠部材２０の前側に取付けられる幕板部材５０と、上枠部材１０の正面視左端部側に取付けられている外枠側上ヒンジ部材６０と、幕板部材５０の正面視左端側上部と左枠部材３０とに取付けられている外枠側下ヒンジ部材７０と、を備えている。外枠２の外枠側上ヒンジ部材６０と外枠側下ヒンジ部材７０とによって、本体枠４及び扉枠３が開閉可能に取付けられている。
【００５１】
パチンコ機１の扉枠３は、正面視の外形が四角形で前後に貫通している貫通口１１１を有した枠状の扉枠ベースユニット１００と、扉枠ベースユニット１００の前面下部に取付けられ遊技球を貯留可能な上皿２０１及び下皿２０２を有した皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられ上皿２０１に貯留された遊技球を遊技盤５の遊技領域内へ打込むために遊技者が操作可能なハンドルユニット５００と、扉枠ベースユニット１００の後面下部に取付けられ遊技領域内へ打ち損じた遊技球を受けて皿ユニット２００の下皿２０２へ排出するファールカバーユニット５２０と、扉枠ベースユニット１００の後面下部に取付けられ上皿２０１の遊技球を球発射装置６８０へ送るための球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００５２】
パチンコ機１の本体枠４は、一部が外枠２の枠内に挿入可能とされると共に遊技盤５の外周を支持可能とされた枠状の本体枠ベース６００と、本体枠ベース６００の正面視左側の上下両端に取付けられ外枠２の外枠側上ヒンジ部材６０及び外枠側下ヒンジ部材７０に夫々回転可能に取付けられると共に扉枠３の扉枠側上ヒンジ部材１４０及び扉枠側下ヒンジ部材１５０が夫々回転可能に取付けられる本体枠側上ヒンジ部材６２０及び本体枠側下ヒンジ部材６４０と、本体枠ベース６００の正面視左側面に取付けられる補強フレーム６６０と、本体枠ベース６００の前面下部に取付けられており遊技盤５の遊技領域５ａ内に遊技球を打込むための球発射装置６８０と、本体枠ベースの正面視右側面に取付けられており外枠２と本体枠４、及び扉枠３と本体枠４の間を施錠する施錠ユニット７００と、本体枠ベース６００の正面視上辺及び左辺に沿って後側に取付けられており遊技者側へ遊技球を払出す逆Ｌ字状の払出ユニット８００と、本体枠ベース６００の後面下部に取付けられている基板ユニット９００と、本体枠ベース６００の後側に開閉可能に取付けられ本体枠ベース６００に取付けられた遊技盤５の後側を覆う裏カバー９８０と、を備えている。
【００５３】
本体枠４の払出ユニット８００は、本体枠ベース６００の後側に取付けられる逆Ｌ字状の払出ユニットベース８０１と、払出ユニットベース８０１の上部に取付けられており上方へ開放された左右に延びた箱状で図示しない島設備から供給される遊技球を貯留する球タンク８０２と、球タンク８０２の下側で払出ユニットベース８０１に取付けられており球タンク８０２内の遊技球を正面視左方向へ誘導する左右に延びたタンクレール８０３と、払出ユニットベース８０１における正面視左側上部の後面に取付けられタンクレール８０３からの遊技球を蛇行状に下方へ誘導する球誘導ユニット８２０と、球誘導ユニット８２０の下側で払出ユニットベース８０１から着脱可能に取付けられており球誘導ユニット８２０により誘導された遊技球を払出制御基板ボックス９５０に収容された払出制御基板からの指示に基づいて一つずつ払出す払出装置８３０と、払出ユニットベース８０１の後面に取付けられ払出装置８３０によって払出された遊技球を下方へ誘導すると共に皿ユニット２００における上皿２０１での遊技球の貯留状態に応じて遊技球を通常放出口又は満タン放出口の何れかから放出させる上部満タン球経路ユニット８５０と、払出ユニットベース８０１の下端に取付けられ上部満タン球経路ユニット８５０の通常放出口から放出された遊技球を前方へ誘導して前端から扉枠３の貫通球通路５２６へ誘導する通常誘導路及び満タン放出口から放出された遊技球を前方へ誘導して前端から扉枠３の満タン球受口５３０へ誘導する満タン誘導路を有した下部満タン球経路ユニット８６０と、を備えている。
【００５４】
本体枠４の基板ユニット９００は、本体枠ベース６００の後側に取付けられる基板ユニットベース９１０と、基板ユニットベース９１０の正面視左側で本体枠ベース６００の後側に取付けられ内部に低音スピーカを有したスピーカユニット９２０と、基板ユニットベース９１０の後側で正面視右側に取付けられ内部に電源基板が収容されている電源基板ボックス９３０と、スピーカユニット９２０の後側に取付けられており内部にインターフェイス制御基板が収容されているインターフェイス制御基板ボックス９４０と、電源基板ボックス９３０及びインターフェイス制御基板ボックス９４０に跨って取付けられており内部に遊技球の払出しを制御する払出制御基板が収容された払出制御基板ボックス９５０と、を備えている。
【００５５】
パチンコ機１の遊技盤５は、図８及び図９等に示すように、遊技球が打込まれる遊技領域５ａの外周を区画し球発射装置６８０から発射された遊技球を遊技領域５ａの上部に案内する外レール１００１及び内レール１００２を有した前構成部材１０００と、前構成部材１０００の後側に取付けられると共に遊技領域５ａの後端を区画する平板状の遊技パネル１１００と、遊技パネル１１００の後側の下部に取付けられており上方に開放された箱状の基板ホルダ１２００と、基板ホルダ１２００の後側に取付けられておりパチンコ機１の遊技を制御するための主制御基板を内部に収容した主制御基板ボックス１３００と、遊技パネル１１００の前側で遊技領域５ａ内に取付けられ遊技領域５ａ内に打込まれた遊技球を受入可能な複数の入賞口を有した表ユニット２０００と、基板ボックス１２００の上側で遊技パネル１１００の後側に取付けられ遊技パネル１１００を通して遊技者側から視認可能な中央液晶表示装置１５００と、中央液晶表示装置１５００を遊技パネル１１００の後側に取付けている裏ユニット３０００と、を備えている。
【００５６】
本実施形態のパチンコ機１は、上皿２０１に遊技球を貯留した状態で、遊技者がハンドルレバー５０４を回転操作すると、球発射装置６８０によってハンドルレバー５０４の回転角度に応じた強さで遊技球が遊技盤５の遊技領域５ａ内へ打込まれる。そして、遊技領域５ａ内に打込まれた遊技球が、図示しない入賞口に受入れられると、受入れられた入賞口に応じて、所定数の遊技球が払出装置８３０によって上皿２０１に払出される。この遊技球の払出しによって遊技者の興趣を高めることができるため、上皿２０１内の遊技球を遊技領域５ａ内へ打込ませることができ、遊技者に遊技を楽しませることができる。
【００５７】
［２．扉枠の全体構成］
パチンコ機１の扉枠３について、図１０乃至図１６を参照して説明する。図１０はパチンコ機における扉枠の正面図であり、図１１は扉枠の背面図である。図１２は扉枠を右前から見た斜視図であり、図１３は扉枠を左前から見た斜視図であり、図１４は扉枠を後ろから見た斜視図である。図１５は扉枠を主な部材毎に分解して前から見た分解斜視図であり、図１６は扉枠を主な部材毎に分解して後ろから見た分解斜視図である。
【００５８】
扉枠３は、正面視の外形が四角形で枠状の扉枠ベースユニット１００と、扉枠ベースユニット１００の前面下部に取付けられる皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられるハンドルユニット５００と、を備えている。
【００５９】
また、扉枠３は、扉枠ベースユニット１００の後面下部に取付けられるファールカバーユニット５２０と、扉枠ベースユニット１００の後面下部に取付けられる球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００６０】
扉枠３の扉枠ベースユニット１００は、図１５及び図１６に等に示すように、外形が縦長の長方形で前後に貫通している貫通口１１１を有した板状の扉枠ベース１１０と、扉枠ベース１１０の前面で正面視右下隅に取付けられておりハンドルユニット５００を取付けるための筒状のハンドル取付部材１２０と、扉枠ベース１１０の後側に取付けられている枠状の補強ユニット１３０と、補強ユニット１３０の正面視左端側の上下両端に取付けられており前方へ突出して本体枠４の本体枠側上ヒンジ部材６２０及び本体枠側下ヒンジ部材６４０に回転可能に取付けられる扉枠側上ヒンジ部材１４０及び扉枠側下ヒンジ部材１５０と、扉枠ベース１１０の後側に回動可能に取付けられておりガラスユニット５６０を着脱可能に取付けるためのガラスユニット取付部材１６０と、を備えている。
【００６１】
扉枠３の皿ユニット２００は、詳細は後述するが、上下に列設されており前方へ膨出しており遊技球を貯留可能な上皿２０１及び下皿２０２と、上皿２０１及び下皿２０２が取付けられていると共に扉枠ベースユニット１００の前面に取付けられる板状の皿ユニットベース２１０と、上皿２０１の前側で皿ユニットベース２１０に取付けられ画像を表示可能な上皿液晶表示装置２４４、遊技者が操作可能なタッチパネル２４６及び上皿演出ボタン２５７を有している演出操作ユニット２２０と、上皿２０１及び下皿２０２を前側から覆う皿ユニットカバー２６０と、正面視上皿２０１の右側に配置されており遊技状態に応じて回転する扉右下回転体２７０Ａを有している扉右下演出ユニット２７０と、扉右下演出ユニット２７０を前側から覆う透明な演出ユニットカバー３００と、上皿２０１に貯留されている遊技球を下皿２０２へ抜くための上皿球抜きユニット３１０と、下皿２０２に貯留されている遊技球を下方へ抜くための下皿球抜きユニット３２０と、遊技ホールの島設備においてパチンコ機１と隣接して配置される球貸機（図示は省略する。ＣＲユニットとも称す）を操作するための球貸操作ユニット３３０と、皿ユニットベース２１０の上部に取付けられており発光装飾可能な上皿トップ装飾部材３４０と、を主に備えている。
【００６２】
扉枠３のトップユニット３５０は、図１５及び図１６等に示すように、扉枠ベースユニット１００の前面において上辺に沿って取付けられる一部が透光性を有したユニットベース３６０と、ユニットベース３６０の前面で左右の中央に取付けられており前方へ膨出している透光性を有したトップ装飾部材３７０と、トップ装飾部材３７０内に取付けられており高音域のサウンドを出力するトップスピーカ（図示は省略）と、ユニットベース３６０の後側に取付けられており前面に複数のＬＥＤが取付けられている扉枠上装飾基板３８０と、を備えている。
【００６３】
扉枠３の左サイドユニット４００は、図１５及び図１６等に示すように、扉枠ベースユニット１００の前面で貫通口１１１の左側外周縁に沿って取付けられる平板状のユニットベース４１０と、ユニットベース４１０の前面に取付けられており上端がトップユニット３５０のトップ装飾部材３７０の左端まで延びている透光性を有した左サイド装飾部材４２０と、左サイド装飾部材４２０の前側で正面視扉枠３の左上隅となる位置に取付けられており左スピーカ（図示は省略）を有した左スピーカユニット４３０と、ユニットベース４１０の後側に取付けられており前面に複数のＬＥＤが取付けられた扉枠左装飾基板４４０と、を備えている。
【００６４】
扉枠３の右サイドユニット４５０は、図１５及び図１６等に示すように、扉枠ベースユニット１００の前面で貫通口１１１の右側外周縁に沿って取付けられる平板状のユニットベース４６０と、ユニットベース４６０の前側に取付けられており上端がトップユニット３５０のトップ装飾部材３７０の右端まで延びている透光性を有した右サイド装飾部材４７０と、右サイド装飾部材４７０の前面で正面視扉枠３の右上隅となる位置に取付けられており右スピーカ（図示は省略）を有した右スピーカユニット４８０と、ユニットベース４６０と右サイド装飾部材４７０との間に取付けられており前面に複数のＬＥＤが取付けられた扉枠右装飾基板（図示は省略）と、を備えている。
【００６５】
扉枠３のハンドルユニット５００は、図１５及び図１６等に示すように、扉枠ベースユニット１００のハンドル取付部材１２０に取付けられるハンドル本体５０２と、ハンドル本体５０２に回動可能に取付けられており遊技者が回動操作可能なハンドルレバー５０４と、ハンドルレバー５０４の前側からハンドル本体５０２に取付けられておりハンドル本体５０２と協働してハンドルレバー５０４を回動可能に支持しているハンドルカバー５０６と、を備えている。また、ハンドルユニット５００は、図示は省略するが、ハンドル本体５０２内に取付けられておりハンドルレバー５０４の回転角度を検知するハンドル操作センサと、ハンドル本体５０２に取付けられており遊技者が操作可能なストップボタンと、ハンドル本体５０２内に取付けられており遊技者とハンドルレバー５０４との接触を検知する接触検知センサと、を備えている。
【００６６】
扉枠３のファールカバーユニット５２０は、図１５及び図１６等に示すように、扉枠ベースユニット１００の後側に取付けられ前側が開放された浅い箱状のユニット本体５２２と、ユニット本体５２２の前面に取付けられている平板状の蓋部材５２４と、を主に備えている。ファールカバーユニット５２０は、正面視左上隅において前後に貫通しており本体枠４の下部満タン球経路ユニット８６０の通常誘導路と皿ユニット２００の上皿球供給口２１０ａとを連通させる貫通球通路５２６と、貫通球通路５２６の正面視右側で後方へ向かって開口しており本体枠４の下部満タン球経路ユニット８６０の満タン誘導路と連通可能な満タン球受口５２８と、満タン球受口５２８の正面視右側で上方へ向かって開口しており本体枠４の球発射装置６８０により発射されにも関わらず遊技領域５ａ内へ到達しなかった遊技球（ファール球）を受けるファール球受口５３０と、正面視右下隅で前方へ向かって開口しており満タン球受口５２８及びファール球受口５３０に受入れられた遊技球を放出すると共に皿ユニット２００の下皿球供給口２１０ｃと連通する球放出口５３２と、を備えている。
【００６７】
扉枠３の球送りユニット５４０は、図１５及び図１６等に示すように、左右に延びており後側が開放された箱状のユニット本体５４２と、ユニット本体５４２の後側に取付けられており前側が開放された箱状でファールカバーユニット５２０の正面視右側で扉枠ベースユニット１００の後側に着脱可能に取付けられるユニットカバー５４４と、前方へ向かって開口しており皿ユニット２００の上皿２０１に貯留されている遊技球が進入する球進入口５４６と、球進入口５４６に進入した遊技球を放出可能とされており後方へ向かって開口している球放出口５４８と、球進入口５４６に進入した遊技球を排出可能とされており球進入口５４６の下側で前方へ向かって開口している球排出口５５０と、を備えている。また、球送りユニット５４０は、図示は省略するが、球進入口５４６から進入した遊技球を一つずつ球放出口５４８から放出させるための球送りソレノイドと、球進入口５４６から進入した遊技球を球放出口５４８側又は球排出口５５０側の何れかに切換える切換機構と、を備えている。
【００６８】
扉枠３のガラスユニット５６０は、図１５及び図１６等に示すように、扉枠ベースユニット１００の貫通口１１１よりも大きい枠状のユニット枠５６２と、ユニット枠５６２の前後両側に取付けられておりユニット枠５６２の枠内を閉鎖する一対のガラス板５６４と、を備えている。
【００６９】
［２−１．皿ユニットの全体構成］
扉枠３の皿ユニット２００について、図１７乃至図３３を参照して詳細に説明する。図１７は扉枠の皿ユニットを前から見た斜視図であり、図１８は皿ユニットを後ろから見た斜視図である。図１９は皿ユニットを主な部材毎に分解して前から見た分解斜視図であり、図２０は皿ユニットを主な部材毎に分解して後ろから見た分解斜視図である。図２１は皿ユニットの演出操作ユニットを前から見た斜視図であり、図２２は演出操作ユニットを後ろから見た斜視図である。図２３は演出操作ユニットを主な部材毎に分解して上から見た斜視図であり、図２４は演出操作ユニットを主な部材毎に分解して下から見た分解斜視図である。図２５は演出操作ユニットの取付ベースユニットを分解して上から見た分解斜視図であり、図２６は取付ベースユニットを分解して下から見た分解斜視図である。
【００７０】
また、図２７は演出操作ユニットのタッチユニットを分解して上から見た分解斜視図であり、図２８はタッチユニットを分解して下から見た分解斜視図である。図２９は演出操作ユニットのボタンユニットを分解して上から見た分解斜視図であり、図３０はボタンユニットを分解して下から見た分解斜視図である。図３１は皿ユニットの平面図であり、図３２は図３１におけるＡーＡ断面において演出操作ユニットの部位を拡大して示す断面図であり、図３３は図３１におけるＢ−Ｂ断面において演出操作ユニットの部位を拡大して示す断面図である。
【００７１】
更に、図３４（ａ）は皿ユニットの扉右下演出ユニットの正面図であり、（ｂ）は扉右下演出ユニットの右側面図であり、図３５は扉右下演出ユニットを前から見た斜視図であり、図３６は扉右下演出ユニットを後ろから見た斜視図である。図３７は、図３４（ｂ）の扉右下演出ユニットにおけるＣ−Ｃ断面図である。図３８は扉右下演出ユニットを分解して前から見た分解斜視図であり、図３９は扉右下演出ユニットを分解して後ろから見た分解斜視図である。図４０は扉右下演出ユニットの回転体内部ユニットを分解して前から見た分解斜視図であり、図４１は回転体内部ユニットを分解して後ろから見た分解斜視図である。図４２（ａ）は扉右下演出ユニットの扉右下回転体が前を向いた状態の正面図であり、（ｂ）は扉右下回転体が後ろを向いた状態の正面図である。
【００７２】
また、図４３（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。図４４は上皿球抜きユニットを分解して前から見た分解斜視図であり、図４５は上皿球抜きユニットを分解して後ろから見た分解斜視図である。また、図４６（ａ）は皿ユニットの下皿球抜きユニットを前から見た斜視図であり、（ｂ）下皿球抜きユニットを分解して前から見た分解斜視図である。
【００７３】
皿ユニット２００は、扉枠ベースユニット１００から前方へ膨出している。この皿ユニット２００は、払出装置８３０から払出され遊技領域５ａ内に打込むための遊技球を貯留する上皿２０１と、上皿２０１の下側に配置されており上皿２０１から供給される遊技球を貯留可能な下皿２０２と、を備えている。また、皿ユニット２００は、扉枠ベースユニット１００に取付けられる平板状の皿ユニットベース２１０と、皿ユニットベース２１０の前面上部に取付けられると共に左右中央より左側が前方へ大きく膨出しており上皿２０１を形成している上皿本体２１２と、皿ユニットベース２１０の前面下部で左右中央に取付けられると共に前方へ大きく膨出しており下皿２０２を形成している下皿本体２１４と、を備えている。
【００７４】
また、皿ユニット２００は、上皿本体２１２の前側及び皿ユニットベース２１０の前面に取付けられる演出操作ユニット２２０と、上皿本体２１２、下皿本体２１４、及び演出操作ユニットの前側及び下側を覆い皿ユニットベース２１０の前面に取付けられる皿ユニットカバー２６０と、演出操作ユニット２２０の右側に配置されており皿ユニットベース２１０の前面右部に取付けられる扉右下演出ユニット２７０と、扉右下演出ユニット２７０の前側を覆い皿ユニットベース２１０の前面に取付けられる演出ユニットカバー３００と、皿ユニットベース２１０を前後から挟むように取付けられており上皿本体２１２の上皿２０１内に貯留されている遊技球を下皿２０２へ抜き取るための上皿球抜きユニット３１０と、下皿本体２１４の下側に取付けられており下皿２０２に貯留されている遊技球を下方へ排出するための下皿球抜きユニット３２０と、を備えている。
【００７５】
更に、皿ユニット２００は、演出操作ユニット２２０の上面に取付けられており遊技ホールの島設備においてパチンコ機１と隣接して配置される球貸機を操作するための球貸操作ユニット３３０と、皿ユニットベース２１０の上部に取付けられており発光装飾可能な上皿トップ装飾部材３４０と、皿ユニットカバー２６０の後側で皿ユニットベース２１０の前面左側に取付けられており前方へ向かって光を照射可能な複数のＬＥＤを備えている皿ユニット左装飾基板３４５と、演出ユニットカバー３００の後側且つ扉右下演出ユニット２７０の下側で皿ユニットベース２１０の前面右側に取付けられており前方へ向かって光を照射可能な複数のＬＥＤを備えている皿ユニット右装飾基板３４６と、皿ユニットベース２１０の後側に取付けられており後述する上皿前装飾基板２３３、上皿後装飾基板２３５、上皿液晶基板２４１、加振装置２４２、タッチパネル２４６、演出ボタン装飾基板２５１、演出ボタン押圧センサ２５８、扉右下中継基板２８１、皿ユニット左装飾基板３４５、及び皿ユニット右装飾基板３４６と遊技盤５の図示しない周辺制御基板との接続を中継する皿ユニット中継基板３４７と、を備えている。
【００７６】
［２−１ａ．皿ユニットベース］
皿ユニット２００の皿ユニットベース２１０は、図１９及び図２０に示すように、扉枠ベースユニット１００の全幅に亘って左右に長く延びている。皿ユニットベース２１０は、正面視左上隅付近で前後に貫通していると共に後方へ筒状に延びている上皿球供給口２１０ａと、上皿球供給口２１０ａの下側で前後に貫通していると共に上下に延びている複数の長穴からなるスピーカスリット２１０ｂと、正面視左右中央の下部において前後に貫通していると共に後方へ筒状に延びている下皿球供給口２１０ｃと、下皿球供給口２１０ｃの正面視右上側で前後に貫通していると共に上下に延びており上部が上皿本体２１２の右端に位置する上皿球送り口２１０ｄと、を備えている。
【００７７】
また、皿ユニットベース２１０は、上皿球送り口２１０ｄの正面視左側で前後に貫通している内周が四角形の透口２１０ｅと、透口２１０ｅの下辺から前方へ板状に突出している受片２１０ｆと、上皿球送り口２１０ｄの正面視右上側で前後に貫通している逃し口２１０ｇと、正面視右下隅で前後に貫通しており扉枠ベースユニット１００のハンドル取付部材１２０が挿通されるハンドル挿通口２１０ｈと、正面視右隅付近で前後に貫通しており施錠ユニット７００の鍵シリンダ７１０が挿通されるシリンダ挿通口２１０ｉと、筒状の下皿球供給口２１０ｃの正面視右側の側面において後端から前方へ向かって切欠かれている切欠部２１０ｊと、を備えている。
【００７８】
［２−１ｂ．上皿本体］
皿ユニット２００の上皿本体２１２は、図１９及び図２０に示すように、正面視左右の中央より左側の方が大きく前方へ膨出しており、上方及び後方へ開放された容器状に形成されている。上皿本体２１２は、正面視右端側に左方及び後方へのみ開放されており遊技球が流通可能な誘導通路部２１２ａを備えている。この上皿本体２１２は、底面が全体的に右端が低くなるように傾斜している。詳述すると、上皿本体２１２を皿ユニットベース２１０に取付けた状態で、上皿本体２１２の底面が、上皿球供給口２１０ａの下側の位置から上皿球送り口２１０ｄの上端から遊技球の外径よりも若干下側の位置へ向かって低くなるように傾斜している。これにより、上皿球供給口２１０ａから前方へ放出された遊技球を、上皿本体２１２内に受けて貯留することができると共に、受けた遊技球を誘導通路部２１２ａの右端側から上皿球送り口２１０ｄへ供給することができる。
【００７９】
また、上皿本体２１２は、底面の後端側で左右の中央から右端付近まで延びている金属製のアース金具２１２ｂを備えている。このアース金具２１２ｂは、図示は省略するが、電気的に接地（アース）されており、遊技球が接触することで、遊技球に帯電した静電気を除去することができる。
【００８０】
［２−１ｃ．下皿本体］
皿ユニット２００の下皿本体２１４は、図１９及び図２０に示すように、前端辺に対して後端辺が長い平面視台形で、上方及び後方が開放された容器状に形成されている。下皿本体２１４は、底面に上下に貫通しており下皿球抜きユニット３２０によって閉鎖可能とされている球抜き孔２１４ａを備えており、球抜き孔２１４ａへ向かって低くなるように底面が傾斜している。この下皿本体２１４は、皿ユニットベース２１０の下皿球供給口２１０ｃから前方へ放出された遊技球を受けて貯留することができると共に、球抜き孔２１４ａから遊技球を皿ユニット２００の下方へ排出することができる。
【００８１】
［２−１ｄ．演出操作ユニットの全体構成］
皿ユニット２００の演出操作ユニット２２０は、図２１乃至図２４に示すように、正面視左右の中央で皿ユニットベース２１０及び上皿本体２１２に取付けられる取付ベースユニット２２０Ａと、取付ベースユニット２２０Ａに取付けられるタッチユニット２２０Ｂと、タッチユニット２２０Ｂの正面視左側で取付ベースユニット２２０Ａに取付けられるボタンユニット２２０Ｃと、タッチユニット２２０Ｂと取付ベースユニット２２０Ａとの間に介装される円筒状の複数のダンパ２２２と、タッチユニット２２０Ｂ及びボタンユニット２２０Ｃの外周を上側から覆うように取付ベースユニット２２０Ａに取付けられるユニットカバー２２４と、取付ベースユニット２２０Ａの正面視右端に取付けられる装飾部材２２６と、を備えている。
【００８２】
演出操作ユニット２２０のダンパ２２２は、円筒状に形成されており、外周面における軸方向の中央に溝２２２ａが全周に亘って形成されている。本実施形態におけるダンパ２２２は、合成ゴムによって形成されている。複数のダンパ２２２によって、タッチユニット２２０Ｂが叩かれた時の衝撃を緩和させて取付ベースユニット２２０や皿ユニットベース２１０側へ作用する負荷（衝撃）を低減させることができると共に、タッチユニット２２０Ｂの後述する加振装置２４２による振動が、取付ベースユニット２２０や皿ユニットベース２１０側へ伝達されるのを低減させることができる。
【００８３】
［２−１ｄ−１．取付ベースユニット］
演出操作ユニット２２０の取付ベースユニット２２０Ａは、図２３乃至図２６に示すように、皿ユニットベース２１０の前面に取付けられ上方が開放された浅い箱状の取付ベース２３０と、取付ベース２３０の上側に取付けられると共に後端が上皿本体２１２の前端に取付けられ上側からタッチユニット２００Ｂを収容可能な上方が開放された浅い箱状のユニットケース２３１と、ユニットケース２３１の前端に取付けられる横長の上皿前レンズ部材２３２と、上皿前レンズ部材２３２とユニットケース２３１との間に配置され前面に複数のＬＥＤを備えた上皿前装飾基板２３３と、上皿前レンズ部材２３２の前側を覆いユニットカバー２２４に取付けられる透光性を有した上皿前装飾部材２３４と、を備えている。
【００８４】
また、取付ベースユニット２２０Ａは、ユニットケース２３１の後端に取付けられており上方へ向かって光を照射可能な複数のＬＥＤを備えた上皿後装飾基板２３５と、上皿後装飾基板２３５の上側に配置されユニットカバー２２４に取付けられる透光性を有した上皿後装飾部材２３６と、上皿後装飾部材２３６の前側においてユニットカバー２２４とユニットケース２３１とによって挟持され上皿後装飾基板２３５からの光を導いて上端が線状に発光可能な線状発光レンズ部材２３７と、上皿後装飾部材２３６の正面視右側でユニットカバー２２４に取付けられる筒状のボタン取付部材２３８と、ボタン取付部材２３８によって上下にスライド可能に取付けられる上皿球抜きボタン２３９と、を備えている。
【００８５】
取付ベース２３０は、前後の略中央から前側に、前方へ向かうに従って低くなるように傾斜している平板状の取付側受部２３０ａと、取付側受部２３０ａを貫通しており左右に離間した二つの貫通口２３０ｂと、貫通口２３０ｂの周縁から下方へ延出している筒状の筒状受部２３０ｃと、を備えている。貫通口２３０ｂは、内周が四角形に形成されている。筒状受部２３０ｃは、下方へ向かうに従って窄まるように角錐筒状に形成されている（図３３を参照）。詳述すると、筒状受部２３０ｃは、前側の内周壁が取付側受部２３０ａの面に対して略垂直に延びており、後側の内周壁が取付側受部２３０ａの面に対して下方へ向かうに従って前方へ向かうように傾斜して延びている。また、筒状受部２３０ｃは、左右両側の内周壁が取付側受部２３０ａの面の垂直に対して下端（先端）同士が僅かに接近するように傾斜して延びている。
【００８６】
ユニットケース２３１は、上方へ開放されておりタッチユニット２２０Ｂを収容可能な収容凹部２３１ａと、収容凹部２３１ａの底面の正面視左右両端付近から夫々前後に離間して一対ずつ上方へ円柱状に突出している横支持ピン２３１ｂと、収容凹部２３１ａの底面の前端付近から左右に離間して上方へ円柱状に突出している一対の前支持ピン２３１ｃと、収容凹部２３１ａにおいて底面の前後端側の左右中央から上方へ突出している中央支持突起２３１ｄと、収容凹部２３１ａの底面の下側から下方へ向かうに従って窄まるように角錐状に突出しており左右に離間した二つの受突部２３１ｅと、を備えている。
【００８７】
また、ユニットケース２３１は、収容凹部２３１ａよりも正面視左側で上下に円形に貫通しておりボタンユニット２２０Ｃの下部が挿通される挿通孔２３１ｆと、上面における挿通孔２３１ｆの周りに配置されておりボタンユニット２２０Ｃを取付けるためのボタンユニット取付部２３１ｇと、収容凹部２３１ａの後側の外周壁において左右に延びていると共に上端から下方へ窪み線状発光レンズ部材２３７の線状発光部２３７ｂが配置される切欠部２３１ｈと、を備えている。
【００８８】
ユニットケース２３１の収容凹部２３１ａは、平面視の形状が、左右に延びた四角形と、その四角形の左右両辺から外側へ突出した台形とを組合せた形状に形成されている。また、収容凹部２３１ａは、左右両側の台形の部位の底面に対して、四角形の部位の底面が、下方へ低く形成されている。この収容凹部２３１ａの底面の段差は、ダンパ２２２の高さ（軸方向の長さ）よりも若干低く形成されている。
【００８９】
四つの横支持ピン２３１ｂは、収容凹部２３１ａにおける台形の部位の底面から上方へ突出しており、筒状のダンパ２２２内へ挿入可能に形成されている。また、横支持ピン２３１ｂは、上端側に、上端側へ向かうに従って直径が小さくなる円錐台状のテーパ部２３１ｉを備えている（図３２を参照）。横支持ピン２３１ｂは、収容凹部２３１ａの底面からテーパ部２３１ｉの中間までの距離が、ダンパ２２２の長さと同じとされており、全体がダンパ２２２よりも長く形成されている。一対の前支持ピン２３１ｃは、筒状のダンパ２２２内へ挿入可能とされており、ダンパ２２２の半分の長さよりも若干長く形成されている。
【００９０】
中央支持突起２３１ｄの上端は、収容凹部２３１ａにおける台形の部位の底面と同じ高さまで突出している。受突部２３１ｅは、外周が四角形の円錐台状に形成されている。二つの受突部２３１ｅは、取付ベース２３０の二つの貫通口２３０ｂと対応した位置に形成されている。受突部２３１ｅは、前側の外周壁が収容凹部２３１ａの底面に対して略垂直に延びており、後側の外周壁が収容凹部２３１ａの底面に対して下方へ向かうに従って前方へ向かうように傾斜して延びている。また、受突部２３１ｅは、左右両側の外周壁が収容凹部２３１ａの面の垂直に対して下端（先端）同士が僅かに接近するように傾斜して延びている。受突部２３１ｅの外周壁の形状は、取付ベース２３０の筒状受部２３０ｃの内周壁の形状と対応している。この受突部２３１ｅは、組立てた状態で、下端が取付ベース２３１の貫通口２３０ａ内に挿入されると共に、筒状受部２３０ｃの内周壁との間に僅かな隙間が形成される。
【００９１】
上皿前装飾部材２３４は、皿ユニット２００が組立てられた状態で、前面が外部に露出する。上皿後装飾基板２３５は、上皿後装飾部材２３６を発光装飾させるための複数の装飾用ＬＥＤ２３５ａと、線状発光レンズ部材２３７を発光装飾させるための複数の周縁用ＬＥＤ２３５ｂと、を備えている。
【００９２】
線状発光レンズ部材２３７は、上皿後装飾部材２３６よりも左右が長く形成されており、上皿後装飾基板２３５の複数の周縁用ＬＥＤ２３５ｂの上側に配置される受光部２３７ａと、受光部２３７ａと連続しユニットケース２３１の切欠部２３１ｈに嵌め込まれる平板状の線状発光部２３７ｂと、を備えている。線状発光レンズ部材２３７は、線状発光部２３７ｂをユニットケース２３１の切欠部２３１ｈに嵌め込むことで、線状発光部２３７ａの前面が収容凹部２３１ａの内周壁の一部を形成する。また、線状発光レンズ部材２３７は、皿ユニット２００が組立てられた状態で、線状発光部２３７ｂの上端が外部に露出する。この線状発光レンズ部材２３７は、周縁用ＬＥＤ２３５ｂからの光を受光部２３７ａで受光することができ、受光部２３７ａで受光した光を線状発光部２３７ｂへ導光して線状発光部２３７ｂの上端全体を（線状に）発光させることができる。
【００９３】
上皿球抜きボタン２３９は、ボタン取付部材２３８によって上下にスライド可能に取付けられ、ボタン取付部材２３８よりも下方へ延出している延出片２３９ａを備えている。この上皿球抜きボタン２３９を下方へ押圧することで、上皿球抜きユニット３１０を動作させて上皿２０１内に貯留されている遊技球を、上皿２０１から下皿２０２へ排出する（抜く）ことができる。
【００９４】
取付ベースユニット２２０Ａは、四つの横支持ピン２３１ｂと二つの前支持ピン２３１ｃに夫々挿入されたダンパ２２２によって、タッチユニット２２０Ｂを弾性的に支持することができる。また、タッチユニット２２０Ｂが取付けられるユニットケース２３１の下方へ突出している二つの受突部２３１ｅの外周面と、ユニットケース２３１の下側で受突部２３１ｅの下端が挿入されている取付ベース２３０の筒状受部の内周面との間に僅かな隙間を形成している。これにより、タッチユニット２２０Ｂ側からユニットケース２３１が下方へ移動するような力（衝撃）が作用した時に、その力が直ちに取付ベース２３０の取付側受部２３０ａに伝達されず、ユニットケース２３１の収容凹部２３１ａの底面が下方へある程度撓んで受突部２３１ｅの下端の外周面が筒状受部２３０ｃの内周面に当接することで、取付ベース２３０側へ力が伝達される。つまり、ユニットケース２３１から取付ベース２３０へ力を伝達させる際に、ユニットケース２３１が撓むため、その撓みによって力をある程度減衰させて取付ベース２３０へ伝達させることができる。
【００９５】
また、ユニットケース２３１の受突部２３１ｅ及び取付ベース２３０の筒状受部２３０ｃは、それらが形成されている面（タッチユニット２２０Ｂの上面と平行な面）に対して傾斜した外周面及び内周面を備えているため、受突部２３１ｅから筒状受部２３０ｃへ伝達される力の一部が、筒状受部２３０ｃが備えられている取付側受部２３０ａの底面に沿った方向へ作用する。これにより、受突部２３１ｅ（ユニットケース２３１）側からの力が分散し、取付ベース２３０に対して一方向へ大きな力が作用するのを回避させることができ、取付ベース２３０が破損し難くなる。
【００９６】
［２−１ｄ−２．タッチユニット］
演出操作ユニット２２０のタッチユニット２２０Ｂは、図２７及び図２８に示すように、上方が開放された浅い箱状の下ケース２４０と、下ケース２４０内に上側から取付けられる上皿液晶基板２４１と、下ケース２４０内において上皿液晶基板２４１の左右両外側に配置される一対の加振装置２４２と、一対の加振装置２４２及び上皿液晶基板２４１の上側を覆うと共に下ケース２４０に取付けられ上方が開放された浅い箱状のベース部材２４３と、ベース部材２４３内に上側から挿入され上皿液晶基板２４１によって制御され画像を表示可能な上皿液晶表示装置２４４と、上皿液晶表示装置２４４の外周を覆う薄い金属板からなる枠状のアース金具２４５と、アース金具２４５及び上皿液晶表示装置２４４の上面を覆う透明なタッチパネル２４６と、タッチパネル２４６の外周を上側から覆いベース部材２４３を通して下ケース２４０に取付けられる枠状の上カバー２４７と、を備えている。
【００９７】
また、タッチユニット２２０Ｂは、下ケース２４０、ベース部材２４３及び上カバー２４７を組立てた状態で、それらの後端面において、下ケース２４０の下端から上カバー２４７の上端まで上下に延びていると共に、下ケース２４０等の後端面の左右の略全長に亘って延びており、下ケース２４０、ベース部材２４３及び上カバー２４７の後端面に貼付けられている防水性を有したシート状の防水シール２４８を備えている。
【００９８】
下ケース２４０は、外形がユニットケース２３１の収容凹部２１３ａの内形と対応しており、収容凹部２１３ａ内に収容可能に形成されている。下ケース２４０は、左右に延びた長方形状の基板取付部２４０ａと、基板取付部２４０ａの左右両側から夫々台形に突出している平板状の突出部２４０ｂと、各突出部２４０ｂをダンパ２２２の外径と同じ内形で上下に貫通していると共に一部が左右方向外側へ開放されており前後に離間して形成された一対のダンパ取付凹部２４０ｃと、ダンパ取付凹部２４０ｃの内周面から突出しているフランジ部２４０ｄと、突出部２４０ｂにおける一対のダンパ取付凹部２４０ｃの間で基板取付部２４０ａ寄りに配置され加振装置２４２が取付けられる加振装置取付部２４０ｅと、を備えている。
【００９９】
下ケース２４０のダンパ取付凹部２４０ｃは、平面視の形状がＣ字状に形成されており、Ｃ字の開放されている側からダンパ２２２を挿入させることができる。また、フランジ部２４０ｄは、ダンパ取付凹部２４０ｃの上下の略中央で、ダンパ取付凹部２４０ｃのＣ字状の内周面の全周に亘って備えられている。このフランジ部２４０ｄは、ダンパ２２２の溝２２２ａ内に挿入可能とされている。
【０１００】
加振装置２４２は、小型の加振駆動モータ２４２ａと、加振駆動モータ２４２ａの回転軸に重心が偏芯して取付けられる錘２４２ｂと、を備えている。この加振装置２４２は、加振駆動モータ２４２ａによって錘２４２ｂを回転させることで、振動を発生させることができる。
【０１０１】
ベース部材２４３は、上皿液晶表示装置２４４が上側から挿入され浅い箱状に形成された液晶取付凹部２４３ａと、液晶取付凹部２４３ａの左右両側から外方へ延出している延出部２４３ｂと、延出部２４３ｂの先端で下ケース２４０のダンパ取付凹部２４０ｃと対応する位置で上下に貫通しており上側が大径に座グリされたネジ孔２４３ｃと、ネジ孔２４３ｃの下端側に形成されており下端へ向かうに従って直径が大きくなるＣ面取り状のテーパ部２４３ｄ（図３２を参照）と、を備えている。
【０１０２】
ベース部材２４３のネジ孔２４３ｃの下側の内径は、ユニットケース２３１における横支持ピン２３１ｂのテーパ部２３１ｉよりも先端側が通過することができると共に、テーパ部２３１ｉよりも基端側（下側）が通過することができない大きさに形成されている。
【０１０３】
タッチパネル２４６は、衝撃に強く割れ難い強化ガラスと、強化ガラスの上面に備えられた静電容量方式の透明なセンサシートと、強化ガラス及びセンサシートの外周を覆う枠状の保護カバーと、を備えている。
【０１０４】
タッチユニット２２０Ｂは、下ケース２４０の左右に夫々一対ずつ備えられたダンパ取付凹部２４０ｃ内に、Ｃ字の開放されている側からダンパ２２２を挿入して、ダンパ２２２を取付けることができる。この際に、ダンパ取付凹部２４０ｃの内周面から突出しているフランジ部２４０ｄが、ダンパ２２２の溝２２２ａ内に挿入される。これにより、ダンパ取付凹部２４０ｃ内のダンパ２２２が、軸方向へ移動するのが規制される。ダンパ取付凹部２４０ｃにダンパ２２２を取付けた状態では、ダンパ２２２の上端がベース部材２４３の延出部２４３ｂの下面に当接すると共に、ダンパ２２２の下端が下ケース２４０の下端（下面）よりも下方へ突出する。
【０１０５】
また、タッチユニット２２０Ｂは、一対の加振装置２４２の加振駆動モータ２４２ａが、下ケース２４０とベース部材２４３との間に挟持されている。一対の加振装置２４２は、夫々独立して振動を発生させることができる。
【０１０６】
また、タッチユニット２２０Ｂは、タッチパネル２４６を通して上皿液晶表示装置２４４に表示される画像を上側から視認することができる。そして、上皿液晶表示装置２４４にボタン等の画像を表示させ、遊技者がその画像のボタンを操作するようにタッチパネル２４６に触れることで、画像のボタンを操作することができる。
【０１０７】
更に、タッチユニット２２０Ｂは、後側の外周面に防止水シール２４８が貼付けられているため、皿ユニット２００上で飲み物等の液体をこぼした時に、その液体がタッチユニット２２０Ｂ内に浸入するのを防止することができ、タッチユニット２２０Ｂが液体の浸入によって破損するのを防止することができる。
【０１０８】
［２−１ｄ−３．ボタンユニット］
演出操作ユニット２２０のボタンユニット２２０Ｃは、図２９及び図３０に示すように、取付ベースユニット２２０Ａにおけるユニットケース２３１のボタンユニット取付部２３１ｇに取付けられる円筒状のユニット本体２５０と、ユニット本体２５０の下側に配置され上面にＬＥＤが備えられた演出ボタン装飾基板２５１と、演出ボタン装飾基板２５１の下側を覆いユニット本体２５０の下側に取付けられる基板カバー２５２と、を備えている。
【０１０９】
また、ボタンユニット２２０Ｃは、ユニット本体２５０内に上側から上下へスライド可能に挿入される筒状のボタンベース２５３と、ボタンベース２５３とユニット本体２５０との間に配置されボタンベース２５３を上方へ付勢するバネ部材２５４と、ボタンベース２５３内に挿入され演出ボタン装飾基板２５１のＬＥＤからの光を上方へ導くことが可能な導光部材２５５と、導光部材２５５の上側に配置され複数の微小なプリズムを備えたシート状の拡散レンズ部材２５６と、拡散レンズ部材２５６の上側を覆いボタンベース２５３に取付けられる透光性を有した上皿演出ボタン２５７と、演出ボタン装飾基板２５１の上面に取付けられておりボタンベース２５３の下降端への移動を検知する演出ボタン押圧センサ２５８と、を備えている。
【０１１０】
ユニット本体２５０は、外周面の下端から外方へ延出しボタンユニット取付部２３１ｇに取付けられる三つの取付片２５０ａと、内周面の下端から内方へ延出しているフランジ状の棚部２５０ｂと、内周面に沿って棚部２５０ｂを貫通している一対の貫通口２５０ｃと、を備えている。
【０１１１】
ボタンベース２５３は、棚部２５０ｂの内周に挿入される筒状の下筒部２５３ａと、下筒部２５３ａの上端から上方へ向かうに従って直径が大きくなる円錐筒状の上筒部２５３ｂと、上筒部２５３ｂの上端から下方へ延出しており下端がユニット本体２５０の貫通口２５０ｃを貫通可能とされていると共に下端から外方へ突出しユニット本体２５０の下面と係合（当接）可能な爪を有する一対の係合爪部２５３ｃと、上筒部２５３ｂの外周面から上端の外径よりも短く外方へ放射状に突出しており下端がユニット本体２５０の棚部２５０ｂの上面と当接可能な複数の平板状の当接片２５３ｄと、下筒部２５３ａ及び上筒部２５３ｂの外周面から外方へ平板状に延出しており演出ボタン押圧センサ２５８に検知される検知片２５３ｅと、を備えている。
【０１１２】
バネ部材２５４は、図示するように、コイルバネとされている。このバネ部材２５４は、下端がユニット本体２５０の棚部２５０ｂの上面に当接され、上端がボタンベース２５３における複数の当接片２５３ｄによって支持される。
【０１１３】
導光部材２５５は、ボタンベース２５３における上筒部２５３ｂの上部に嵌め込まれる円盤状の本体部２５５ａと、本体部２５５ａの下面から下方へボタンベース２５３の下筒部２５３ａの下端付近まで延びている円柱状の複数の導光部２５５ｂと、を備えている。複数の導光部２５５ｂは、演出ボタン装飾基板２５１のＬＥＤと対応するように備えられており、ＬＥＤからの光を導いて本体部２５５ａの上面全体から放出させることができる。
【０１１４】
このボタンユニット２２０Ｃは、ボタンベース２５３、導光部材２５５、拡散レンズ部材２５６、及び上皿演出ボタン本体が一体的に組立てられており、それらが一緒にユニット本体２５０内を上下にスライドすることができる。これらボタンベース２５３等は、バネ部材２５４の付勢力によって、上皿演出ボタン２５７の上面がユニット本体２５０の上端よりも上方へ突出すると共に、ボタンベース２５３の一対の係合爪部２５３ｃがユニット本体２５０の下面と係合することで、これ以上の上昇が規制され、上皿演出ボタン２５７等が上昇端に位置した状態となる。
【０１１５】
バネ部材２５４の付勢力に抗して上皿演出ボタン２５７を下方へ押圧すると、上皿演出ボタン２５７等が下降し、ボタンベース２５３の検知片２５３ｅが、演出ボタン押圧センサ２５８によって検知され、上皿演出ボタン２５７の押圧操作が検知される。上皿演出ボタン２５７の押圧により、ボタンベース２５３が下降すると、ボタンベース２５３の複数の当接片２５３ｄの下端が、ユニット本体２５０の棚部２５０ｂの上面に当接し、これ以上の下降が規制され、上皿演出ボタン２５７等が下降端に位置した状態となる。
【０１１６】
また、ボタンユニット２２０Ｃは、演出ボタン装飾基板２５１のＬＥＤを発光させることで、上皿演出ボタン２５７を発光装飾させることができる。演出ボタン装飾基板２５１のＬＥＤは、フルカラーＬＥＤとされており、上皿演出ボタン２５７を様々な色に発光装飾させることができる。
【０１１７】
［２−１ｄ−４．演出操作ユニットの特徴］
本実施形態の演出操作ユニット２２０は、図３２に示すように、組立てた状態で、タッチユニット２２０Ｂの下ケース２４０のダンパ取付凹部２４０ｃに取付けられたダンパ２２２の下端が、下ケース２４０の下面よりも下方へ突出していることから、取付ベースユニット２２０Ａのユニットケース２３１の収容凹部２３１ａの底面と、タッチユニット２２０Ｂの下ケース２４０の下面との間に、隙間が形成される。また、ユニットケース２３１の四つの横支持ピン２３１ｂの先端面（上端面）は、ベース部材２４３のネジ孔２４３ｃの座グリの底面と一致しており、横支持ピン２３１ｂに対するタッチユニット２２０Ｂの上方へ移動が、横支持ピン２３１ｂの上端にねじ込まれたビス２２７の頭部の平座金によって規制されている。また、横支持ピン２３１ｂの上端側に形成されたテーパ部２３１ｉと、ベース部材２４３のネジ孔２４３ｃの下端側に形成されたテーパ部２４３ｄとは、互いに離間している。
【０１１８】
また、演出操作ユニット２２０は、図３３に示すように、ユニットケース２３１の前支持ピン２３１ｃに挿入されているダンパ２２２の上面は、収容凹部２３１ａの底面における横支持ピン２３１ｂ側の底面よりも若干上方へ突出している。また、ユニットケース２３１の収容凹部２３１ａの底面と、下ケース２４０の下面との間に隙間が形成されていることから、ユニットケース２３１の前支持ピン２３１ｃに挿入されたダンパ２２２の上面と、下ケース２４０の下面との間にも隙間が形成されている。また、ユニットケース２３１の中央支持突起２３１ｄの上面と下ケース２４０の下面との間にも隙間が形成されている。つまり、タッチユニット２２０Ｂは、左右両側の横支持ピン２３１ｂに挿入されたダンパ２２２によって、下面が宙に浮いた状態で取付ベースユニット２２０Ａに取付けられている。
【０１１９】
更に、演出操作ユニット２２０は、取付ベースユニット２２０Ａの取付ベース２３０における下方へ窄まる角錐筒状の筒状受部２３０ｃ内に、上側からタッチユニット２２０Ｂが取付けられているユニットケース２３１における下方へ窄まる角錐状の受突部２３１ｅの下端が挿入されている。この筒状受部２３０ｃの内周壁と、受突部２３１ｅの外周壁との間には、僅かな隙間が形成されている。これにより、通常の状態では、取付ベース２３０には、ユニットケース２３１の内側（収容凹部２３１ａの中央側）が宙に浮いた状態で、ユニットケース２３１の外周付近のみが取付けられている。
【０１２０】
また、演出操作ユニット２２０は、図２１等に示すように、タッチユニット２２０Ｂにおいて遊技領域５ａに近い後側の辺に沿って線状発光レンズ部材２３７の線状発光部２３７ｂの上端が線状（帯状）に露出している。線状発光部２３７ｂの上端の長さは、タッチユニット２２０Ｂの後辺の長さの約２／３である。このタッチユニット２２０Ｂの後辺に沿って露出している線状発光部２３７ｂの上端の後側に、上皿後装飾部材２３６が配置されている。また、上皿後装飾部材２３６の正面視右側に、上皿球抜きボタン２３９が配置されている。更に、タッチユニット２２０Ｂの正面視左側に、ボタンユニット２２０Ｃが配置されている。
【０１２１】
この演出操作ユニット２２０は、遊技領域５ａ内に遊技球を打込むことで変化する遊技状態に応じて、遊技者に対して様々な演出を提示することができる。例えば、タッチユニット２２０Ｂの上皿液晶表示装置２４４に画像を表示させることで、透明なタッチパネル２４６を通して画像（演出画像）を遊技者に提示して楽しませることができる。
【０１２２】
この上皿液晶表示装置２４４に表示される画像として、操作ボタンを模した画像を表示させると共に、タッチパネル２４６のセンサシート２４６ｂによるタッチの検知を受付可能とすることで、遊技者に対して画像の操作ボタンを操作させることができ、タッチパネル２４６を用いた演出を楽しませることができる。タッチパネル２４６を用いた演出の際に上皿液晶表示装置２４４に表示される画像は、操作ボタンに限定するものではなく、様々な画像を表示させることができる。
【０１２３】
また、演出操作ユニット２２０では、タッチユニット２２０Ｂを複数のダンパ２２２によってユニットケース２３１から浮いた状態で支持しているため、遊技状態に応じて加振装置２４２を動作させることで、タッチユニット２２０Ｂを振動させることができる。タッチパネル２４６を用いた演出の際に、加振装置２４２によってタッチパネル２４６（タッチユニット２２０Ｂ）を振動させることで、加振装置２４２による振動をタッチパネル２４６に接触している遊技者の指や手等に伝達させて、遊技者に対して画像の操作ボタンを操作しているにも関わらず恰も実体のある操作ボタンを操作しているように錯覚させて驚かせることができ、タッチパネル２４６と振動による演出を遊技者に楽しませて興趣が低下するのを抑制することができる。
【０１２４】
更に、演出操作ユニット２２０では、タッチユニット２２０Ｂの正面視左側にボタンユニット２２０Ｃを備えているため、遊技状態に応じて遊技者に上皿演出ボタン２５７を押圧操作させて、上皿演出ボタン２５７の操作を楽しませることができる。詳述すると、タッチパネル２４６における画像の操作ボタンでは、タッチパネル２４６に触れるだけであるため実際の操作ボタンと比較して操作感に欠ける嫌いがあるが、上皿演出ボタン２５７では現実に押圧操作することができるため、上皿演出ボタン２５７の操作に違和感を与えてしまうことがなく、上皿演出ボタン２５７の操作を快適に楽しませることができ、遊技に対する興趣が低下するのを抑制することができる。
【０１２５】
この演出操作ユニット２２０は、前方へ膨出している皿ユニット２００において上皿２０１が備えられている部位に配置されているため、タッチユニット２２０Ｂやボタンユニット２２０Ｃを用いた演出中以外においても、遊技者をタッチユニット２２０Ｂ等を上から叩く虞がある。これに対して、演出操作ユニット２２０では、タッチユニット２２０Ｂをダンパ２２２によって下側のユニットケース２３１から浮いた状態で支持しているため、タッチユニット２２０Ｂが上から叩かれても、ダンパ２２２の弾性力によってその衝撃をある程度吸収することができる。詳述すると、タッチユニット２２０Ｂが叩かれたり押圧されたり等して、上から衝撃（荷重）が作用すると、左右の横支持ピン２３１ｂが挿入されているダンパ２２２に伝達され、タッチユニット２２０Ｂが下降しながらダンパ２２２が圧縮される。横支持ピン２３１ｂに支持されたダンパ２２２が圧縮されることで、タッチユニット２２０Ｂからの衝撃が吸収される。
【０１２６】
そして、更に、衝撃によってタッチユニット２２０Ｂが下降すると、下ケース２４０の下面が前支持ピン２３１ｃの挿入されているダンパ２２２の上端に当接し、タッチユニット２２０Ｂの下降に伴って前支持ピン２３１ｃに支持されているダンパ２２２が下方へ圧縮される。これにより、横支持ピン２３１ｂに支持されているダンパ２２２に加えて、前支持ピン２３１ｃに支持されているダンパ２２２によっても、タッチユニット２２０Ｂからの衝撃が吸収される。
【０１２７】
タッチユニット２２０Ｂに作用する衝撃によってタッチユニット２２０Ｂが更に下降すると、タッチユニット２２０Ｂの下ケース２４０の下面がユニットケース２３１における収容凹部２３１ａの左右両側の底面と中央支持突起２３１ｄの上面とに当接する。これにより、タッチユニット２２０Ｂからの衝撃が、複数のダンパ２２２介さず、タッチユニット２２０Ｂからユニットケース２３１へ直接作用することとなる。
【０１２８】
更に、タッチユニット２２０Ｂが下降すると、中央支持突起２３１ｄからの荷重によってユニットケース２３１の収容凹部２３１ａの底面が、その中央が下方へ移動するように撓むこととなる。この収容凹部２３１ａの底面の撓みによる弾性力によって、タッチユニット２２０Ｂからの衝撃が吸収される。この収容凹部２３１ａの底面が撓むことで、収容凹部２３１ａの底面の下側から下方へ突出している一対の受突部２３１ｅが下降する。そして、タッチユニット２２０Ｂからの衝撃によって受突部２３１ｅが更に下降すると、受突部２３１ｅの外周壁の下端側が、取付ベース２３０の筒状受部２３０ｃの内周壁に当接し、タッチユニット２２０Ｂからの衝撃が、ユニットケース２３１から取付ベース２３０へ伝達されることとなる。
【０１２９】
受突部２３１ｅの外周壁と筒状受部２３０ｃの内周壁は、夫々が下方へ窄まる角錐状に形成さていることから、受突部２３１ｅから筒状受部２３０ｃ（取付ベース２３０側）へ伝達される荷重が、取付ベース２３０の取付側受部２３０ａの底面に沿った方向と底面に垂直な方向とに分散されて伝達される。このように、タッチユニット２２０Ｂに作用した衝撃が、取付ベース２３０に伝達されるまでに、その衝撃を吸収する構成が幾重にも配置されているため、タッチユニット２２０Ｂに作用した衝撃を十分に吸収して緩和させることができ、その衝撃によって、タッチユニット２２０Ｂ、ユニットケース２３１、取付ベース２３０等を破損し難くすることができる。
【０１３０】
また、演出操作ユニット２２０は、遊技状態に応じて上皿後装飾基板２３５の周縁用ＬＥＤ２３５ｂによりタッチユニット２２０Ｂの後側の外周縁に沿って延びている線状発光レンズ部材２３７の線状発光部２３７ｂの上端を線状に発光させることができる。これにより、遊技者の関心をタッチユニット２２０Ｂへ引付けることができ、タッチユニット２２０Ｂにおける上皿液晶表示装置２４４に表示される画像や、タッチパネル２４６を用いたタッチ演出等を楽しませて興趣が低下するのを抑制することができる。
【０１３１】
また、遊技状態に応じて、上皿後装飾基板２３５の装飾用ＬＥＤ２３５ａによりタッチパネル２２０Ｂの後側（線状発光部２３７ｂよりも後側）に配置されている上皿後装飾部材２３６を発光装飾させることができる。この上皿後装飾部材２３６を発光装飾させることで、線状発光レンズ部材２３７の線状発光部２３７ｂの発光と同様に、遊技者の関心をタッチユニット２２０Ｂ等の演出操作ユニット２２０へ引付けることができ、演出操作ユニット２２０によって提示される演出を楽しませて興趣が低下するのを抑制することができる。
【０１３２】
更に、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の後述する上皿下被覆部２６２の上面よりも高い位置に配置していると共に、タッチユニット２２０Ｂの後側の外周面に防水シール２４８を貼付けている。これにより、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１３３】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１３４】
［２−１ｅ．皿ユニットカバー］
皿ユニット２００の皿ユニットカバー２６０は、図１７乃至図２０に示すように、左右に延びていると共に、左右の中央が前方へ膨出しており、後方へ開放された殻状に形成されている。皿ユニットカバー２６０は、左右の略中央で前方へ開口しており後端が皿ユニットベース２１０によって閉鎖される下皿開口部２６１と、下皿開口部２６１の内周壁における天板側（上側）を形成しており上皿本体２１２及び演出操作ユニット２２０の下側を覆う上皿下被覆部２６２と、下皿開口部２６１の正面視左側に配置されており本体枠４のスピーカユニット９２０の低音スピーカからの音を透過させるスピーカグリル２６３と、スピーカグリル２６３の上側に配置され皿ユニット左装飾基板３４５によって発光装飾される皿ユニット左装飾部材２６４と、下皿開口部２６１の正面視右側に配置されておりハンドルユニット５００のハンドル本体５０２の後部が通過するハンドル口２６５と、皿ユニットカバー２６０の底面を形成しており下皿本体２１４の下側を覆う底板部２６６と、左右の中央で底板部２６６を上下に貫通しており下皿球抜きユニット３２０によって閉鎖される底板開口部２６７と、を備えている。
【０１３５】
下皿開口部２６１は、内周壁の底板側（下側）が下皿本体２１４によって閉鎖される。スピーカグリル２６３及び皿ユニット左装飾部材２６４は、金属板に複数の孔を設けたパンチングメタルによって構成されている。
【０１３６】
この皿ユニットカバー２６０は、正面視左側の表面が滑らかな感じに形成されているのに対して、右側の表面がゴツゴツした感じに形成されている。また、正面視の右側は、略全体的に透光性を有している。
【０１３７】
皿ユニットカバー２６０は、皿ユニット２００に組立てた状態で、タッチユニット２２０Ｂの上面と上皿下被覆部２６２の下面との間が、片手で掴むことが可能な間隔に形成されている。これにより、遊技者が、タッチユニット２２０Ｂをタッチ操作する際に、下皿開口部２６１の上側を掴むことで、タッチする指（手や腕）を安定させることができ、タッチユニット２２０Ｂのタッチ操作を行い易くできる。
【０１３８】
詳述すると、組立てた状態では、タッチユニット２２０Ｂの前端上面と上皿下被覆部２６２の下面との間の厚さが約２５ｍｍに、タッチユニット２２０Ｂの後端上面と上皿下被覆部２６２の下面との間の厚さが約５０ｍｍに、上皿下被覆部２６２の前端からタッチユニット２２０Ｂの後端までの前後の距離が約６０ｍｍに、夫々形成されている。また、タッチユニット２２０Ｂの上面が、水平に対して約２０度傾斜している。これにより、タッチユニット２２０Ｂの上面と上皿下被覆部２６２の下面との間を、遊技者の手で掴むことができる。
【０１３９】
［２−１ｆ．扉右下演出ユニット］
皿ユニット２００の扉右下演出ユニット２７０は、図３４乃至図４２に示すように、ハンドルユニット５００の上側、且つ、演出操作ユニット２００の右側に配置されており、遊技状態に応じて回転すると共に発光装飾する球状の扉右下回転体２７０Ａを備えている。扉右下演出ユニット２７０は、皿ユニットベース２１０の前面で逃し口２１０ｇを閉鎖するように取付けられ扉右下回転体２７０Ａを回転可能に支持するユニットベース２７１と、ユニットベース２７１に取付けられている扉右下駆動モータ２７２と、扉右下駆動モータ２７２の回転軸に固定されている駆動ギア２７３と、駆動ギア２７３と噛合し扉右下回転体２７０Ａに取付けられている従動ギア２７４と、従動ギア２７４を回転可能に支持しておりユニットベース２７１に取付けられている軸部材２７５と、を備えている。
【０１４０】
また、扉右下演出ユニット２７０は、従動ギア２７４とは扉右下回転体２７０Ａの反対側に取付けられておりユニットベース２７１に回転可能に支持されている回転体側軸受部材２７６と、扉右下回転体２７０Ａの従動ギア２７４とは反対側をユニットベース２７１と協働して回転可能に支持しているベース側軸受部材２７７と、ユニットベース２７１に取付けられており扉右下回転体２７０Ａの回転位置を検知可能な二つの回転検知センサ２７８と、扉右下回転体２７０Ａの正面視左側でユニットベース２７１に取付けられている装飾部材２７９と、ユニットベース２７１の後側に取付けられており前面に複数のＬＥＤを備えた扉右下ベース装飾基板２８０と、ユニットベース２７１の後側に取付けられており扉右下駆動モータ２７２、回転検知センサ２７８、扉右下ベース装飾基板２８０、及び後述する扉右下回転体装飾基板２９１と周辺制御基板（図示は省略）との接続を中継する扉右下中継基板２８１と、を備えている。
【０１４１】
扉右下回転体２７０Ａは、外殻を構成し夫々が半球殻状の前外殻部材２８５及び後外殻部材２８６と、前外殻部材２８５と後外殻部材２８６との間に配置される回転体内部ユニット２９０と、を備えている。前外殻部材２８５及び後外殻部材２８６は、回転軸を中心に半円形状の切欠部２８５ａ，２８６ａが夫々形成されている。前外殻部材２８５は、透光性を有した半球殻状の表面に、金属光沢を有し周方向へ帯状に延びている帯装飾２８５ｂと、帯装飾２８５ｂの中央に配置されているハート形のハート装飾２８５ｃと、を備えている。一方、後外殻部材２８６は、透光性を有した半球殻状の表面に、金属光沢を有し周方向へ帯状に延びている帯装飾２８６ｂを備えている。前外殻部材２８５と後外殻部材２８６とを合わせた時に、前外殻部材２８５の帯装飾２８５ｂと後外殻部材２８６の帯装飾２８６ｂとが繋がるように形成されている。
【０１４２】
回転体内部ユニット２９０は、図４０及び図４１に示すように、円盤状で両面に複数のＬＥＤが備えられている扉右下回転体装飾基板２９１と、扉右下回転体装飾基板２９１の中心に取付けられており扉右下回転体装飾基板２９１の面に対して垂直に延びており先端が軸部材２７５に取付けられる円柱状の第一固定軸部材２９２と、第一固定軸部材２９２とは扉右下回転体装飾基板２９１の反対側に取付けられており扉右下回転体装飾基板２９１の面に対して垂直に延びており先端がユニットベース２７１及びベース側軸受部材２７７に取付けられる円筒状の第二固定軸部材２９３と、を備えている。図示は省略するが、第二固定軸部材２９３の内部には、扉右下中継基板２８１と扉右下回転体装飾基板２９１とを接続する配線コードが挿入されている。
【０１４３】
また、回転体内部ユニット２９０は、扉右下回転体装飾基板２９１の両側に配置されており前外殻部材２８５及び後外殻部材２８６の内側に取付けられる平板で円環状の透明なリフレクタベース２９４と、リフレクタベース２９４に取付けられており円環状で軸方向外側へ開いた朝顔状の第一リフレクタ２９５と、第一リフレクタ２９５の円環内を通してリフレクタベース２９４に取付けられており中心に六角形の貫通孔２９６ａを有した第二リフレクタ２９６と、を備えている。第一リフレクタ２９５及び第二リフレクタ２９６は、表面に金属光沢を有したメッキ層が備えられており、扉右下回転体装飾基板２９１からの光を反射させることができる。また、第一リフレクタ２９５及び第二リフレクタ２９６には、放射状に延びた平板状のリブが複数備えられている。
【０１４４】
この回転体内部ユニット２９０は、扉右下回転体装飾基板２９１、第一固定軸部材２９２、及び第二固定軸部材２９３と、リフレクターベース２９４、第一リフレクタ２９５、及び第二リフレクタ２９６とが、相対回転可能に互いに分離している。
【０１４５】
ユニットベース２７１は、扉右下回転体２７０Ａの後側に配置される環状のリング部２７１ａと、リング部２７１ａの外周におけるリング部２７１ａの中心に対して正面視斜め右上の部位から前方へ平板状に突出している第一突出片２７１ｂと、リング部２７１ａの外周における第一突出片２７１ｂとは反対側の部位から前方へ平板状に突出している第二突出片２７１ｃと、第二突出片２７１ｃの前端から後方へ向かってＵ字状に窪み第二固定軸部材２９３の先端が挿入される軸受溝２７１ｄと、を備えている。
【０１４６】
扉右下駆動モータ２７２は、第一突出片２７１ｂの外側の側面（右側の側面）に、回転軸が貫通した状態で取付けられる。従動ギア２７４は、駆動ギア２７３よりも大径に形成されている。軸部材２７５は、第一突出片２７１ｂの前端に取付けられる取付部２７５ａと、取付部２７５ａから筒状に突出している筒状軸部２７５ｂと、を備えている。この軸部材２７５は、筒状軸部２７５ｂの外周によって従動ギア２７４を回転可能に支持できると共に、筒状軸部２７５ｂの内周によって第一固定軸部材２９２の先端を回転不能に支持できる。
【０１４７】
回転体側軸受部材２７６は、第二固定軸部材２９３が回転可能に挿入される軸受孔２７６ａと、外方へ延出している平板状の検知片２７６ｂと、を備えている。ベース側軸受部材２７７は、ユニットベース２７１における第二突出片２７１ｃの前端のＵ字状の軸受溝２７１ｄの開放されている前端側を閉鎖するように、第二突出片２７１ｃの前端に取付けられる。二つの回転検知センサ２７８は、扉右下回転体２７０Ａの回転軸を挟んで対称に第二突出片２７１ｃに取付けられる。二つの回転検知センサ２７５は、扉右下回転体２７０Ａのハート装飾２８５ｃが前方を向く回転位置（図４２（ａ）を参照）と、ハート装飾２８５ｃが後方を向く回転位置（図４２（ｂ）を参照）とを、夫々検知することができる。
【０１４８】
本実施形態の扉右下演出ユニット２７０は、遊技状態に応じて、扉右下駆動モータ２７２によって扉右下回転体２７０Ａを回転させることができると共に、ハート装飾２８５ｃが前方を向くように停止するか否かで、遊技者に対してチャンスの到来等を示唆することができ、遊技者を楽しませて興趣が低下するのを抑制することができる。
【０１４９】
また、扉右下演出ユニット２７０は、扉右下回転体２７０Ａ内部の扉右下回転体装飾基板２９１が回転不能に取付けられていることから、扉右下回転体２７０Ａの回転中に、扉右下回転体装飾基板２９１（のＬＥＤ）を発光させると、扉右下回転体２７０Ａの回転につれて扉右下回転体装飾基板２９１から照射される光の位置が移動すると共に、第一リフレクタ２９５や第二リフレクタ２９６によって反射誘導される光の方向が変化するため、扉右下回転体装飾基板２９１のＬＥＤを点滅させなくても、光が点滅しているように扉右下回転体２７０Ａを発光装飾させたり、ＬＥＤから多様な色の光を照射することで扉右下回転体２７０Ａを虹色に発光装飾させたりすることができ、遊技者を楽しませることができる。
【０１５０】
［２−１ｇ．演出ユニットカバー］
皿ユニット２００の演出ユニットカバー３００は、図１９及び図２０に示すように、扉右下演出ユニット２７０における球状の扉右下回転体２７０Ａの前側を覆う半球状で透明な回転体カバー部３０１と、回転体カバー部３０１の外周に形成されており皿ユニットカバー２６０の正面視右側の装飾と連続した装飾部３０２と、回転体カバー部３０１の下部右側において前後に貫通しており施錠ユニット７００の鍵シリンダ７１０が挿通されるシリンダ挿通口３０３と、を備えている。
【０１５１】
演出ユニットカバー３００は、全体が後方が開放された容器状で、透光性を有している。この演出ユニットカバー３００は、回転体カバー部３０１の上側が扉右下演出ユニット２７０の扉右下ベース装飾基板２８０によって発光装飾されると共に、回転体カバー部３０１の下側が皿ユニット右装飾基板３４６によって発光装飾される。
【０１５２】
［２−１ｈ．上皿球抜きユニット］
皿ユニット２００の上皿球抜きユニット３１０は、図４３乃至図４５に示すように、皿ユニットベース２１０の透口２１０ｅ及び受片２１０ｆを前側から覆うように皿ユニットベース２１０の前面に取付けられ後方が開放された縦長箱状で上部に上皿球抜きボタン２３９の延出片２３９ａが挿通可能な挿通口３１１ａを有しているカバー３１１と、カバー３１１内における皿ユニットベース２１０の透口２１０ｅの正面視左上となる位置に取付けられている前ベース部材３１２と、前ベース部材３１２によって回転可能に支持されており上皿球抜きボタン２３９の押圧により回動する押圧伝達部材３１３と、押圧伝達部材３１３を上皿球抜きボタン２３９が上昇する方向へ付勢している第一バネ部材３１４と、を備えている。
【０１５３】
また、上皿球抜きユニット３１０は、皿ユニットベース２１０の上皿球送り口２１０ｄを後側から閉鎖するように皿ユニットベース２１０の後側に取付けられている後ベース部材３１５と、後ベース部材３１５と皿ユニットベース２１０との間に配置されていると共に後ベース部材３１５によって昇降可能に取付けられており上側から押圧伝達部材３１３が接触している上皿球抜きスライダ３１６と、上皿球抜きスライダ３１６を上方へ付勢している第二バネ部材３１７と、を備えている。
【０１５４】
前ベース部材３１２は、皿ユニットベース２１０の前面と平行に延びておりカバー３１１に取付けられる平板状のベース部３１２ａと、ベース部３１２ａの左右両辺から前方へ平板状に延出している一対の延出片３１２ｂと、延出片３１２ｂの前端から後方へＵ字状に凹んだ軸支部３１２ｃと、ベース部３１２ａの前面下端付近に備えられており第一バネ部材３１４の後端が係止される鉤状のバネ係止部（図示は省略）と、を備えている。
【０１５５】
押圧伝達部材３１３は、両端が前ベース部材３１２の一対の軸支部３１２ｃ内へ回転可能に挿入される横長円柱状の軸部３１３ａと、軸部３１３ａから後方へ平板状に延出している後方延出片３１３ｂと、後方延出片３１３ｂの上面における正面視左端付近から上方へ平板状に延出しており上皿球抜きボタン２３９の延出片２３９ｃの下端が当接可能な上方延出片３１３ｃと、後方延出片３１３ｂの下面における正面視右端から下方へ平板状に延出している下方延出片３１３ｄと、軸部３１３ａにおける正面視左端付近の下側から下方へ突出しており第一バネ部材３１４の前端が係止される鉤状のバネ係止部３１３ｅと、を備えている。下方延出片３１３ｄは、後方へ向かうに従って下方へ延びる三角形に形成されており、下端が上皿球抜きスライダ３１６と当接可能とされている。
【０１５６】
後ベース部材３１５は、皿ユニットベース２１０の後面と平行に平板状に延びており皿ユニットベース２１０に取付けられるベース部３１５ａと、ベース部３１５ａの前面で左右に離間して備えられており上皿球抜きスライダ３１６の左右両端をスライド可能に支持するスライダ支持部３１５ｂと、ベース部３１５ａの上端における皿ユニットベース２１０の上皿球送り口２１０ｄの上部と対応する位置に前方へ開口していると共にベース部３１５ａの後側で下方へ開口し遊技球が流通可能な上部入口３１５ｃと、を備えている。
【０１５７】
また、後ベース部材３１５は、ベース部３１５ａの後側で上部入口３１５ｃと連続して下方へ延びていると共に後方へ開放されており下端が後方へ湾曲している第一誘導路３１５ｄと、第一誘導路３１５ｄの下側から下方へ延びた後に正面視左方へ延びて左端が左方へ開放されており全体が後方へ開放されているＬ字状の第二誘導路３１５ｅと、第二誘導路３１５ｅにおける左方へ延びた部位の後端側を閉鎖している平板状の通路蓋３１５ｆと、Ｌ字状の第二誘導路３１５ｅに二辺が囲まれるようにベース部３１５ａを前後に貫通している開口部３１５ｇと、ベース部３１５ａの前面から前方へボス状に突出しており第二バネ部材３１７の上端が係止されるバネ係止部３１５ｈと、を備えている。
【０１５８】
後ベース部材３１５におけるＬ字状の第二誘導路３１５ｅは、左方へ延びた部位が、左方へ向かうに従って低くなるように傾斜している。この第二誘導路３１５ｅの左端は、図４３（ｂ）に示すように、皿ユニットベース２１０における筒状の下皿球供給口２１０ｃの切欠部２１０ｊに挿入されており、第二誘導路３１５ｅと下皿球供給口２１０ｃとが互いに連通している。
【０１５９】
上皿球抜きスライダ３１６は、平板状で左右両端が後ベース部材３１５のスライダ支持部３１５ｂにスライド可能に支持されるスライダベース３１６ａと、スライダベース３１６ａの上端における正面視中央より左側から前方へ皿ユニットベース２１０の透口２１０ｅを通って受片２１０ｆの上側へ延出し上面に押圧伝達部材３１３の下方延出片３１３ｄの下端が当接可能な伝達片３１６ｂと、伝達片３１６ｂの下側でスライダベース３１６ａの後側から下方へ向かうに従って後方へ突出している三角状の作動伝達部３１６ｃと、スライダベース３１６ａの前面から突出しており第二バネ部材３１７の下端が係止される鉤状のバネ係止部３１６ｄと、を備えている。
【０１６０】
上皿球抜きユニット３１０は、皿ユニット２００を組立てた状態で、後ベース部材３１５の上部入口３１５ｃが、上皿本体２１２の誘導通路部２１２ａの正面視右端側となる下端に開口している。これにより、上皿２０１内の遊技球を、上部入口３１５ｃからベース部３１５ａの後側の第一誘導部３１５ｄを介して球送りユニット５４０へ供給することができる。
【０１６１】
また、上皿球抜きユニット３１０は、上皿球抜きボタン２３９を下方へ押圧すると、上皿球抜きボタン２３９の延出片２３９ａによって押圧伝達部材３１３が、第一バネ部材３１４の付勢力に抗して軸部３１３ａを中心に、下方延出片３１３ｄの下端が下方へ移動する方向へ回動する。押圧伝達部材３１３の回動に伴って下方延出片３１３ｄの下端が下方へ移動すると、下方延出片３１３ｄの下端が当接している上皿球抜きスライダ３１６の伝達片３１６ｂによって上皿球抜きスライダ３１６が第二バネ部材３１７の付勢力に抗して下方へスライドする。
【０１６２】
この上皿球抜きスライダ３１６が下方へスライドすることで、作動伝達部３１６ｃが、球送りユニット５４０の切換機構を動作させて球送りユニット５４０内での流路が切換えられて、第一誘導路３１５ｄ側が第二誘導路３１５ｅ側と連通した状態となる。これにより、上皿２０１内の遊技球が、上部入口３１５ｃ、第一誘導路３１５ｄ、球送りユニット５４０、及び第二誘導路３１５ｅを通って、下皿球供給口２１０ｃから下皿２０２へ排出され、上皿２０１内の遊技球を抜くことができる。
【０１６３】
なお、上皿球抜きボタン２３９の下方への押圧を解除すると、第一バネ部材３１４及び第二バネ部材３１７の付勢力によって、上皿球抜きスライダ３１６や上皿球抜きボタン２３９が上昇し、元の状態に復帰することができる。
【０１６４】
［２−１ｉ．下皿球抜きユニット］
皿ユニット２００の下皿球抜きユニット３２０は、図４６等に示すように、皿ユニットカバー２６０の底板開口部２６７を閉鎖するように下皿本体２１４の下側に取付けられ下皿本体２１４の球抜き孔２１４ａと一致する開口部３２１ａを有している平板状の下皿球抜きベース３２１と、下皿球抜きベース３２１上を左右にスライドし開口部３２１ａを閉鎖可能な平板状のスライド蓋３２２と、スライド蓋３２２の前端に取付けられており皿ユニットカバー２６０の前面から外部へ露出する摘み部３２３と、スライド蓋３２２によって開口部３２１ａを閉鎖する方向へスライド蓋３２２を付勢しているバネ部材３２４と、バネ部材３２４の付勢力に抗してスライド蓋３２２を開口部３２１ａを開放している位置に保持する保持装置３２５と、を備えている。
【０１６５】
下皿球抜きベース３２１の開口部３２１ａは、正面視左右中から右寄りの位置に形成されている。この下皿球抜きベース３２１は、下皿本体２１２に取付けることで、下皿球抜きベース３２１と下皿本体２１２との間でスライド蓋３２２を左右へスライド可能に支持することができる。スライド蓋３２２は、正面視左端側に保持装置３２５によって保持される保持突起３２２ａを備えている。
【０１６６】
保持装置３２５は、下皿球抜きベース３２１に取付けられる本体３２５ａと、本体３２５ａから開閉可能に突出しており保持突起３２２ａを掴むことができる一対の保持爪３２５ｂと、を備えている。保持装置３２５は、開いている一対の保持爪３２５ａの間に、保持突起３２２ａを挿入して本体３２５ａ側へ押圧すると、一対の保持爪３２５ｂが閉じて保持突起３２２ａを保持すると共に、一対の保持爪３２５ｂが閉じた状態で維持される。この状態で、保持突起３２２ａを本体３２５ａ側へ移動させると、一対の保持爪３２５ａが開いた状態となり、保持突起３２２ａの保持が解除される。
【０１６７】
この下皿球抜きユニット３２０は、摘み部３２３（スライド蓋３２２）が正面視右側へ移動している状態では、開口部３２１ａと下皿本体２１４の球抜き孔２１４ａとの間にスライド蓋３２２が位置し、下皿２０２内の遊技球が、球抜き孔２１４ａから下方へ抜けることがなく、下皿２０２内に遊技球を貯留させることができる。
【０１６８】
この状態から、摘み部３２３を左側へ操作することでスライド蓋３２２が左方へスライドし、開口部３２１ａと球抜き孔２１４ａとが連通する。これにより、下皿２０２内の遊技球が球抜き孔２１４ａ及び開口部３２１ａを通って皿ユニット２００の下方へ抜けるようになり、下皿２０２内の遊技球を抜くことができる。この際に、スライド蓋３２２の保持突起３２２ａが、保持装置３２５の一対の保持爪３２５ｂによって保持されるため、摘み部３２３の操作をやめてもスライド蓋３２２が開いたままの状態となり、下皿２０２内の遊技球を抜き続けることができる。
【０１６９】
スライド蓋３２２を閉めるには、摘み部３２３を左側へ僅かに操作すると、一対の保持爪３２５ｂが開いて保持突起３２２ａの保持が解除され、バネ部材３２４の付勢力によってスライド蓋３２２が右側へスライドして、球抜き孔２１４ａを閉鎖する。このように、下皿球抜きユニット３２０の摘み部３２３を操作することで、下皿２０２に遊技球を貯留させたり、下皿２０２に貯留された遊技球を抜いたりすることができる。
【０１７０】
［２−１ｊ．球貸操作ユニット］
皿ユニット２００の球貸操作ユニット３３０は、図１９及び図２０等に示すように、演出操作ユニット２２０における正面視右端付近の上面に取付けられ透光性を有しているユニットケース３３１と、ユニットケース３３１の上面に露出しており遊技者が操作可能な球貸ボタン３３２と、球貸ボタン３３２の後側でユニットケース３３１の上面に露出しており遊技者が操作可能な返却ボタン３３３と、返却ボタン３３３の後側でユニットケース３３１の上面を通して遊技者側から視認可能とされている表示部３３４と、を備えている。
【０１７１】
この球貸操作ユニット３３０は、パチンコ機１に隣接して設けられた球貸機に対して現金やプリペイドカードを投入した上で、球貸ボタン３３２を押すと、所定数の遊技球を皿ユニット２００の上皿２０１内へ貸出す（払出す）ことができると共に、返却ボタン３３３を押すと貸出された分の残りを引いた上で投入した現金の残金やプリペイドカードが返却される。また、表示部３３４には、球貸機に投入した現金やプリペイドカードの残数、或は、球貸機が故障した時のエラーコード等、が表示される。
【０１７２】
［２−１ｋ．上皿トップ装飾部材］
皿ユニット２００の上皿トップ装飾部材３４０は、図１９及び図２０等に示すように、皿ユニットベース２１０の上端における左右中央に取付けられ左右に帯状に延びた透光性を有する上皿トップレンズ３４０ａと、上皿トップレンズ３４０ａの下側に取付けられており上面に複数のＬＥＤが取付けられた上皿トップ装飾基板３４０ｂと、を備えている。
【０１７３】
この上皿トップ装飾部材３４０は、上皿トップ装飾基板３４０ｂのＬＥＤを発光させることで、上皿トップレンズ３４０ａを帯状に発光させることができる。この上皿トップ装飾部材３４０は、演出操作ユニット２００の後側に配置されていることから、上皿後装飾部材２３６や線状発光レンズ部材２３７等の発光装飾と同様に、上皿トップ装飾部材３４０を発光装飾させることで、遊技者の関心をタッチユニット２２０Ｂ等の演出操作ユニット２２０へ引付けることができ、演出操作ユニット２２０によって提示される演出を楽しませて興趣が低下するのを抑制することができる。
【０１７４】
［２−１ｌ．皿ユニットの特徴的な作用効果］
本実施形態の皿ユニット２００は、遊技領域５ａの下側の遊技球を貯留する上皿２０１を有した皿ユニット２００の上面における演出操作ユニット２２０のタッチユニット２２０Ｂに、遊技領域５ａ内に遊技球を打込むことで変化する遊技状態に応じて上皿液晶表示装置２４４に画像を表示させる際に、上皿液晶表示装置２４４の遊技領域５ａに近い側の後側の外周縁に沿って帯状の線状発光レンズ部材２３７、上皿後装飾部材２３６、及び上皿トップ装飾部材３４０等を発光させることができるため、遊技者の視線が遊技領域５ａ内に集中していても、視線（視界）の外側から入る線状発光レンズ部材２３７等の光に気付くことができ、遊技者の視線（関心）を線状発光レンズ部材２３７等つまり上皿液晶表示装置２４４側へ引き付けることができる。従って、上皿液晶表示装置２４４において、遊技状態に応じて画像等の演出を提示する際に、線状発光レンズ部材２３７等を発光させることで、遊技者に対して上皿液晶表示装置２４４による演出の提示に気付かせることができ、上皿液晶表示装置２４４による演出を楽しませて興趣が低下するのを抑制することができる。
【０１７５】
また、皿ユニット２００に遊技状態に応じて画像を表示可能な上皿液晶表示装置２４４を備えていることから、チャンスの到来を示唆する画像を表示させるようにした場合、遊技領域５ａ外に配置されている上皿液晶表示装置２４４によってチャンスの到来が示唆されることとなるため、遊技者に対して遊技領域５ａ内での遊技と、遊技領域５ａ外の上皿液晶表示装置２４４での演出との両方を気に掛けさせることができる。従って、遊技領域５ａ内と遊技領域５ａ外（上皿液晶表示装置２４４）とを気に掛けさせることで、スピード感のあるタイトな遊技を楽しませることができ、遊技者の興趣が低下するのを抑制することができると共に、上皿液晶表示装置２４４においてチャンスの到来を示唆する画像を表示する時に、線状発光レンズ部材２３７等を発光させることで、遊技者を上皿液晶表示装置２４４に注目させることができ、チャンスの到来を確実に認識させて遊技者を楽しませることができる。この場合、遊技者によっては、遊技領域５ａ内と遊技領域５ａ外との両方が気になることで、どちらにも集中できなくなって興趣を低下させてしまう虞があるが、遊技状態（チャンスの到来）に応じて線状発光レンズ部材２３７等が発光するため、線状発光レンズ部材２３７等が発光するまでは遊技領域５ａ内へ集中することができ、遊技領域５ａ内での遊技を楽しませることができると共に、線状発光レンズ部材２３７等の発光時には上皿液晶表示装置２４４での演出を楽しませることができ、遊技にメリハリを付けて飽き難くすることができる。
【０１７６】
また、遊技領域５ａの下側で遊技者側へ膨出した皿ユニット２００に上皿液晶表示装置２４４を備えているため、上皿液晶表示装置２４４が遊技者から近い位置に配置されることとなる。これにより、本パチンコ機１の正面に位置している遊技者によって上皿液晶表示装置２４４が隠れ易くなり、上皿液晶表示装置２４４を隣や後ろの他の遊技者からは見え難くなるため、上皿液晶表示装置２４４により提示される演出を当該遊技者のみに楽しませることができる。従って、上皿液晶表示装置２４４による演出を楽しんでいる時に、他の遊技者によって覗かれることで、不快に感じて興趣を低下させてしまうのを低減させることができると共に、上皿液晶表示装置２４４による演出の提示の際に線状発光レンズ部材２３７等が発光することで、上皿液晶表示装置２４４による演出を見逃し難くすることができ、上皿液晶表示装置２４４による演出を楽しませて興趣が低下するのを抑制することができる。
【０１７７】
更に、線状発光レンズ部材２３７等を帯状に発光させるようにしているため、点状に発光させる場合と比較して、線状発光レンズ部材２３７等の発光を目立ち易くすることができ、遊技者の意識が遊技領域５ａ内に集中していても、線状発光レンズ部材２３７等の発光に気付かせ易くすることができ、上皿液晶表示装置２４４やタッチパネル２４６等による演出を楽しませて興趣が低下するのを抑制することができる。また、線状発光レンズ部材２３７等を帯状に発光させるため、他の発光装飾体等の発光とは異なる発光態様となり、発光装飾体等の発光と誤認してしまうのを低減させることができ、確実に線状発光レンズ部材２３７等の発光に気付かせることができる。
【０１７８】
また、上皿液晶表示装置２４４の外周縁のうち遊技領域５ａに近い後側の位置に線状発光レンズ部材２３７等を配置しているため、線状発光レンズ部材２３７等を発光させた時に、線状発光レンズ部材２３７等の光を遊技者の視界に入り易くすることができ、線状発光レンズ部材２３７等の発光に気付かせて上皿液晶表示装置２４４の演出を楽しませることができる。
【０１７９】
また、上皿２０１等を有している皿ユニット２００の上面に上皿液晶表示装置２４４等を有した演出操作ユニット２００を備えており、皿ユニット２００の上皿２０１は遊技領域５ａ内に打込むための遊技球の量を確認するための遊技者がある程度の頻度で視線を向けることから、上皿２０１へ視線を向けた際に上皿液晶表示装置２４４や線状発光レンズ部材２３７等が視界に入り易く、線状発光レンズ部材２３７の発光に気付き易くなる。また、遊技者が上皿２０１へある程度の頻度で視線を向けることから、視線を遊技領域５ａ内から上皿２０１（上皿液晶表示装置２４４）へ向け易い。従って、線状発光レンズ部材２３７等の発光に気付いた時に、即座に視線を上皿液晶表示装置２４４へ移すことができ、上皿液晶表示装置２４４により提示される演出を楽しませて興趣が低下するのを抑制することができる。
【０１８０】
更に、遊技領域５ａの下側に演出操作ユニット２００を配置しており、下側から遊技者へ線状発光レンズ部材２３７等からの光が照射されるため、遊技領域５ａの上側に配置した場合と比較して、遊技者の目に入り易く線状発光レンズ部材２３７等の発光に気付かせ易くすることができ、遊技者を上皿液晶表示装置２４４に確実に注目させることが可能となり、演出操作ユニット２００による演出を楽しませて興趣が低下するのを抑制することができる。
【０１８１】
また、遊技領域５ａの左右方向の中央と対応する位置に演出操作ユニット２００（上皿液晶表示装置２４４）を配置しているため、遊技者の視線の中心が遊技領域５ａ内のどの位置にあっても、線状発光レンズ部材２３７等からの光に気付き易くすることができ、遊技者を確実に上皿液晶表示装置２４４へ注目させることが可能となり、演出操作ユニット２００による演出を楽しませて興趣が低下するのを抑制することができる。
【０１８２】
また、演出操作ユニット２００にタッチパネル２４６を備えているため、画像による演出の他に、遊技者にタッチパネル２４６を操作させる演出も行うことができ、多彩な演出によって遊技者を楽しませることができると共に、遊技者にタッチパネル２４６を操作させることで、演出に参加させることができ、遊技者に対して能動的に演出を楽しませて興趣が低下するのを抑制することができる。
【０１８３】
更に、タッチユニット２２０Ｂの後側の外周縁に沿って配置された線状発光レンズ部材２３７（線状発光部２３７ｂ）が、上皿２０１における遊技球を球送りユニット５４０（球発射装置６８０）へ送る誘導通路部２１２ａに沿って配置されていると共に、誘導通路部２１２ａとの間に上皿球抜きユニット３１０を動作させる上皿球抜きボタン２３９を配置されている。つまり、遊技者が遊技に必要な遊技球を確認する場所の近傍に線状発光レンズ部材２３７が備えられており、遊技中でも遊技者が気にする位置に線状発光レンズ部材２３７を配置した構成としているため、線状発光レンズ部材２３７の発光に気付かせることができ、遊技者の関心をタッチユニット２２０Ｂに引付けてタッチユニット２２０Ｂによる演出（上皿液晶表示装置２４４による演出画像、タッチパネル２４６のタッチ操作、等）のタイミングに気付き易くすることができる。
【０１８４】
また、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の上皿下被覆部２６２の上面よりも高い位置に配置していると共に、タッチユニット２２０Ｂの後側の外周面に防水シール２４８を貼付けているため、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１８５】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１８６】
更に、皿ユニット２００の演出操作ユニット２２０において、加振装置２４２によってタッチパネル２４６と上皿液晶表示装置２４４とを備えたタッチユニット２２０Ｂを振動させた際に、タッチユニット２２０Ｂが複数（二つ）のダンパ２２２を挟んで浮いた状態で取付ベースユニット２２０Ａのユニットケース２３１に取付けられているため、タッチユニット２２０Ｂ（加振装置２４２）の振動がダンパ２２２によって吸収・減衰されて取付ベースユニット２２０Ａに伝わることとなり、取付ベースユニット２２０Ａの振動を低減させることができる。従って、タッチユニット２２０Ｂのタッチパネル２４６をタッチ操作した際に、加振装置２４２によってタッチユニット２２０Ｂを振動させると、タッチユニット２２０Ｂのみが振動することとなるため、遊技者に対してタッチユニット２２０Ｂのタッチパネル２４６の操作感を十分に付与することができ、遊技者にタッチパネル２４６のタッチ操作を楽しませて興趣が低下するのを抑制することができる。
【０１８７】
また、加振装置２４２によってタッチユニット２２０Ｂを振動させることができるため、遊技者に対してタッチパネル２４６の操作感の他に、タッチユニット２２０Ｂの振動によって驚かせたり、タッチパネル２４６を操作するタイミングを示唆したりすることができ、タッチユニット２２０Ｂのタッチパネル２４６による操作演出を楽しませて興趣が低下するのを抑制することができる。
【０１８８】
更に、タッチユニット２２０Ｂを複数のダンパ２２２によって下側から支持しているため、タッチユニット２２０Ｂを上側から叩いたり強く押したりしてタッチユニット２２０Ｂに衝撃や荷重等が加えられても、ダンパ２２２によってその衝撃等を吸収することが可能となるため、衝撃等によってタッチユニット２２０Ｂや取付ベースユニット２２０Ａ等が破損してしまうのを低減させることができ、タッチユニット２２０Ｂ等の破損により遊技が中断することで遊技者の興趣が低下してしまうのを抑制することができる。
【０１８９】
また、タッチユニット２２０Ｂの操作する部位をタッチパネル２４６としていることから、遊技者が操作する際には、ボタンを押圧操作する場合と比較して、タッチパネル２４６に触れている時間が長くなるため、タッチパネル２４６に触れた時に加振装置２４２でタッチユニット２２０Ｂを振動させると、その振動を遊技者の指（手）に確実に伝達させることができる。従って、遊技者の指が振動することでタッチパネル２４６を操作していることを遊技者に実感させることができるため、十分な操作感を付与することができ、遊技者にタッチパネル２４６の操作を楽しませて興趣が低下するのを抑制することができる。
【０１９０】
また、タッチユニット２２０Ｂの上皿液晶表示装置２４４に表示される画像を変更することで、タッチ操作（ボタン）の種類を簡単に変更することができ、多様な演出に対応することが可能となり、多様な演出によって遊技者を飽き難くして興趣が低下するのを抑制することができる。更に、タッチユニット２２０Ｂにタッチパネル２４６を備えているため、従来の押圧ボタンと比較して、タッチ、タップ（シングルタップ、ダブルタップ）、ドラッグ、フリック、ピンチ（ピンチアウト、ピンチイン）、スワイプ、タッチアンドホールド、等の様々な操作を行うことができる。これにより、より多彩な操作演出を行うことができ、遊技者を楽しませて興趣が低下するのを抑制することができる。
【０１９１】
更に、タッチユニット２２０Ｂを、取付ベースユニット２２０Ａ（ユニットケース２３１）に対して上方へ移動不能且つ下方へ移動可能に取付けるようにしており、複数のダンパ２２２の弾性力（付勢力）によってタッチユニット２２０Ｂが上側の移動端に押し付けられた状態となるため、タッチパネル２４６の操作中にタッチユニット２２０Ｂを動き難くすることができ、タッチパネル２４６の操作を的確に行い易くすることができる。また、タッチユニット２２０Ｂが動き難くなることから、遊技者に対してタッチユニット２２０Ｂが動かないものであると思わせることができ、動かないと思っていたタッチユニット２２０Ｂが遊技状態に応じて加振装置２４２により振動することで遊技者を驚かせることができ、遊技者を楽しませて興趣が低下するのを抑制することができる。
【０１９２】
また、互いに離間した複数の加振装置２４２によってタッチユニット２２０Ｂを振動させるようにしているため、例えば、タッチパネル２４６において遊技者が操作する部位に近い位置の加振装置２４２を駆動させることで、強い振動を伝達させることができる。従って、タッチパネル２４６において、遊技者が操作すべき位置と異なる位置を操作した場合、遊技者に伝達される振動が異なることとなるため、遊技者に対して、操作を間違えていることを知らせることが可能となり、遊技者に対して正しい操作を行わせることができ、タッチパネル２４６を用いた操作演出を楽しませて興趣が低下するのを抑制することができる。
【０１９３】
また、互いに離間した複数の加振装置２４２を備えているため、各加振装置２４２の振動の周波数や強さ等を適宜制御することで、タッチパネル２４６の任意の位置で共振現象を発生させることができる。従って、遊技者が操作した任意の位置で共振現象が発生するように各加振装置２４２を制御することで、より一層の操作感を付与したり、遊技者を大いに驚かせたりすることができ、遊技者を楽しませて興趣が低下するのを抑制することができる。
【０１９４】
更に、タッチユニット２２０Ｂが上側から叩かれたり強く押されたりしてタッチユニット２２０Ｂに衝撃や荷重等が作用した場合、タッチユニット２２０Ｂの左右両端側がダンパ２２２を挟んでユニットケース２３１に取付けられているため、ダンパ２２２とタッチユニット２２０Ｂの撓りとによって上側からの衝撃等をある程度吸収して（減衰させて）ユニットケース２３１側へ伝達させることができる。また、ユニットケース２３１側では、ユニットケース２３１の外縁が下側の取付ベース２３０に取付けられているため、ユニットケース２３１を介したタッチユニット２２０Ｂ側からの衝撃や荷重等を、取付ベース２３０に対して広く分散させて伝達させることができる。この際に、ユニットケース２３１の下面から下方へ突出した受突部２３１ｅの外周壁と、取付ベース２３０の取付側受部２３０ａの底面において受突部２３１ｅが挿入されている筒状受部２３０ｃの内周壁との間に隙間が形成されているため、タッチユニット２２０Ｂからの衝撃や荷重等によって、ユニットケース２３１が下方へ撓んだ後に、受突部２３１ｅと筒状受部２３０ｃとが当接してユニットケース２３１から取付ベース２３０へ衝撃等が伝達されることとなり、ユニットケース２３１の撓みによって、衝撃等が更に減衰された状態で取付ベース２３０に伝達される。この受突部２３１ｅの外周壁と筒状受部２３０ｃの内周壁は、下方へ窄まっているため、受突部２３１ｅと筒状受部２３０ｃとが当接すると、受突部２３１ｅ（ユニットケース２３１）側からの衝撃や荷重等が、取付ベース２３０の取付側受部２３０ａの底面に対して斜め方向へ伝達され、取付ベース２３０の取付側受部２３０ａの底面に垂直な方向と底面に沿った方向とに分解されることとなり、取付ベース２３０を撓ませようする底面に垂直な方向（下方向）の力が小さくなって取付ベース２３０側へ伝達される。従って、タッチユニット２２０Ｂが上側から叩かれたり強く押されたりしても、複数のダンパ２２２、ユニットケース２３１、取付ベース２３０によって、その衝撃等を効果的に減衰させることができ、タッチユニット２２０Ｂや取付ベースユニット２２０Ａが破損するのを抑制することができる。
【０１９５】
［３．遊技盤］
次に、パチンコ機１の遊技盤５について、図４７乃至図６０を参照して詳細に説明する。図４７は、遊技盤の正面図である。図４８は遊技盤を前から見た斜視図であり、図４９は遊技盤を後ろから見た斜視図である。図５０は、遊技領域内における遊技球の流通可能な領域を示す説明図である。図５１（ａ）は図５０において遊技盤の右端付近を拡大して示す説明図であり、（ｂ）はセンター役物の右側面において遊技パネルの前面よりも前側のみを示す説明図である。図５２（ａ）は遊技盤の裏ユニットにおける落下演出ユニットを前から見た斜視図であり、（ｂ）は落下演出ユニットを後ろから見た斜視図である。図５３は落下演出ユニットを分解して前から見た分解斜視図であり、図５４は落下演出ユニットを分解して後ろから見た分解斜視図である。
【０１９６】
図５５（ａ）は落下演出ユニットの構成を概略で示し落下装飾体が上昇している通常の状態を示す説明図であり、（ｂ）は落下装飾体が上下に揺動している状態を示す説明図であり、図５６（ｃ）は落下装飾体が落下した状態を示す説明図であり、（ｄ）は落下した落下装飾体を通常の状態へ上昇させている状態を示す説明図である。
【０１９７】
図５７は落下演出ユニットの落下装飾体が落下した状態を示す遊技盤の正面図であり、図５８は落下演出ユニットの落下装飾体が落下した後に上演出ユニットの上装飾体が下方へ回動した状態を示す遊技盤の正面図である。図５９は、シャッター演出ユニットの上シャッターと下シャッターとが閉じた状態を示す遊技盤の正面図である。図６０は、左演出ユニットの左装飾体が右方へ回動していると共に、右演出ユニットの右装飾体が左方へ移動している状態を示す遊技盤の正面図である。
【０１９８】
本実施形態の遊技盤５は、図示するように、遊技者がハンドルユニット５００のハンドルレバー５０４を操作することで遊技球が打込まれる遊技領域５ａの外周を区画し外形が正面で略矩形状とされた前構成部材１０００と、前構成部材１０００の後側に取付けられており遊技領域５ａの後端を区画する板状の遊技パネル１１００と、遊技パネル１１００の後側下部に取付けられている基板ホルダ１２００と、基板ホルダ１２００の後面に取付けられており遊技球を遊技領域５ａ内へ打込むことで行われる遊技内容を制御する主制御基板を収容している主制御基板ボックス１３００と、を備えている。遊技パネル１１００の前面において遊技領域５ａ内となる部位には、遊技球と当接する複数の障害釘が所定のゲージ配列で植設されている（図示は省略）。
【０１９９】
また、遊技盤５は、主制御基板からの制御信号に基づいて所定の遊技状況を表示し前構成部材１０００の左下隅に遊技者側へ視認可能に取付けられている機能表示ユニット１４００と、遊技パネル１１００の後側に前側から視認可能に取付けられている中央液晶表示装置１５００と、中央液晶表示装置１５００の後側に取付けられている周辺制御ユニット１６００と、遊技パネル１１００の前面に取付けられる表ユニット２０００と、遊技パネル１１００の後面に取付けられる裏ユニット３０００と、を更に備えている。
【０２００】
［３−１．前構成部材］
前構成部材１０００は、正面視の外形が略正方形とされ、内形が略円形状に前後方向へ貫通しており、内形の内周によって遊技領域５ａの外周を区画することができる。この前構成部材１０００は、正面視で左右方向中央から左寄りの下端から時計回りの周方向へ沿って円弧状に延び正面視左右方向中央上端を通り過ぎて右斜め上部まで延びた外レール１００１と、外レール１００１に略沿って前構成部材１０００の枠内の内側に配置され正面視左右方向中央下部から正面視左斜め上部まで円弧状に延びた内レール１００２と、内レール１００２の下端の正面視右側で遊技領域５ａの最も低くなった位置に形成されており後方へ向かって低くなるように傾斜しているアウト誘導部１００３と、アウト誘導部１００３の正面視右端から前構成部材１０００の右辺付近まで右端側が僅かに高くなるように直線状に傾斜している右下レール１００４と、右下レール１００４の右端から前構成部材１０００の右辺に沿って外レール１００１の上端の下側まで延びており上部が前構成部材１０００の枠内の内側へ湾曲している右レール１００５と、右レール１００５の上端と外レール１００１の上端とを繋いでおり外レール１００１に沿って転動して来た遊技球が当接する衝止部１００６と、を備えている。
【０２０１】
また、前構成部材１０００は、内レール１００２の上端に回動可能に軸支され、外レール１００１との間を閉鎖するように内レール１００２の上端から上方へ延出した閉鎖位置と正面視時計回りの方向へ回動して外レール１００１との間を開放した開放位置との間でのみ回動可能とされると共に閉鎖位置側へ復帰するように図示しないバネによって付勢された逆流防止部材１００７を、備えている。
【０２０２】
［３−２．遊技パネル］
遊技パネル１１００は、外周が枠状の前構成部材１０００の内周よりもやや大きく形成されていると共に透明な合成樹脂で形成されている平板状のパネル板１１１０と、パネル板１１１０の外周を保持しており前構成部材１０００の後側に取付けられると共に後面に裏ユニット３０００が取付けられる枠状のパネルホルダ１１２０と、を備えている。遊技パネル１１００のパネル板１１１０は、遊技領域５ａ内において最も低い位置となる部位に前後に貫通しているアウト口１１１１が形成されている。また、パネル板１１１０には、前後に貫通しており表ユニット２０００を取付けるための取付口（図示は省略）が複数形成されている。
【０２０３】
遊技パネル１１００を前構成部材１０００の後側に取付けた状態では、前構成部材１０００のアウト誘導部１００３の後側にパネル板１１１０のアウト口１１１１が開口した状態となる。これにより、遊技領域５ａの下端へ流下した遊技球が、アウト誘導部１００３によって後側のアウト口１１１１へ誘導され、アウト口１１１１を通って遊技パネル１１００の後側へ排出することができる。
【０２０４】
［３−３．基板ホルダ］
基板ホルダ１２００は、上方及び前方が開放された横長の箱状に形成されており、底面が左右方向中央へ向かって低くなるように傾斜している。この基板ホルダ１２００は、遊技盤５に組立てた状態では、遊技パネル１１００の後側に取付けられている裏ユニット３０００の下部を下側から覆うことができる。これにより、遊技パネル１１００の後側へ排出された遊技球を全て受けることができ、底面に形成された排出部（図示は省略）から下方へ排出することができる。
【０２０５】
［３−４．中央液晶表示装置］
中央液晶表示装置１５００は、正面視において遊技領域５ａの中央に配置されており、遊技パネル１１００の後側に裏ユニット３０００の裏箱３０１０を介して取付けられている。詳述すると、中央液晶表示装置１５００は、裏箱３０１０の後壁の略中央の後面に対して、着脱可能に取付けられている。この中央液晶表示装置１５００は、遊技盤５を組立てた状態で、枠状のセンター役物２５００の枠内を通して、前側（遊技者側）から視認することができる。
【０２０６】
［３−５．周辺制御ユニット］
周辺制御ユニット１６００は、中央液晶表示装置１５００の後面に取付けられている。周辺制御ユニット１６００は、図示は省略するが、主制御基板からの制御信号に基いて遊技者に提示する演出を制御する周辺制御基板と、中央液晶表示装置１５００に表示される演出画像の表示を制御する画像表示制御基板と、演出画像、演出サウンド、演出制御プログラム、等が記憶されたＲＯＭを備えているＲＯＭ基板と、を備えている。
【０２０７】
［３−６．表ユニット］
表ユニット２０００は、遊技パネル１１００（パネル板１１１０）の前面から前方（遊技領域５ａ内）へ突出するようにパネル板１１１０に取付けられており、遊技領域５ａ内において遊技球を受入可能とされている一般入賞口２００１、第一始動口２００２、第二始動口２００３、及び大入賞口２００４と、遊技球の通過を検知するゲートセンサ２００５と、ゲートセンサ２００５での遊技球の検知に応じて開閉し第二始動口２００３を閉鎖している第二始動口扉２００６と、第一始動口２００２及び第二始動口２００３への遊技球の受入れに応じて開閉し大入賞口２００４を閉鎖している大入賞口扉２００７と、を備えている。一般入賞口２００１及び第一始動口２００２は、閉鎖されることなく遊技領域５ａ内で常時開口している。
【０２０８】
また、表ユニット２０００は、遊技パネル１１００の前面においてアウト口１１１１の直上に取付けられ三つの一般入賞口２００１と第一始動口２００２とを備えている始動口ユニット２１００と、遊技パネル１１００の前面において始動口ユニット２１００の左やや上側に取付けられており一つの一般入賞口２００１を備えているサイドユニット２２００と、遊技パネル１１００の前面において始動口ユニット２１００の右側に取付けられており第二始動口２００３及び大入賞口２００４を備えているアタッカユニット２３００と、遊技パネル１１００の前面において始動口ユニット２１００、サイドユニット２２００、及びアタッカユニット２３００の上側に取付けられておりゲートセンサ２００５を備えている枠状のセンター役物２５００と、を備えている。
【０２０９】
［３−６ａ．始動口ユニット］
始動口ユニット２１００には、遊技領域５ａの左右方向中央となりアウト口１１１１の直上となる位置に第一始動口２００２が上方へ開口するように備えられている。また、始動口ユニット２１００には、第一始動口２００２の左側に一つの一般入賞口２００１が、第一始動口２００２の右側に二つの一般入賞口２００１が、夫々上方へ開口するように備えられている。三つの一般入賞口２００１は、第一始動口２００２よりも低い位置に備えられている。これら一般入賞口２０１及び第一始動口２００２に受入れられた遊技球は、遊技パネル１１００の後側へ誘導されて下方へ排出される。
【０２１０】
［３−６ｂ．サイドユニット］
サイドユニット２２００には、斜め左上へ開口するように一般入賞口２００１が備えられている。また、サイドユニット２２００は、一般入賞口２００１の左上に遊技パネル１１００の前面から前方へ突出していると共に右端側が低くなるように傾斜しており遊技球が転動可能な転動棚２２０１を備えている。サイドユニット２２００を遊技盤５に取付けた状態では、前構成部材１０００の内レール１００２の内周に沿うように位置しており、一般入賞口２００１が第一始動口２００２よりも高い位置となると共に、転動棚２２０１の左端が内レール１００２に近接した状態となる。これにより、内レール１００２の内周に沿うように流下してきた遊技球を、転動棚２２０１によって遊技領域５ａの中央側へ寄せることができる。サイドユニット２２００の一般入賞口２００１に受入れられた遊技球は、遊技パネル１１００の後側へ誘導されて下方へ排出される。
【０２１１】
［３−６ｃ．アタッカユニット］
アタッカユニット２３００は、遊技球の外径の４〜６倍の長さで左右に延びており前方へ開口している大入賞口２００４と、大入賞口２００４の右端付近の上側で上方に開口している第二始動口２００３と、大入賞口２００４の下辺に沿って回動可能とされており大入賞口２００４を閉鎖可能な左右に延びた平板状の大入賞口扉２００７と、前後に進退し第二始動口２００３を閉鎖可能な平板状の第二始動口扉２００６と、を備えている。
【０２１２】
アタッカユニット２３００は、遊技パネル１１００の前面よりも前方（遊技領域５ａ内）へ突出しており、第二始動口２００３に受入れられた（通過した）遊技球を、大入賞口２００４の上方において、大入賞口２００４の右端付近から大入賞口２００４の左右中央よりも左側まで誘導する第二始動口通路２３１０と、第二始動口２００３の上方で遊技パネル１１００の前面よりも前方へ突出しており遊技球が一つのみ追加可能とされた通路入口２３１１と、通路入口２３１１の右端側と第二始動口２００３の右端側とを繋ぐ平板状の連結壁２３１２と、を備えている（図５１を参照）。
【０２１３】
アタッカユニット２３００は、第二始動口扉２００６が第二始動口２００３を閉鎖している状態では、通路入口２３１１を通過した遊技球が、第二始動口扉２００６の上面に流下する。この第二始動口扉２００６は、左側が低くなるように傾斜している。これにより、第二始動口扉２００６上に流下した遊技球は、第二始動口扉２００６上を左方へ転動することとなり、第二始動口扉２００６の左端から第二始動口通路２３１０の外周上面に沿って更に左方へ転動し、第二始動口通路２３１０の外周上面左端から下方へ放出されることとなる。
【０２１４】
一方、第二始動口扉２００６が後退して第二始動口２００３が開放されている時には、通路入口２３１１を通過した遊技球が、第二始動口２００３を通って第二始動口通路２３１０内へ進入し、第二始動口２００３に遊技球が受入れられた状態となる。そして、第二始動口通路２３１０に進入した遊技球は、第二始動口通路２３１０によって左側へ誘導させ、第二始動口通路２３１０の左端部付近から遊技パネル１１００の後側へ誘導されて下方へ排出される。
【０２１５】
また、大入賞口扉２００７が大入賞口２００４を閉鎖している状態では、大入賞口扉２００７が遊技パネル１１００の前面に平行でその前面から僅かに突出しているだけの状態であるため、上方から大入賞口２００４へ流下してきた遊技球は、大入賞口２００４に受入れられることなく大入賞口扉２００７の前側を通って大入賞口２００４よりも下方へ流下することとなる。
【０２１６】
一方、大入賞口扉２００７の上端が前方へ移動するように大入賞口扉２００７が回動して大入賞口２００４が開放されている時には、大入賞口２００４へ流下してきた遊技球が、大入賞口扉２００７に当接し、大入賞口扉２００７によって後方の大入賞口２００４へ誘導されて大入賞口２００４に受入れられることとなる。従って、第二始動口通路２３１０の外周上面左端から下方へ放出された遊技球は、大入賞口２００４が開放されている時には極めて高い確率で大入賞口２００４に受入れられる。
【０２１７】
［３−６ｄ．センター役物］
センター役物２５００は、全体が枠状に形成されており、略全周に亘って遊技パネル１１００の前面よりも前方（遊技領域５ａ内）へ突出している前方突出部２５０１と、前方突出部２５０１の外周面の正面視左側に開口しており遊技球が進入可能なワープ入口２５０２と、ワープ入口２５０２に進入した遊技球をワープ入口２５０２よりも下側で枠内へ誘導するワープ通路２５０３と、ワープ通路２５０３の下端に開口しており遊技球が通過可能なワープ出口２５０４と、ワープ出口２５０４から放出された遊技球が転動可能とされており左右に延びていると共に左右方向中央が低くなるように湾曲しているステージ２５０５と、センター役物２５００は、ステージ２５０５の左右方向中央の後側で前方へ向かって開口しており遊技球が進入可能なチャンス入口２５０６と、チャンス入口２５０６に進入した遊技球が放出可能とされておりステージ２５０５よりも下側で前方へ向かって開口しているチャンス出口２５０７と、を備えている（図５０を参照）。
【０２１８】
センター役物２５００は、前方突出部２５０１の外周面における上部の左右方向中央より右側の部位が、遊技領域５ａの外周（外レール１００１）との間に遊技球が一つのみ流通可能な間隔を開けて遊技パネル１１００に取付けられる。これにより、センター役物２５００を遊技盤５に組立てた状態では、センター役物２５００によって遊技領域５ａが左右に分割された状態となる。
【０２１９】
センター役物２５００のステージ２５０５は、チャンス入口２５０６の前側となる左右方向中央の部位の左右両側に、前方へ向かって低くなるように傾斜しており遊技球を前方へ放出可能な放出部２５０５ａを備えている。
【０２２０】
センター役物２５００を遊技盤５に組立てた状態では、ステージ２５０５が、遊技パネル１１００の前面よりも後側に位置していると共に、チャンス出口２５０７が、遊技パネル１１００の前面と前後方向が略同じ位置に開口している。また、センター役物２５００を遊技盤５に組立てた状態では、チャンス出口２５０７が、始動口ユニット２１００の第一始動口２００２の直上に位置している。これにより、チャンス出口２５０７から遊技球が放出されると、極めて高い確率で第一始動口２００２に受入れられる。
【０２２１】
また、センター役物２５００は、前方突出部２５０１内において正面視右辺に沿って上下に延びており上端側から遊技球が流通可能な誘導通路２５１０と、誘導通路２５１０の下端と連通していると共に遊技球が流通可能な所定広さとされており下端が下方へ開放されている拡張空間２５２０と、誘導通路２５１０内の上端付近に配置されており誘導通路２５１０内を流通している遊技媒体を検知可能な進入検知センサ２５３０と、を備えている。センター役物２５００は、拡張空間２５２０内にゲートセンサ２００５が備えられている（図５０及び図５１を参照）。
【０２２２】
センター役物２５００の誘導通路２５１０は、図５１等に示すように、上端が前方突出部２５０１の外周上面に開口しており左右に蛇行している第一通路部２５１１と、第一通路部２５１１の下端と上端側が連通していると共に下端側が拡張空間２５２０の上端と連通しており上下に延びている第二通路部２５１２と、第一通路部２５１１及び第二通路部２５１２の前端及び後端を形成しており遊技球を一つのみ流通可能な間隔Ｓ１で前後に離間している平板状の一対の壁体２５１３と、一対の壁体２５１３同士を繋いでおり遊技球が流通可能な第一通路部２５１１及び第二通路部２５１２を形成している板状の通路壁２５１４と、一対の壁体２５１３の互いに対向している面から先端同士の前後の間隔Ｓ２が遊技球の外径よりも小さくなるように夫々突出しており遊技球の流通方向へ交互に列設されている複数の突部２５１５と、を備えている。
【０２２３】
また、誘導通路２５１０は、第一通路部２５１１の天井から下方へ突出している複数の突起部２５１６と、一対の壁体２５１３のうちの前側の壁体２５１３において第二通路部２５１２の途中で前後に貫通しており遊技球が通過可能な切欠部２５１７と、後側の壁体２５１３における切欠部と対向している部位において突部２５１５と同じ距離で前方へ膨出している膨部２５１８と、を備えている。
【０２２４】
進入検知センサ２５３０は、第一通路部２５１１内の中央よりも上側に配置されている。センター役物２５００を遊技盤５に組立てた状態では、第一通路部２５１１（誘導通路２５１０）の上端側が、遊技領域５ａの外周の一部を形成している衝止部１００６の直下に開口している。これにより、遊技領域５ａ内におけるセンター役物２５００の左右方向中央よりも右側の上部に打込まれた遊技球は、全て誘導通路２５１０に進入する。
【０２２５】
第二通路部２５１２は、センター役物２５００を遊技盤５に取付けた状態で、遊技領域５ａの外周（前構成部材１０００の右レール１００５）に沿って上下に延びている。そして、第二通路部２５１２は、前構成部材１０００の右レール１００５と沿う部位（正面視右端側）が右方へ開放されている。また、第二通路部２５１２は、下部が左方へ屈曲した後に下方へ開放されている。一対の壁体２５１３の間隔Ｓ１は、技球の外径に対して１．２〜１．４倍とされている。また、一対の壁体２５１３の互いに対向している面から夫々突出している突部２５１５の先端同士の前後の間隔Ｓ２は、遊技球の外径に対して０．７〜０．９倍とされている。
【０２２６】
センター役物２５００の拡張空間２５２０は、遊技球の外径の３．５〜５倍の幅で左右に広がっており、誘導通路２５１０（第二通路部２５１２）の下端開口の直下で、遊技球の外径と同じ距離よりもやや離れた位置にゲートセンサ２００５が備えられている。これにより、誘導通路２５１０を流通して遊技球が拡張空間２５２０に進入すると、極めて高い確率でゲートセンサ２００５を通過する。
【０２２７】
また、拡張空間２５２０は、ゲートセンサ２００５が備えられている部位よりも下側が左右に並んだ左通路２５２１、中通路２５２２、及び右通路２５２３の三つの通路に区画されている。これにより、誘導通路２５１０から拡張空間２５２０に進入した遊技球が、ゲートセンサ２００５の左側を通過すると、左通路２５２１を通って下方へ放出され、ゲートセンサ２００５を通過すると、中通路２５２２を通って下方へ放出され、ゲートセンサ２００５の右側を通過すると、右通路２５２３を通って下方へ放出される。センター役物２５００を遊技盤５に組立てた状態では、拡張空間２５２０の中通路２５２２の下端が、アタッカユニット２３００における通路入口２３１１の直上に位置している。これにより、拡張空間２５２０内に進入した遊技球がゲートセンサ２００５を通過すると、極めて高い確率でアタッカユニット２３００の通路入口２３１１に進入して第二始動口２００３上へ送られる。
【０２２８】
センター役物２５００の誘導通路２５１０は、一対の壁体２５１３の対向している面から夫々交互に突出している突部２５１５の先端同士の間の間隔を、遊技球の外径よりも小さくしているため、対向している突部２５１５の先端同士の間を遊技球が真直ぐに移動することができず、各突部２５１５を回り込むように遊技球が移動することとなり、一対の壁体２５１３が離間している前後方向へ遊技球をジグザグに流通させることができる。また、誘導通路２５１０の第一通路２５１１を左右に蛇行させているため、第一通路２５１１では、遊技球が前後にジグザグに移動しつつ左右に蛇行する流れとなる。
【０２２９】
また、第二通路部２５１２には、複数の突部２５１５に加えて、後側の壁体２５１３から前方へ突出している膨部２５１８と、前側の壁体２５１３における膨部２５１８の前側に遊技球が通過可能な切欠部２５１７と、を備えて、パチンコ機１に組立てた状態では、切欠部２５１７のすぐ前にガラス板５６４が位置しているため、第二通路部２５１２を流下してきた遊技球が、膨部２５１８によって切欠部２５１７内へ一部が進入してから再び第二通路部２５１２内を流下する流れとなる。つまり、遊技球が切欠部２５１７内に入ることで、遊技球の流れが一旦停止するような流れとなる。
【０２３０】
上記のような理由により、本実施形態では、誘導通路２５１０を流通する遊技球の流通距離が、誘導通路２５１０の高に対して、１．５〜３倍となるため、遊技球の流通時間を長くすることができると共に、流通速度を落下させた場合と比較して遅くすることができる。従って、誘導通路２５１０を流通する遊技球を見易くすることができ、誘導通路２５１０を流通する遊技球の動きを楽しませることができる。
【０２３１】
センター役物２５００は、枠状の左辺側で前方突出部２５０１の後側に備えられており、遊技状態に応じて可動する左演出ユニット２６００を備えている。この左演出ユニット２６００は、図４８等に示すように、半円柱状に上下に延びており表面に装飾が形成されている左装飾体２６１０と、左装飾体２６１０の下端を前後に延びた軸周りに回動可能に取付けており前方突出部２５０１の後側に取付けられている左ユニットベース２６２０と、左ユニットベース２６２０に取付けられており左装飾体を回動させる左演出駆動モータ（図示は省略）と、を備えている。
【０２３２】
この左演出ユニット２６００は、図４７に示すように、通常の状態では左装飾体２６１０が垂直に直立した状態となっており、遊技状態に応じて左演出駆動モータを駆動させることで、左装飾体２６１０が下端を中心に時計回りの方向へ回動し、上端側が枠内の中央側へ寄るように斜めに傾斜した状態となる（図６０を参照）。
【０２３３】
［３−７．裏ユニット］
裏ユニット３０００は、遊技パネル１１００の後側に取付けられ前方が開放された箱状の裏箱３０１０と、裏箱３０１０内の前端付近に取付けられている発光装飾ユニット（図示は省略）と、発光演出ユニットの後側で裏箱３０１０内の左部に取付けられている落下演出ユニット３１００と、裏箱３０１０内の上部に取付けられている上演出ユニット３２００と、落下演出ユニット３１００及び上演出ユニット３２００の後側で裏箱３０１０内の上部及び下部に取付けられているシャッターユニット３３００と、裏箱３０１０内の右部に取付けられている右演出ユニット３４００と、シャッターユニット３３００の前側で裏箱３０１０内の下部に取付けられている下演出ユニット３５００と、を備えている。
【０２３４】
裏箱３０１０は、後壁に貫通した開口部を有しており、その開口部を閉鎖するように中央液晶表示装置１５００が後面に着脱可能に取付けられる。また、発光装飾ユニットは、遊技盤５に組立てた状態で、遊技領域５ａ内におけるセンター役物２５００の外周の左右中央よりも左側の部位に位置するように全体がＣ字状に形成されている。この発光装飾ユニットは、前方へ光を照射可能な複数のＬＥＤを備えており、遊技状態に応じてＬＥＤを適宜発光させることで、遊技領域５ａ内を発光装飾させることができる。
【０２３５】
［３−７ａ．落下演出ユニット］
落下演出ユニット３１００は、図５２乃至図５４に示すように、裏箱３０１０内の左部に取付けられ上下に延びているユニットベース３１０１と、ユニットベース３１０１の前側に取付けられているベースカバー３１０２と、ユニットベース３１０１とベースカバー３１０２との間に取付けられておりユニットベース３１０１の上端から下端まで上下に延びた円柱状の第一シャフト３１０３と、第一シャフト３１０３の左側で第一シャフト３１０３と平行にユニットベース３１０１とベースカバー３１０２との間に取付けられておりユニットベース３１０１の上端から上下方向の中央付近まで上下に延びた円柱状の第二シャフト３１０４と、第一シャフト３１０３及び第二シャフト３１０４によって上下にスライド可能に取付けられており右端がユニットベース３１０１及びベースカバーの３１０２右側外方へ延びだしているスライダ３１０５と、スライダ３１０５の右端側の前面に取付けられており爪を模し立体的に形成されている透光性を有した落下装飾体３１０６と、落下装飾体３１０６とスライダ３１０５との間に取付けられており前面に複数のＬＥＤが実装されている落下装飾基板３１０７と、を備えている。
【０２３６】
また、落下演出ユニット３１００は、角柱状に上下に延びており左側面に上下に延びたラックギア３１０８ａを有しスライダ３１０５よりも下側で第一シャフト３１０３によって上下に昇降可能に取付けられているラック部材３１０８と、ラック部材３１０８のラックギア３１０８ａと歯合しており第二シャフト３１０４の下側でユニットベース３１０１とベースカバー３１０２とによって回転可能に取付けられている中間ギア３１０９と、斜め左下側から中間ギア３１０９と歯合している駆動ギア３１１０と、ベースカバー３１０２を貫通している回転軸に駆動ギア３１１０が固定されておりベースカバー３１０２の前面に取付けられている落下復帰モータ３１１１と、を備えている。
【０２３７】
更に、落下演出ユニット３１００は、ベースカバー３１０２の前面の上端付近に取付けられており回転軸がベースカバー３１０２を貫通してユニットベース３１０１とベースカバー３１０２との間に延びだしている落下演出モータ３１１２と、落下演出モータ３１１２の回転軸に固定されており外周の一部がスライダ３１０５と接触可能な落下カム３１１３と、落下カム３１１３が後方へ移動するのを規制しておりベースカバー３１０２の後側に取付けられている抜止め部材３１１４と、を備えている。
【０２３８】
また、落下演出ユニット３１００は、ベースカバー３１０２に取付けられておりスライダ３１０５のスライド位置を検知するスライダ検知センサ３１１５と、ベースカバー３１０２に取付けられておりラック部材３１０８の昇降位置を検知するラック検知センサ３１１６と、ベースカバー３１０２に取付けられており落下カム３１１３の回転位置を検知するカムセンサ３１１７と、ユニットベース３１０１の後面の上部に取付けられており落下装飾基板３１０７、落下復帰モータ３１１１、落下演出モータ３１１２、スライダ検知センサ３１１５、ラック検知センサ３１１６、及びカムセンサ３１１７と周辺制御基板との接続を中継する落下演出ユニット中継基板３１１８と、落下演出ユニット中継基板３１１８の後側を覆いユニットベース３１０１の後面に取付けられる基板カバー３１１９と、を備えている。
【０２３９】
ユニットベース３１０１及びベースカバー３１０２は、第一シャフト３１０３と第二シャフト３１０４の上下両端を挟持している。ユニットベース３１０１とベースカバー３１０２は、その間に、スライダ３１０５とラック部材３１０８が移動可能な空間を形成している。ベースカバー３１０２は、後面側における第二シャフト３１０４の下端を取付けている部位の正面視左側に、上面が平坦で下側が複数のリブで補強されておりスライダ３１０５が上側から当接可能なストッパ部３１０２ａを備えている。また、ベースカバー３１０２は、落下演出モータ３１１２の回転軸を中心する円弧状に延びていると共に前方へ窪み後方が開放されており、落下カム３１１３の回動範囲を規制する回動規制溝３１０２ｂを備えている。
【０２４０】
第一シャフト３１０３及び第二シャフト３１０４は、夫々金属によって形成されている。第二シャフト３１０４は第一シャフト３１０３の約半分の長さである。
【０２４１】
スライダ３１０５は、左右に延びているスライダ本体３１０５ａと、スライダ本体３１０５ａの左部で上下に貫通しており第一シャフト３１０３及び第二シャフト３１０４が摺動可能に挿入される一対の挿入孔３１０５ｂと、スライダ本体３１０５ａの前面において第一シャフト３１０３が挿入される挿入孔３１０５ｂが形成されている部位から前方へ膨出している膨出部３１０５ｃと、膨出部３１０５ｃの左端から右側へ向かうに従って低くなるように傾斜しており下側から落下カム３１１３の外周と当接可能とされたカム当接面３１０５ｄと、を備えている。スライダ３１０５のスライダ本体３１０５ａは、右端側が、遊技盤５を組立てた状態で、遊技領域５ａの左右の中央まで延出している。
【０２４２】
また、スライダ３１０５は、スライダ本体３１０５ａの前面における膨出部３１０５ｃの上側から前方へ平板状に突出しておりスライダ検知センサ３１１５に検知される検知片３１０５ｅと、スライダ本体３１０５ａの前面左下隅から前方へ突出しておりベースカバー３１０２のストッパ部３１０２ａと当接可能なストッパブロック３１０５ｆと、を備えている。スライダ３１０５は、ストッパブロック３１０５ｆがストッパ部３１０２ａと当接することにより、これ以上の下方へのスライド（落下）が規制される。
【０２４３】
落下装飾体３１０６は、スライダ本体３１０５ａの右端側前面に取付けられスライダ本体３１０５ａよりも上下へ延出している基部３１０６ａと、基部３１０６ａの下端から前方へ延出している前方延出部３１０６ｂと、前方延出部３１０６ｂの前端から前方延出部３１０６ｂよりも上下に延びていると共に左右に列設されており爪を模した三つの爪部３１０６ｃと、を備えている。
【０２４４】
ラック部材３１０８は、全体が上下に延びた角柱状に形成されており、左側面に備えられており上下に延びたラックギア３１０８ａと、上下に貫通しており第一シャフト３１０３が摺動可能に挿入される挿入孔３１０８ｂと、前面の上端付近から前方へ平板状に突出しておりラック検知センサ３１１６に検知される検知片３１０８ｃと、を備えている。
【０２４５】
中間ギア３１０９は、ラック部材３１０８のラックギア３１０８ａと噛合する第一ギア３１０９ａと、第一ギア３１０９ａの前側で第一ギア３１０９ａと一体回転し第一ギア３１０９ａよりも大径で駆動ギア３１１０と噛合する第二ギア３１０９ｂと、を備えている。
【０２４６】
落下カム３１１３は、全体が平板状で、外周形状が曲率の異なる複数の円弧で略半円形状に形成されており、弦として延びている部位の一方の端部付近に落下演出モータ３１１２の回転軸が固定される軸部３１１３ａが形成されている。また、落下カム３１１３は、前面から前方へ平板状に突出しておりカム検知センサ３１１７に検知される検知片３１１３ｂを備えている。
【０２４７】
落下カム３１１３は、落下演出ユニット３１００を組立てた状態で、軸部３１１３ａの中心が、正面視でスライダ３１０５の膨出部３１０５ｃよりも左側に位置している。そして、落下カム３１１３は、外周面において、軸部３１１３ａから最も接近した部位の軸部３１１３ａの中心からの距離が、軸部３１１３ａの中心から膨出部３１０５ｃ（カム当接面３１０５ｄ）の左端までの左右（左右の水平方向）の距離よりも短く、軸部３１１３ａから最も離れた部位の軸部３１１３ａの中心から距離が、軸部３１１３ａの中心からカム当接面３１０５ｄの右端の左寄りまでの左右の距離とされている。これにより、落下カム３１１３は、外周面における略半円形状の部位がスライダ３１０５のカム当接面３１０５ｄと当接可能とされている。
【０２４８】
また、落下カム３１１３は、落下演出ユニット３１００を組立てた状態で、検知片３１１３ｂが、ベーカバー３１０２の回動規制溝３１０２ｂ内に挿入された状態となる。これにより、落下カム３１１３の回動により検知片３１１３ｂが、円弧状に延びた回動規制溝３１０２ｂの周方向端部に当接することで、落下カム３１１３の回動範囲が規制される。
【０２４９】
本実施形態の落下演出ユニット３１００は、通常の状態では、スライダ３１０５（スライダ本体３１０５ａ）の右端側に取付けられている落下装飾体３１０６が、正面視で中央液晶表示装置１５００の略上側に位置し、落下装飾体３１０６の基部３１０６ａと爪部３１０６ｃとの間に上演出ユニット３２００の上装飾体が挿入された状態となっている。従って、前側（遊技者側）からは、落下装飾体３１０６の三つの爪部３１０６ｃのみが視認できる状態となっている（図４７等を参照）。
【０２５０】
この通常の状態では、図５５（ａ）に示すように、スライダ３１０５が第一シャフト３１０３及び第二シャフト３１０４の上端付近に位置していると共に、カム当接面３１０５ｄに落下カム３１１３の外周面が当接している。また、ラック部材３１０８が最も下降した状態となっている。また、通常の状態では、スライダ３１０５の検知片３１０５ｅ、ラック部材３１０８の検知片３１０８ｃ、及び落下カム３１１３の検知片３１１３ｂが、スライダ検知センサ３１１５、ラック検知センサ３１１６、及びカム検知センサ３１１７に、夫々検知された状態となっている。
【０２５１】
更に詳述すると、通常の状態では、落下カム３１１３は、検知片３１１３ｂが、軸部３１１３ａの直上に位置していると共に、外周面における弦として延びている部位が斜め右上に延びるような状態となっており、外周面のうち、軸部３１１３ａの中心から最も離れた部位が、スライダ３１０５のカム当接面３１０５ｄと当接している。このスライダ３１０５は、自重によって、カム当接面３１０５ｄが落下カム３１１３の外周面に対して上側から当接している。スライダ３１０５は、この落下カム３１１３の外周面との当接によって、下方への移動が規制されている。
【０２５２】
この通常の状態から、落下演出モータ３１１２を駆動して落下カム３１１３を正面視時計回りに回動させると、落下カム３１１３の外周面においてスライダ３１０５のカム当接面３１０５ｄと当接している部位が移動することとなる。そして、落下カム３１１３が時計回りに回動するのに従って、落下カム３１１３の回動中心（軸部３１１３ａの中心）からカム当接面３１０５ｄと当接している部位までの距離が短くなり、その部位の高さが低くなることから、落下カム３１１３の外周面に当接しているカム当接面３１０５ｄを介してスライダ３１０５が下方へスライドすることとなる（図５５（ｂ）を参照）。
【０２５３】
そして、落下カム３１１３を更に時計回りに回動させると、落下カム３１３３の検知片３１１３ｂが、ベースカバー３１０２の回動規制溝３１０２ｂの右側の端部に当接し、これ以上時計回りの方向へ落下カム３１１３が回動するのが規制される。なお、この状態でも、落下カム３１１３の外周面にスライダ３１０５のカム当接面３１０５ｄが当接しているため、スライダ３１０５がこれ以上下方へスライド（落下）することはない。
【０２５４】
この落下演出ユニット３１００では、遊技状態に応じて、落下カム３１１３を、通常の状態の位置（図５５（ａ）の位置）と、正面視時計回りに回動させた位置（図５５（ｂ）の位置）との間で、往復回動させることで、スライダ３１０５を介して落下装飾体３１０６を上下に振動（揺動）させることができる。
【０２５５】
一方、通常の状態から、落下演出モータ３１１２を駆動して落下カム３１１３を正面視反時計周りに回動させると、落下カム３１１３の外周面において、スライダ３１０５のカム当接面３１０５ｄと当接している部位が、カム当接面３１０５ｄの左端側へ移動することとなる。そして、落下カム３１１３の外周面がカム当接面３１０５ｄの左端よりも左側へ移動すると、スライダ３１０５の下方へのスライドの規制が解除され、スライダ３１０５が落下装飾体３１０６と共にそれらの自重によって落下することとなる（図５６（ｃ）を参照）。
【０２５６】
通常の状態から、第一シャフト３１０３及び第二シャフト３１０４に沿って落下したスライダ３１０５及び落下装飾体３１０６は、スライダ３１０５のストッパブロック３１０５ｆがベースカバー３１０２のストッパ部３１０２ａに当接することで、これ以上の落下が阻止され、落下が停止する（図５６（ｃ）を参照）。
【０２５７】
この落下装飾体３１０６を、落下させた状態では、落下装飾体３１０６が中央液晶表示装置１５００の前面上部の位置から、中央液晶表示装置１５００の前面中央に位置した状態となり、落下装飾体３１０６の全体が遊技者側から視認可能となる（図５７を参照）。
【０２５８】
落下装飾体３１０６（スライダ３１０５）を落下させた状態から、通常の状態に復帰させる場合は、落下復帰モータ３１１１を駆動させてラック部材３１０８を上昇させる。このラック部材３１０８は、スライダ３１０５の下側で第一シャフト３１０３に対して昇降可能に取付けられていることから、ラック部材３１０８が上昇すると、その上面がスライダ３１０５の下面と当接することとなる。そして、上面がスライダ３１０５の下面に当接した状態で、更に落下復帰モータ３１１１の駆動によりラック部材３１０８を上昇させると、ラック部材３１０８と共にスライダ３１０５（落下装飾体３１０６）が上昇する（図５６（ｄ）を参照）。
【０２５９】
その後、ラック部材３１０８と共に上昇するスライダ３１０５の検知片３１０５ｅが、スライダ検知センサ３１１５に検知されると、落下復帰モータ３１１１の駆動が停止してラック部材３１０８（スライダ３１０５）の上昇が停止すると共に、落下演出モータ３１１２の駆動により落下カム３１１３が正面視時計回りに回動し、落下カム３１１３の検知片３１１３ｂがカム検知センサ３１１７に検知されると、落下演出モータ３１１２の駆動が停止して落下カム３１１３が通常の状態の位置で停止する。
【０２６０】
そして、落下復帰モータ３１１１を逆方向に駆動させてラック部材３１０８を下降させる。このラック部材３１０８が下降することで、ラック部材３１０８と共にスライダ３１０５（落下装飾体３１０６）が下降し、スライダ３１０５のカム当接面３１０５ｄが落下カム３１１３の外周面に当接してスライダ３１０５の下降が停止する。その後は、ラック部材３１０８のみが下降し、通常の状態の位置までラック部材３１０８が下降すると落下演出モータ３１１１の駆動が停止する。これにより、通常の状態に復帰する。
【０２６１】
なお、スライダ３１０５のストッパブロック３１０５ｆの下面、及び、ベースカバー３１０２のストッパ部３１０２ａの上面、の少なくとも一方に、高分子弾性体からなる衝撃吸収部材を、備えるようにすることが望ましい。これにより、スライダ３１０５（落下装飾体３１０６）を落下させた時の衝撃を緩和させることができ、落下演出ユニット３１００を破損し難くすることができる。
【０２６２】
本実施形態の落下演出ユニット３１００は、遊技状態に応じて、通常の状態から、落下カム３１１３を正面視時計回りの方向へ往復回動させることで、落下装飾体３１０６を上下に揺動させることができる。これにより、落下装飾体３１０６が落下する前振りとして落下装飾体３１０６が揺れることで、遊技者に対して落下装飾体３１０６の落下への期待感を高めさせることができる。そして、落下カム３１１３を正面視反時計回りに回動させて、落下装飾体３１０６を自由落下させることで、従来の昇降する装飾体の下降演出よりも強いインパクトを遊技者に与えることができ、遊技者を驚かせて興趣が低下するのを抑制することができる。
【０２６３】
また、落下装飾体３１０６を落下させる前に、落下カム３１１３の往復回動によって落下装飾体３１０６を上下に揺動させることができるため、落下装飾体３１０６をいきなり落下させた場合と比較して、落下装飾体３１０６が落下する前に遊技者の関心を落下装飾体３１０６に引付けて注目させることが可能となり、落下装飾体３１０６が落下を開始する様子を確実に見せることができ、遊技者を楽しませて興趣が低下するのを抑制することができる。
【０２６４】
［３−７ｂ．上演出ユニット］
上演出ユニット３２００は、正面視センター役物２５００の枠内で中央液晶表示装置１５００の上側に配置されており立体的な装飾が施されている左右に延びた上装飾体３２１０と、上装飾体３２１０の右端側を前後に延びた軸周りに回動可能に取付けていると共に上装飾体３２１０を回動させる上演出駆動ユニット（図示は省略）と、を備えている。上装飾体３２１０は、内部に複数のＬＥＤを備えており、各ＬＥＤを適宜発光させることで発光装飾させることができる。
【０２６５】
上演出ユニット３２００の上装飾体３２１０は、左右の長さが、中央液晶表示装置１５００の左右の長さと略同じである。また、上装飾体３２１０は、通常の状態では、上昇している落下装飾体３１０６の基部３１０６ａと爪部３１０６ｃとの間に位置している。従って、落下装飾体３１０６が通常の状態（落下していない状態）では、落下装飾体３１０６によって下方への回動が阻止されている（図４７等を参照）。
【０２６６】
この上演出ユニット３２００は、落下装飾体３１０６を落下させた状態で、上演出駆動ユニットにより右端側を中心に反時計回りに回動させることで、左端側が中央液晶表示装置１５００の前面側へ移動し、全体が、左側が低く斜めになった状態となる（図５８を参照）。上演出ユニット３２００は、落下装飾体３１０６の落下と合せて回動させることで、落下装飾体３１０６の爪によって引き裂かれて落ちてきたような可動演出を遊技者に見せることができる。
【０２６７】
［３−７ｃ．シャッター演出ユニット］
シャッター演出ユニット３３００は、正面視で中央液晶表示装置１５００の上側に配置され下方へ移動可能な平板状の上シャッター３３１０と、正面視で中央液晶表示装置１５００の下側に配置され上方へ移動可能な平板状の下シャッター３３２０と、を備えている。上シャッター３３１０及び下シャッター３３２０は、左右の長さが、中央液晶表示装置１５００の左右の長さよりも、若干短く形成されている。上シャッター３３１０及び下シャッター３３２０は、前面に一部が透光性を有する装飾が施されている。また、上シャッター３３１０及び下シャッター３３２０は、複数のＬＥＤを備えており、各ＬＥＤを適宜発光させることで発光装飾させることができる。
【０２６８】
このシャッター演出ユニット３３００は、通常の状態では、上シャッター３３１０及び下シャッター３３２０が、正面（遊技者側）から視認することができない状態となっている（図４７等を参照）。このシャッター演出ユニット３３００は、遊技状態に応じて、上シャッター３３１０を下方へ移動させると共に、下シャッター３３２０を上方へ移動させると、中央液晶表示装置１５００の略中央で、上シャッター３３１０の下端と下シャッター３３２０の上端とが当接し、上シャッター３３１０と下シャッター３３２０とで、中央液晶表示装置１５００の前面が閉じられた状態となる（図５９を参照）。
【０２６９】
上シャッター３３１０及び下シャッター３３２０は、互いに当接させた（閉じた）状態では、夫々の装飾が、連続した一つの装飾となるように形成されている。また、閉じた状態では、中央液晶表示装置１５００の前面を覆って、表示されている演出画像を遊技者側から見えなくすることができる。これにより、上シャッター３３１０及び下シャッター３３２０によって、中央液晶表示装置１５００の前面を閉じることで、センター役物２５００の枠内（遊技領域５ａ内）の装飾（雰囲気）を大きく変化させることができ、遊技者を驚かせることができる。
【０２７０】
［３−７ｄ．右演出ユニット］
右演出ユニット３４００は、正面視センター役物２５００の枠内で中央液晶表示装置１５００の右側に配置されておりパチンコ機１のコンセプトに沿った所定のキャラクタの頭部を立体的に摸した右装飾体３４１０と、遊技状態に応じて右装飾体３４１０を左右へ移動させると共に左右に延びている軸周りに揺動させ、裏箱３０１０の正面視右部に取付けられる右運出駆動ユニット（図示は省略）と、を備えている。右装飾体３４１０は、複数のＬＥＤを備えており、各ＬＥＤを適宜発光させることで、発光装飾することができる。
【０２７１】
右演出ユニット３４００は、通常の状態では、右装飾体３４１０が、中央液晶表示装置１５００の正面視右側に位置している（図４７等を参照）。この右演出ユニット３４００は、遊技状態に応じて、右装飾体３４１０が通常の状態から左方へ移動して中央液晶表示装置１５００の前面側へ移動すると共に、上下に揺動することができる（図６０を参照）。これにより、右装飾体３４１０が中央液晶表示装置１５００の前側へ移動することで、右装飾体３４１０に遊技者の関心を引き付けることができる上に、右装飾体３４１０が首を振るように上下に揺動することで右装飾体３４１０の動きを楽しませることができる。
【０２７２】
［３−７ｅ．下演出ユニット］
下演出ユニット３５００は、図４７等に示すように、正面視で中央液晶表示装置１５００の下辺に沿って左右に延びている円柱状の下装飾体３５１０と、下装飾体３５１０の両端を回転可能に取付けていると共に遊技状態に応じて下装飾体３５１０を回転駆動させ、裏箱３０１０内の下部に取付けられる下演出駆動ユニット（図示は省略）と、を備えている。
【０２７３】
下演出ユニット３５００は、通常の状態では、回転が停止しており、遊技状態に応じて下装飾体３５１０が左右に延びた軸周りに回転すると共に、周方向の特定の部位を前方（遊技者側）へ向けて停止する。これにより、遊技者に対してチャンスの到来等を示唆することができ、遊技者の期待感を高めさせることができる。
【０２７４】
［４．遊技内容］
次に、本実施形態のパチンコ機１による遊技内容について説明する。本実施形態のパチンコ機１は、扉枠３の前面右下隅に配置されたハンドルユニット５００のハンドルレバー５０４を遊技者が回転操作することで、皿ユニット２００の上皿２０１に貯留された遊技球が、遊技盤５における外レール１００１と内レール１００２との間を通って遊技領域５ａ内の上部へと打ち込まれて、遊技球による遊技が開始される。遊技領域５ａ内の上部へ打ち込まれた遊技球は、その打込強さによって遊技領域５ａ内を左右に分割しているセンター役物２５００の上側の左側、或いは、右側の何れかを流下する。なお、遊技球の打込み強さは、ハンドルレバー５０４の回転量によって調整することができ、時計回りの方向へ回転させるほど強く打込むことができる。
【０２７５】
また、遊技領域５ａ内には、適宜位置に所定のゲージ配列で複数の障害釘（図示は省略）が遊技パネル１１００の前面に植設されており、遊技球が障害釘に当接することで、遊技球の流下速度が抑制されると共に、遊技球に様々な動きが付与されて、その動きを楽しませられるようになっている。また、遊技領域５ａ内には、障害釘の他に、遊技球の当接により回転する風車（図示は省略）が適宜位置に備えられている。
【０２７６】
センター役物２５００の上部へ打込まれた遊技球が、センター役物２５００の前方突出部２５０１の外周面のうち、最も高くなった部位よりも正面視左側へ進入すると、図示しない複数の障害釘に遊技球が当接しながら、センター役物２５００の左側を流下することとなる。そして、センター役物２５００の左側を流下する遊技球が、センター役物２５００の前方突出部２５０１の外周面に開口しているワープ入口２５０２に進入すると、ワープ通路２５０３を通ってセンター役物２５００の枠内に開口しているワープ出口２５０４からステージ２５０５の左端に供給される。
【０２７７】
センター役物２５００のステージ２５０５に供給された遊技球は、ステージ２５０５上を左右へ転動して行ったり来たりして、左右方向中央の両側に形成されている放出部２５０５ａから前方へ放出され、遊技領域５ａ内におけるステージ２５０５の下側で始動口ユニット２１００の上側の領域を流下することとなる。これにより、始動口ユニット２１００の一般入賞口２００１や第一始動口２００２等に遊技球が受入れられる可能性がある。
【０２７８】
ステージ２５０５を転動している遊技球が、ステージ２５０５における左右方向中央の後側に開口しているチャンス入口２５０６に進入すると、第一始動口２００２の直上に開口しているチャンス出口２５０７から遊技領域５ａ内に放出され、高い確率で第一始動口２００２に受入れられる。この第一始動口２００２に遊技球が受入れられると、主制御基板及び払出制御基板を介して払出装置８３０から所定数（例えば、３個）の遊技球が、上皿２０１に払出される。
【０２７９】
なお、ステージ２５０６から遊技領域５ａ内に放出された遊技球が、第一始動口２００２に受入れられずに、第一始動口２００２の左右何れかへ流下した場合、左右の下流に配置されている一般入賞口２００１に受入れられる可能性がある。そして、一般入賞口２００１に遊技球が受入れられると、主制御基板及び払出制御基板を介して払出装置８３０から所定数（例えば、１０個）の遊技球が、上皿２０１に払出される。
【０２８０】
ところで、センター役物２５００の左側へ流下した遊技球が、ワープ入口２５０２に進入しなかった場合、複数の障害釘やサイドユニット２２００の転動棚２２０１等によって、センター役物２５００の下側で遊技領域５ａ内の左右方向中央へ向かうように誘導され、下流側に配置されている一般入賞口２００１や第一始動口２００２等に受入れられる可能性がある。
【０２８１】
一方、遊技領域５ａ内においてセンター役物２５００の上部に打込まれた遊技球が、センター役物２５００の前方突出部２５０１の外周面の最も高くなった部位よりも右側に進入する（打込まれる）と、誘導通路２５１０へ進入し、誘導通路２５１０の第一通路部２５１１及び第二通路部２５１２を通って拡張空間２５２０に放出される。この拡張空間２５２０では、誘導通路２５１０の下端の直下にゲートセンサ２００５が配置されているため、拡張空間２５２０に放出された遊技球は、極めて高い確率でゲートセンサ２００５を通過することとなる。ゲートセンサ２００５を通過した遊技球は、中通路２５２２を通って拡張空間２５２０から下方の遊技領域５ａ内に放出される。
【０２８２】
誘導通路２５１０から拡張空間２５２０に進入した遊技球が、ゲートセンサ２００５を通過しなかった場合、ゲートセンサ２００５の左右の左通路２５２１又は右通路２５２３の何れかを通って拡張空間２５２０から下方の遊技領域５ａ内に放出される。
【０２８３】
ゲートセンサ２００５を通過し中通路２５２２を通って拡張空間２５２０から下方に放出された遊技球は、中通路２５２２の下端の直下に配置されているアタッカユニット２３００の通路入口２３１１に、極めて高い確率で進入する。そして、通路入口２３１１に進入した遊技球は、第二始動口扉２００６上に流下し、第二始動口扉２００６の上面に沿って左方へ転動することとなり、第二始動口扉２００６の左端から、更に第二始動口通路２３１０の外周上面を左方へ転動し、第二始動口通路２３１０の外周上面左端から下方へ放出される。この第二始動口通路２３１０の外周上面左端から放出された遊技球は、大入賞口２００４を閉鎖している大入賞口扉２００７の前側を通る。従って、大入賞口扉２００７が開状態の時には、大入賞口２００４に受入れられることとなる。
【０２８４】
本実施形態では、遊技球がゲートセンサ２００５を通過すると、主制御基板において普通抽選が行われ、抽選された普通抽選結果が「普通当り」の場合、第二始動口扉２００６が所定時間（例えば、０．３〜３秒）の間、後退して第二始動口２００３を開状態とする。従って、第二始動口扉２００６が後退して開状態となっているタイミングで、遊技球が通路入口２３１１を通って第二始動口扉２００６（第二始動口２００３）の位置に到達すると、遊技球が第二始動口２００３に受入れられる（第二始動口通路２３１０内に進入する）。
【０２８５】
本例では、普通抽選において、「普通当り」が抽選される確率が高く設定されている。従って、遊技球がゲートセンサ２００５を通過すると、比較的高い確率で、第二始動口２００３に受入れられる。第二始動口２００３に遊技球が受入れられると、主制御基板及び払出制御基板を介して払出装置８３０から所定数（例えば、１個）の遊技球が、上皿２０１に払出される。
【０２８６】
これにより、本実施形態では、センター役物２５００の右側を通るように遊技球の打込操作（所謂、右打ち）を行うと、極めて高い確率でゲートセンサ２００５を通過すると共に、ゲートセンサ２００５を遊技球が通過することで抽選される普通抽選結果が「普通当り」であれば、極めて高い確率で第二始動口２００３に受入れられるので、初心者や遊技に不慣れな遊技者でも簡単に第二始動口２００３に遊技球を受入れさせることができ、遊技者を楽しませることができる。
【０２８７】
ところで、本実施形態では、上述したように、遊技者が右打ちをすることで、第二始動口２００３に遊技球を簡単に受入れさせることができるため、第二始動口２００３への受入れ（入賞）により払出される遊技球が多くなると、本パチンコ機１を設置する遊技ホール側の負担が大きくなり、本パチンコ機１の設置に躊躇してしまう虞がある。しかしながら、本パチンコ機１では、第二始動口２００３への遊技球の受入れにより払出される遊技球の数を１個としているので、第二始動口２００３への受入れによる後述する特別抽選結果の抽選により遊技者の興趣を高めつつ遊技ホール側の負担を軽減させることができ、問題なく本パチンコ機１を設置させることができる。
【０２８８】
また、本実施形態では、ゲートセンサ２００５を遊技球が通過することで行われる普通抽選において、普通抽選を開始してから普通抽選結果を示唆するまでにある程度の時間を設定している（例えば、０．１〜３秒、普通変動時間とも称す）。この普通抽選結果の示唆は、遊技盤５の機能表示ユニット１４００で表示される。
【０２８９】
遊技球がゲートセンサ２００５を通過してから普通抽選結果が示唆されるまでの間に、遊技球がゲートセンサ２００５を通過すると、普通抽選結果の示唆を開始することができないため、普通抽選結果の示唆の開始を、先の普通抽選結果の示唆が終了するまで保留するようにしている。また、普通抽選結果の保留数は、４つまでを上限とし、それ以上については、ゲートセンサ２００５を遊技球が通過しても、保留せずに破棄している。これにより、保留が貯まることで遊技ホール側の負担の増加を抑制している。
【０２９０】
本実施形態のパチンコ機１は、第一始動口２００２及び第二始動口２００３に遊技球が受入れられると、主制御基板において、遊技者に有利な有利遊技状態（例えば、「大当り」、「中当り」、「小当り」、「確率変動当り」、「時間短縮当り」、等）を発生させる特別抽選結果の抽選が行われる。そして、抽選された特別抽選結果を、所定時間（例えば、５〜３６０秒）かけて遊技者に示唆する。なお、第一始動口２００２及び第二始動口２００３に遊技球が受入れられることで抽選される特別抽選結果には、「ハズレ」、「小当り」、「２Ｒ大当り」、「１５Ｒ大当り」、「確変（確率変更）当り」、「時短（時間短縮）当り」、「確変時短当り」、「確変時短無し当り」、等がある。
【０２９１】
第一始動口２００２及び第二始動口２００３への遊技球の受入れにより抽選された特別抽選結果が、有利遊技状態を発生させる特別抽選結果の場合、アタッカユニット２３００において大入賞口扉２００７が、抽選された特別抽選結果に応じた開閉パターンで開閉動作し、大入賞口２００４へ遊技球を受入れさせることができるようになる。この大入賞口２００４が開状態の時に、大入賞口２００４に遊技球が受入れられると、主制御基板及び払出基板によって払出装置８３０から所定数（例えば、１０個、又は、１３個）の遊技球が、上皿２０１に払出される。従って、大入賞口扉２００７が所定パターンで開閉動作している時に、大入賞口２００４に遊技球を受入れさせることで、多くの遊技球を払出させることができ、遊技者を楽しませることができる。
【０２９２】
本実施形態では、第一始動口２００２及び第二始動口２００３への遊技球の受入れにより特別抽選の開始から抽選された特別抽選結果が示唆されるまでの間に、第一始動口２００２及び第二始動口２００３に遊技球が受入れられると、特別抽選結果の示唆を開始することができないため、先に抽選された特別抽選結果の示唆が完了するまで、特別抽選結果の示唆の開始が保留される。この保留される特別抽選結果の保留数は、第一始動口２００２及び第二始動口２００３に対して、夫々４つまでを上限とし、それ以上については、第一始動口２００２及び第二始動口２００３に遊技球が受入れられても特別抽選結果を保留せずに、破棄している。これにより、保留が貯まることで遊技ホール側の負担の増加を抑制している。
【０２９３】
この特別抽選結果の示唆は、機能表示ユニット１４００と中央液晶表示装置１５００とで行われる。機能表示ユニット１４００では、主制御基板によって直接制御されて特別抽選結果の示唆が行われる。機能表示ユニット１４００での特別抽選結果の示唆は、複数のＬＥＤを、点灯・消灯を繰返して所定時間点滅させ、その後に、点灯しているＬＥＤの組合わせによって特別抽選結果を示唆する。
【０２９４】
一方、中央液晶表示装置１５００では、主制御基板からの制御信号に基いて、周辺制御基板によって間接的に制御され演出画像として特別抽選結果の示唆が行われる。中央液晶表示装置１５００での特別抽選結果を示唆する演出画像は、複数の図柄からなる図柄列を、左右方向へ三つ並べて表示した状態で、各図柄列を変動させ、変動表示されている図柄列を順次停止表示させ、停止表示される三つの図柄列の図柄が、特別抽選結果と対応した組合わせとなるように夫々の図柄列が停止表示される。特別抽選結果が「ハズレ」以外の場合は、三つの図柄列が停止して各図柄が停止表示された後に、特別抽選結果を示唆する確定画像が中央液晶表示装置１５００に表示されて、抽選された特別抽選結果に応じた有利遊技状態（例えば、小当り遊技、大当り遊技、等）が発生する。
【０２９５】
なお、機能表示ユニット１４００での特別抽選結果を示唆する時間（ＬＥＤの点滅時間（変動時間））と、中央液晶表示装置１５００での特別抽選結果を示唆する時間（図柄列が変動して確定画像が表示されるまでの時間）とは、異なっており、機能表示ユニット１４００の方が短い時間に設定されている。
【０２９６】
また、周辺制御基板では、中央液晶表示装置１５００による特別抽選結果を示唆するための演出画像の表示の他に、抽選された特別抽選結果に応じて、左演出ユニット２６００の左装飾体２６１０、落下演出ユニット３１００の落下装飾体３１０６、上演出ユニット３２００の上装飾体３２１０、シャッター演出ユニット３３００の上シャッター３３１０及び下シャッター３３２０、右演出ユニット３４００の右装飾体３４１０、下演出ユニット３５００の下装飾体３５１０、等を適宜用いて可動演出を行うようにしており、可動演出によっても遊技者を楽しませることができ、遊技者の遊技に対する興趣が低下するのを抑制することができる。
【０２９７】
特別抽選結果が「小当り」の場合、アタッカユニット２３００の大入賞口扉２００７が、所定短時間（例えば、０．２秒〜０．６秒の間）の間、開状態となって閉鎖する開閉パターンを複数回（例えば、２回）繰返す。一方、特別抽選結果が「大当り」の場合、アタッカユニット２３００の大入賞口扉２００７が、開状態となった後に、所定時間（例えば、約３０秒）経過、或いは、大入賞口２００４への所定個数（例えば、１０個）の遊技球の受入れ、の何れかの条件が充足すると、大入賞口扉２００７を閉状態とする開閉パターン（一回の開閉パターンを１ラウンドと称す）を、所定回数（所定ラウンド数）繰返す。例えば、「２Ｒ大当り」であれば２ラウンド、「１５Ｒ大当り」であれば１５ラウンド、夫々繰返して、遊技者に有利な有利遊技状態を発生させる。
【０２９８】
なお、「大当り」では、大当り遊技の終了後に、「大当り」等の特別抽選結果が抽選される確率を変更（「確変当り」）したり、特別抽選結果を示唆する演出画像の表示時間を変更（「時短当り」）したりする「当り」がある。
【０２９９】
このように、遊技者の操作によって遊技領域５ａ内の上部に打込まれた遊技球が、遊技領域５ａ内を流通（流下）して第一始動口２００２又は第二始動口２００３に受入れられると、特別抽選結果が抽選され、抽選された特別抽選結果に応じて、特別抽選結果を示唆する演出画像が中央液晶表示装置１５００に表示される。この演出画像が表示されることで、演出画像によってアタッカユニット２３００の大入賞口２００４が受入可能となる特別抽選結果が示唆される可能性があるため、大入賞口２００４が受入可能となるか否かで遊技者をハラハラ・ドキドキさせながら演出画像を楽しませることができ、遊技者の期待感を高めさせることができる。そして、演出画像によって大入賞口２００４が受入可能となる特別抽選結果（大当り）が示唆されると、特典が付与される大入賞口２００４の大入賞口扉２００７が所定パターンで開閉して遊技球の受入れが可能となるため、遊技者に大入賞口２００４を狙った遊技球の打込みを行わせることができると共に、大入賞口２００４への遊技球の受入れによる特典の付与によって、遊技者の興趣を高めさせることができる。
【０３００】
ところで、本実施形態のパチンコ機１では、第一始動口２００２や第二始動口２００３への遊技球の受入れにより抽選された特別抽選結果として、機能表示ユニット１４００や中央液晶表示装置１５００での特別抽選結果の示唆が終了しても、ゲートセンサ２００５での遊技球の検知がなされない限り、有利遊技状態を発生させない「特別大当り」がある。この「特別大当り」が抽選されると、中央液晶表示装置１５００に、その特別抽選結果を示唆するための特別の演出画像の表示が開始される。そして、センター役物２５００において三つの図柄列が特別抽選結果として「大当り（特別大当り）」と対応する図柄の組合わせで停止表示されると、センター役物２５００の進入検知センサ２５３０による遊技球の検知が有効となると共に、中央液晶表示装置１５００に誘導通路２５１０への遊技球の打込を促す演出画像（例えば、誘導通路２５１０を指示すような矢印の画像）が表示される。
【０３０１】
この遊技者に対する誘導通路２５１０への遊技球の打込みの促しは、中央液晶表示装置１５００による演出画像の表示の他に、誘導通路２５１０を後側から発光装飾させたり、音声や音楽等のサウンドを出力したりしても良い。
【０３０２】
中央液晶表示装置１５００において、誘導通路２５１０への遊技球の打込み（右打ち）を促す演出画像が表示されることで、遊技者が右打ちを行って誘導通路２５１０に遊技球を進入させると、誘導通路２５１０の上部に配置されている進入検知センサ２５３０を通過して、遊技球が検知される。この進入検知センサ２５３０において遊技球が検知されると、中央液晶表示装置１５００に、遊技球がゲートセンサ２００５を通過すると有利遊技状態が発生する旨を想起させる演出画像の表示が開始される。これにより、遊技者をゲートセンサ２００５に注目させることができ、遊技球がゲートセンサ２００５を通過するか否かでハラハラ・ドキドキさせて有利遊技状態の発生に対する期待感を高めることができる。
【０３０３】
この際に、本実施形態では、ゲートセンサ２００５の上流側に配置されている誘導通路２５１０は、左右に蛇行している第一通路部２５１１と、上下に延びている第二通路部２５１２と、第一通路部２５１１と第二通路部２５１２の前後の壁を形成している一対の壁体２５１３の互いに対向する面から突出し流通方向へ交互に列設されている複数の突部２５１５と、を備えている。これにより、誘導通路２５１０内では、初めの第一通路部２５１１で遊技球が左右に蛇行し、続く第二通路部２５１２で上下に流下することとなるため、遊技球が流通する位置に応じて、遊技球の動きに変化を付与することが可能となり、動きが変わる遊技球によって遊技者を飽き難くすることができ、遊技球の動きを楽しませて興趣が低下するのを抑制することができる。この誘導通路２５１０を遊技球が流通する際に、一対の壁体２５１３の対向している面から夫々交互に突出している突部２５１５の先端同士の間の間隔Ｓ２が、遊技球の外径よりも小さいため、遊技球が各突部２５１５を回り込むように移動することとなり、遊技球が誘導通路２５１０内で一対の壁体２５１３が離間している前後方向へジグザグに流通することとなる。そして、これら構成によって、誘導通路２５１０により遊技球を誘導する距離を、高さの１．５〜３倍としていることにより、遊技球を誘導通路２５１０へ打込んでからゲートセンサ２００５へ到達するまでの時間が高さと比較して長くなるため、誘導通路２５１０を流通している遊技球の動きを遊技者に確実に見せることができると共に、誘導通路２５１０内を流通している遊技球の動きを追えることで、遊技球が下流側のゲートセンサ２００５を通過することに対する期待感を高めさせることでき、遊技者を楽しませて興趣が低下するのを抑制することができる。
【０３０４】
また、誘導通路２５１０において、ゲートセンサ２００５に近い側を、上下に延びている第二通路部２５１２としており、ゲートセンサ２００５側へ近付くに従って、遊技球の流通速度を徐々に速くすることができるため、遊技球の速度が速くなることでタイトな感じにさせて期待感を盛り上げることができ、遊技者を楽しませて興趣が低下するのを抑制することができる。
【０３０５】
更に、誘導通路２５１０において蛇行している第一通路部２５１１の天井に複数の突起部２５１６を備えており、折返し部分で落下した遊技球が、底面で天井側へ跳ねると、天井に備えられている突起部２５１６に当接することとなるため、天井を平坦な面とした場合と比較して、遊技球がスムーズに反射するのを阻止して遊技球を直下や上流側へ反射させることができ、遊技球の流通を遅らせることができる。従って、第一通路部２５１１を流通する遊技球の速度を低下させることができるため、遊技球の動きを見易くすることができ、上述した作用効果を確実に奏することができる。
【０３０６】
一方、中央液晶表示装置１５００では、遊技球が誘導通路２５１０から、ゲートセンサ２００５が配置されている拡張空間２５２０に進入（又は、ゲートセンサ２００５を通過）するタイミングで、「大当り」が確定したような特別画像が表示される。これにより、遊技者の興趣を更に高めさせることができる。
【０３０７】
なお、誘導通路２５１０の第二通路部２５１２の途中に、遊技球の通過を検知する第二進入検知センサを備え、第二進入検知センサでの遊技球の通過の検知に基いて、上述した特別画像の表示タイミングを補正することが望ましい。これにより、誘導通路２５１０を流通する遊技球が、誘導通路２５１０内を所定よりも速く流通してしまったり遅く流通してしまったりすることで、遊技球がゲートセンサ２００５を通過するタイミングと、特別画像が表示されるタイミングとがずれてしまって遊技者に違和感（残念な気分）を与えてしまうのを抑制することができ、特別画像の表示タイミングと遊技球の通過タイミングとを一致させて遊技者を楽しませることができる。
【０３０８】
そして、誘導通路２５１０を流通した遊技球は、ゲートセンサ２００５が配置されている左右に大きく広がった拡張空間２５２０内へ進入するため、誘導通路２５１０から拡張空間２５２０へ進入した遊技球が、ゲートセンサ２００５を通過したり通過しなかったりすることとなる。これにより、誘導通路２５１０を流通した遊技球が、必ずしもゲートセンサ２００５を通過するとは限らないため、誘導通路２５１０を流通した遊技球がゲートセンサ２００５を通過するか否かによって遊技者をハラハラ・ドキドキさせることができ、遊技者の期待感を高めさせることができる。
【０３０９】
また、遊技球が誘導通路２５１０を流通しても下流側のゲートセンサ２００５を通過するとは限らないことから、遊技球を誘導通路２５１０へ進入させても安心することができないため、誘導通路２５１０に進入した遊技球が拡張空間２５２０に到達するまでの間、遊技球の動きに遊技者を注目させることができ、誘導通路２５１０を流通する遊技球の動きを確実に見せて遊技球の動きを楽しませることができる。
【０３１０】
そして、遊技球がゲートセンサ２００５を通過すると、演出画像による特別抽選結果の示唆の完了に関わらず、大入賞口扉２００７が所定パターンで開閉し、多くの特典が付与される機会が得られるため、ゲートセンサ２００５を狙った遊技球の打込みに続いて、大入賞口２００４を狙った遊技球の打込みを行わせることができ、遊技者を連続して楽しませることが可能となり、飽き難くして興趣が低下するのを抑制することができる。
【０３１１】
［５．本実施形態と本発明の関係］
本実施形態の裏ユニット３０００の落下演出ユニット３１００におけるスライダ３１０５のカム当接面３１０５ｄは本発明の当接面に、本実施形態の落下装飾体３１０６は本発明の装飾体に、本実施形態のラック部材３１０８、中間ギア３１０９、駆動ギア３１１０、及び落下復帰モータ３１１１は本発明の復帰機構に、本実施形態の駆動ギア３１１０は本発明のピニオンギアに、本実施形態の落下復帰モータ３１１１は本発明の復帰モータに、本実施形態の落下演出モータ３１１２は本発明の落下モータに、本実施形態の落下カム３１１３は本発明の回転部材に、夫々相当している。
【０３１２】
［６．本実施形態の特徴的な作用効果］
このように、本実施形態のパチンコ機１によると、裏ユニット３０００の落下演出ユニット３１００における落下カム３１１３の外周面において、回転中心（軸部３１１３ａの中心）からスライダ３１０５のカム当接面３１０５ｄまでの水平方向の距離よりも長い部位を、カム当接面３１０５ｄの直下となるように落下カム３１１３を回転させた状態では、落下カム３１１３の外周面に対してスライダ３１０５のカム当接面３１０５ｄが上側から当接することができるため、落下カム３１１３の外周面によってスライダ３１０５の下方への移動が規制され、スライダ３１０５が落下することはない。この落下カム３１１３の外周面は、回転中心から長い部位と短い部位とを有していることから、落下カム３１１３の外周面は、回転中心に対して真円ではない。このことから、落下カム３１１３の外周面がスライダ３１０５のカム当接面３１０５ｄと当接する範囲内で落下カム３１１３を落下演出モータ３１１２によって回転（回動）させると、落下カム３１１３の外周面においてスライダ３１０５のカム当接面３１０５ｄと当接する部位の高さが相対的に変化することとなり、カム当接面３１０５ｄを介してスライダ３１０５が上下にスライドすることとなる。従って、落下カム３１１３の外周面がスライダ３１０５のカム当接面３１０５ｄと当接する範囲内で、落下カム３１１３を往復回動させると、カム当接面３１０５ｄを介してスライダ３１０５（落下装飾体３１０６）を、所定高さ範囲内で上下に揺動させることができる。
【０３１３】
一方、落下カム３１１３の外周面において、回転中心（軸部３１１３ａの中心）からカム当接面３１０５ｄまでの水平方向の距離よりも短い部位を、カム当接面３１０５ｄよりも水平方向外側となるように落下カム３１１３を回転させた状態では、落下カム３１１３の外周面に対してスライダ３１０５のカム当接面３１０５ｄが上側から当接することができないため、スライダ３１０５が落下カム３１１３よりも下方へ移動することができ、スライダ３１０５が揺動する所定高さ範囲内よりも下方へスライダ３１０５（落下装飾体３１０６）を落下させることができる。
【０３１４】
スライダ３１０５を落下させた後には、落下復帰モータ３１１１により駆動ギア３１１０及び中間ギア３１０９を回転させることで、中間ギア３１０９と噛合するラックギア３１０８ａを有したラック部材３１０８を昇降させることができるため、スライダ３１０５が落下した状態でラック部材３１０８を上昇させると、ラック部材３１０８の上端がスライダ３１０５の下端に当接し、ラック部材３１０８と共にスライダ３１０５を上昇させることができ、スライダ３１０５のカム当接面３１０５ｄが落下カム３１１３の外周面よりも上側へ位置するまでスライダ３１０５を上昇させる。そして、ラック部材３１０８によりスライダ３１０５を上昇させた状態のままで、落下カム３１１３の外周面がカム当接面３１０５ｄの直下へ位置するように、落下カム３１１３を回動させる。その後、落下復帰モータ３１１１を逆回転させてラック部材３１０８によりスライダ３１０５を下降させることで、落下カム３１１３の外周面にカム当接面３１０５ａを当接させ、スライダ３１０５が落下不能に支持されて復帰した状態となる。
【０３１５】
このように、スライダ３１０５（落下装飾体３１０６）を落下させる機構と、落下したスライダ３１０５を上昇させる機構とを、別々の機構としているため、スライダ３１０５が自由落下する距離（高さ）をより高くすることが可能となり、大きく落下する落下装飾体３１０６によって遊技者を大いに驚かせることができ、落下装飾体３１０６の動きによって遊技者を楽しませて興趣が低下するのを抑制することができる。
【０３１６】
また、落下カム３１１３によりスライダ３１０５を介して落下装飾体３１０６を所定高さ範囲内で上下に揺動させることができるため、落下装飾体３１０６を落下させる前に、落下装飾体３１０６を揺動させることで、落下装飾体３１０６へ遊技者を注目させることができ、落下装飾体３１０６が落下する瞬間を遊技者に見せることができる。つまり、落下装飾体３１０６が落下する前に、落下装飾体３１０６がグラグラと揺動することで、遊技者に対して落下装飾体３１０６が落下するような予感を与えることが可能となり、グラグラしている落下装飾体３１０６がいつ落下するか否かで遊技者をワクワク・ドキドキさせることができ、遊技者の期待感を高めさせることができる。そして、落下装飾体３１０６が落下すると、遊技者に対して何か良いことがあるのではないかと思わせることができ、ここでも遊技者の遊技に対する期待感を高めさせることができる。従って、遊技者に落下装飾体３１０６の落下演出を十分に楽しませることができ、遊技に対する興趣が低下するのを抑制することができる。
【０３１７】
更に、外周面の部位によって回転中心（軸部３１１３ａの中心）からの距離が異なる落下カム３１１３の外周面に、スライダ３１０５のカム当接面３１０５ｄを当接させて、上下に揺動させるようにしているため、落下カム３１１３の外周面の形状を適宜選択することで、スライダ３１０５（落下装飾体３１０６）の上下の揺動を正弦波とは異なる波形で揺動させることができる。これにより、落下装飾体３１０６の揺動にリアルさを付与することができるため、遊技者に落下装飾体３１０６の揺動（動き）を楽しませることができると共に飽き難くすることができ、遊技者の遊技に対する興趣が低下するのを抑制することができる。
【０３１８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０３１９】
すなわち、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【符号の説明】
【０３２０】
１  パチンコ機
２  外枠
３  扉枠
４  本体枠
５  遊技盤
５ａ  遊技領域
１０００  前構成部材
１１００  遊技パネル
１１１０  パネル板
１１１１  アウト口
１１２０  パネルホルダ
１３００  主制御基板ボックス
１４００  機能表示ユニット
１５００  中央液晶表示装置
１６００  周辺制御ユニット
２０００  表ユニット
３０００  裏ユニット
３０１０  裏箱
３１００  落下演出ユニット
３１０１  ユニットベース
３１０２  ベースカバー
３１０２ａ  ストッパ部
３１０２ｂ  回動規制溝
３１０３  第一シャフト
３１０４  第二シャフト
３１０５  スライダ
３１０５ａ  スライダ本体
３１０５ｂ  挿入孔
３１０５ｃ  膨出部
３１０５ｄ  カム当接面（当接面）
３１０５ｆ  ストッパブロック
３１０６  落下装飾体（装飾体）
３１０８  ラック部材（復帰機構）
３１０８ａ  ラックギア
３１０８ｂ  挿入孔
３１０９  中間ギア（復帰機構）
３１０９ａ  第一ギア
３１０９ｂ  第二ギア
３１１０  駆動ギア（ピニオンギア、復帰機構）
３１１１  落下復帰モータ（復帰モータ、復帰機構）
３１１２  落下演出モータ（落下モータ、揺動落下機構）
３１１３  落下カム（回転部材、揺動落下機構）
３１１３ａ  軸部
【先行技術文献】
【特許文献】
【０３２１】
【特許文献１】特開２０１３−８５７４７号公報
【図１】
2020075158.tif 000003
【図２】
2020075158.tif 000004
【図３】
2020075158.tif 000005
【図４】
2020075158.tif 000006
【図５】
2020075158.tif 000007
【図６】
2020075158.tif 000008
【図７】
2020075158.tif 000009
【図８】
2020075158.tif 000010
【図９】
2020075158.tif 000011
【図１０】
2020075158.tif 000012
【図１１】
2020075158.tif 000013
【図１２】
2020075158.tif 000014
【図１３】
2020075158.tif 000015
【図１４】
2020075158.tif 000016
【図１５】
2020075158.tif 000017
【図１６】
2020075158.tif 000018
【図１７】
2020075158.tif 000019
【図１８】
2020075158.tif 000020
【図１９】
2020075158.tif 000021
【図２０】
2020075158.tif 000022
【図２１】
2020075158.tif 000023
【図２２】
2020075158.tif 000024
【図２３】
2020075158.tif 000025
【図２４】
2020075158.tif 000026
【図２５】
2020075158.tif 000027
【図２６】
2020075158.tif 000028
【図２７】
2020075158.tif 000029
【図２８】
2020075158.tif 000030
【図２９】
2020075158.tif 000031
【図３０】
2020075158.tif 000032
【図３１】
2020075158.tif 000033
【図３２】
2020075158.tif 000034
【図３３】
2020075158.tif 000035
【図３４】
2020075158.tif 000036
【図３５】
2020075158.tif 000037
【図３６】
2020075158.tif 000038
【図３７】
2020075158.tif 000039
【図３８】
2020075158.tif 000040
【図３９】
2020075158.tif 000041
【図４０】
2020075158.tif 000042
【図４１】
2020075158.tif 000043
【図４２】
2020075158.tif 000044
【図４３】
2020075158.tif 000045
【図４４】
2020075158.tif 000046
【図４５】
2020075158.tif 000047
【図４６】
2020075158.tif 000048
【図４７】
2020075158.tif 000049
【図４８】
2020075158.tif 000050
【図４９】
2020075158.tif 000051
【図５０】
2020075158.tif 000052
【図５１】
2020075158.tif 000053
【図５２】
2020075158.tif 000054
【図５３】
2020075158.tif 000055
【図５４】
2020075158.tif 000056
【図５５】
2020075158.tif 000057
【図５６】
2020075158.tif 000058
【図５７】
2020075158.tif 000059
【図５８】
2020075158.tif 000060
【図５９】
2020075158.tif 000061
【図６０】
2020075158.tif 000062